(57)【要約】  ＵＥは、PDNコネクティビティ要求メッセージをMMEに送信し、PDNコネクティビティアクセプトメッセージを受信し、PDNコネクティビティアクセプトメッセージの受信に伴い、第2のLGWとの間にPDNコネクションを確立する。これにより、既に確立したＰＤＮコネクションを、より最適なゲートウェイを用いた新たなＰＤＮコネクションへ切り替えてＵＥの通信を継続するための最適な通信制御を実現することを目的とした通信システム等を提供することができる。
2016047374.tif 000002
【特許請求の範囲】
【請求項１】
端末装置であって、
第１のゲートウェイとの間に第１のＰＤＮ（Ｐａｃｋｅｔ  Ｄａｔａ  Ｎｅｔｗｏｒｋ）コネクションを確立し、
トラッキングエリア更新要求メッセージを基地局に送信し、前記トラッキングエリア更新要求メッセージに対する応答として、少なくともＰＤＮコネクションを再確立することを示す識別情報を含んだトラッキングエリア更新承認メッセージを受信し、
前記識別情報の受信に基づいて、第２のＰＤＮコネクションを確立するための第１のＰＤＮコネクティビティ要求メッセージをＭＭＥ（Ｍｏｂｉｌｉｔｙ  Ｍｎａｇｅｍｅｎｔ  Ｅｎｔｉｔｙ）に送信し、
前記第１のＰＤＮコネクティビティ要求メッセージの送信に基づいて第２のゲートウェイとの間に前記第２のＰＤＮコネクションを確立し、
前記第２のＰＤＮコネクションを確立した後、前記第１のＰＤＮコネクションを削除することを特徴とする端末装置。
【請求項２】
第１の基地局から第２の基地局へのハンドオーバを実行し、
前記ハンドオーバにおいて、前記第１の基地局からハンドオーバコマンドメッセージを受信し、
前記ハンドオーバコマンドメッセージには、少なくともトラッキングエリア更新手続きを実行することを示す識別情報を含んでおり、
前記識別情報の受信に基づいて、トラッキングエリア更新要求メッセージを前記第２の基地局へ送信する、
ことを特徴とする請求項１に記載の端末装置。
【請求項３】
端末装置であって、
第１のゲートウェイとの間に第１のＰＤＮ（Ｐａｃｋｅｔ  Ｄａｔａ  Ｎｅｔｗｏｒｋ）コネクションを確立し、
第１の基地局から第２の基地局へのハンドオーバを実行し、
前記ハンドオーバにおいて、前記第１の基地局からハンドオーバコマンドメッセージを受信し、
前記ハンドオーバコマンドメッセージには、少なくともＰＤＮコネクションを再確立することを示す識別情報を含んでおり、
前記識別情報の受信に基づいて、第１のＰＤＮコネクティビティ要求メッセージをＭＭＥ（Ｍｏｂｉｌｉｔｙ  Ｍｎａｇｅｍｅｎｔ  Ｅｎｔｉｔｙ）に送信し、
前記第１のＰＤＮコネクティビティ要求メッセージの送信に基づいて第２のゲートウェイとの間に第２のＰＤＮコネクションを確立し、
前記第２のＰＤＮコネクションを確立した後、前記第１のＰＤＮコネクションを削除する、
ことを特徴とする端末装置。
【請求項４】
異なるゲートウェイを端点としたＰＤＮコネクションの確立を許可されたＡＰＮを少なくとも含む第２のＰＤＮコネクティビティ要求メッセージを前記ＭＭＥに送信して前記第１のＰＤＮコネクションを確立し、
前記第２のＰＤＮコネクションを確立するための前記第１のＰＤＮコネクティビティ要求メッセージは少なくとも前記ＡＰＮを含めて送信する、
ことを特徴とする請求項１から３の何れか一項に記載の端末装置。
【請求項５】
前記第２のＰＤＮコネクションを確立するための前記第１のＰＤＮコネクティビティ要求メッセージの送信により、前記第２のＰＤＮコネクションの確立と、前記第１のＰＤＮコネクションの削除とを要求し、
前記第２のＰＤＮコネクションを確立し、前記第１のＰＤＮコネクションを削除することを特徴とする請求項１から４の何れか一項に記載の端末装置。
【請求項６】
ＭＭＥ（Ｍｏｂｉｌｉｔｙ  Ｍａｎａｇｅｍｅｎｔ  Ｅｎｔｉｔｙ）であって、
第１のゲートウェイとの間に第１のＰＤＮ（Ｐａｃｋｅｔ  Ｄａｔａ  Ｎｅｔｗｏｒｋ）コネクションを確立している端末装置によって送信されるトラッキングエリア更新要求メッセージを基地局を介して受信し、
前記トラッキングエリア更新要求メッセージに対する応答として、少なくともＰＤＮコネクションを再確立することを示す識別情報を含んだトラッキングエリア更新承認メッセージを前記端末装置に送信し、
第２のＰＤＮコネクションを確立するための第１のＰＤＮコネクティビティ要求メッセージを前記端末装置から受信し、
前記第１のＰＤＮコネクティビティ要求メッセージの受信に基づいて第２のゲートウェイと前記端末装置との間に前記第２のＰＤＮコネクションを確立し、
前記第２のＰＤＮコネクションを確立した後、前記第１のＰＤＮコネクションを削除することを特徴とするＭＭＥ。
【請求項７】
前記基地局からハンドオーバ要求メッセージを受信し、
前記ハンドオーバ要求メッセージに対する応答であり、少なくともトラッキングエリア更新手続きを実行することを要求する識別情報を含んだハンドオーバコマンドメッセージを前記基地局に送信する、
ことを特徴とする請求項６に記載のＭＭＥ。
【請求項８】
ＭＭＥ（Ｍｏｂｉｌｉｔｙ  Ｍａｎａｇｅｍｅｎｔ  Ｅｎｔｉｔｙ）であって、
第１のゲートウェイとの間に第１のＰＤＮ（Ｐａｃｋｅｔ  Ｄａｔａ  Ｎｅｔｗｏｒｋ）コネクションを確立している端末装置のハンドオーバのためのハンドオーバ要求メッセージを基地局から受信し、
前記ハンドオーバ要求メッセージに対する応答であり、少なくともＰＤＮコネクションを再確立することを示す識別情報を含んだハンドオーバコマンドメッセージを前記基地局に送信し、
第２のＰＤＮコネクションを確立するための第１のＰＤＮコネクティビティ要求メッセージを前記端末装置から受信し、
前記第１のＰＤＮコネクティビティ要求メッセージの受信に基づいて第２のゲートウェイと前記端末装置との間に前記第２のＰＤＮコネクションを確立し、
前記第２のＰＤＮコネクションを確立した後、前記第１のＰＤＮコネクションを削除する、
ことを特徴とするＭＭＥ。
【請求項９】
異なるゲートウェイを端点としたＰＤＮコネクションの確立を許可されたＡＰＮを少なくとも含む第２のＰＤＮコネクティビティ要求メッセージを受信して前記第１のＰＤＮコネクションの確立を許可し、
少なくとも前記ＡＰＮを含めた前記第２のＰＤＮコネクションを確立するための前記第１のＰＤＮコネクティビティ要求メッセージを受信する、
ことを特徴とする請求項６から８の何れか一項に記載のＭＭＥ。
【請求項１０】
前記第１のＰＤＮコネクションの削除は、前記第２のＰＤＮコネクションを確立するための前記第１のＰＤＮコネクティビティ要求メッセージの受信に基づいて実行する、
ことを特徴とする請求項６から９の何れか一項に記載のＭＭＥ。
【請求項１１】
前記第１のＰＤＮコネクションは、ＳＩＰＴＯ（Ｓｅｌｅｃｔｅｄ  ＩＰ  Ｔｒａｆｆｉｃ  Ｏｆｆｌｏａｄ）のためのＰＤＮコネクションである、
ことを特徴とする請求項６から１０の何れか一項に記載のＭＭＥ。
【請求項１２】
端末装置の制御方法であって、
第１のゲートウェイとの間に第１のＰＤＮ（Ｐａｃｋｅｔ  Ｄａｔａ  Ｎｅｔｗｏｒｋ）コネクションを確立するステップと、
トラッキングエリア更新要求メッセージを基地局に送信し、前記トラッキングエリア更新要求メッセージに対する応答として、少なくともＰＤＮコネクションを再確立することを示す識別情報を含んだトラッキングエリア更新承認メッセージを受信するステップと、
前記識別情報の受信に基づいて、第２のＰＤＮコネクションを確立するための第１のＰＤＮコネクティビティ要求メッセージをＭＭＥ（Ｍｏｂｉｌｉｔｙ  Ｍｎａｇｅｍｅｎｔ  Ｅｎｔｉｔｙ）に送信するステップと、
前記第１のＰＤＮコネクティビティ要求メッセージの送信に基づいて第２のゲートウェイとの間に前記第２のＰＤＮコネクションを確立するステップと、
前記第２のＰＤＮコネクションを確立した後、前記第１のＰＤＮコネクションを削除するステップと、
を有することを特徴とする端末装置の制御方法。
【請求項１３】
ハンドオーバにおいて、第１の基地局からハンドオーバコマンドメッセージを受信するステップと、
前記ハンドオーバコマンドメッセージには、少なくともトラッキングエリア更新手続きを実行することを示す識別情報を含んでおり、
前記識別情報の受信に基づいて、トラッキングエリア更新要求メッセージを第２の基地局送信するステップと、
を有することを特徴とする請求項１２に記載の端末装置の制御方法。
【請求項１４】
端末装置の制御方法であって、
第１のゲートウェイとの間に第１のＰＤＮ（Ｐａｃｋｅｔ  Ｄａｔａ  Ｎｅｔｗｏｒｋ）コネクションを確立するステップと、
ハンドオーバにおいて、第１の基地局からハンドオーバコマンドメッセージを受信するステップと、
前記ハンドオーバコマンドメッセージには、少なくとも前記第１のＰＤＮコネクションを再確立することを示す識別情報を含んでおり、
前記識別情報の受信に基づいて、前記第１のＰＤＮコネクションを確立するための第１のＰＤＮコネクティビティ要求メッセージをＭＭＥ（Ｍｏｂｉｌｉｔｙ  Ｍｎａｇｅｍｅｎｔ  Ｅｎｔｉｔｙ）に送信するステップと、
前記第１のＰＤＮコネクティビティ要求メッセージの送信に基づいて第２のゲートウェイとの間に第２のＰＤＮコネクションを確立するステップと、
前記第２のＰＤＮコネクションを確立した後、前記第１のＰＤＮコネクションを削除するステップと、
を有することを特徴とする端末装置の制御方法。
【請求項１５】
異なるゲートウェイを端点とした第１のＰＤＮコネクションの確立を許可されたＡＰＮを少なくとも含む第２のＰＤＮコネクティビティ要求メッセージを前記ＭＭＥに送信して前記第１のＰＤＮコネクションを確立するステップと、
前記第２のＰＤＮコネクションを確立するための前記第１のＰＤＮコネクティビティ要求メッセージに前記ＡＰＮを含めるステップと
を有することを特徴とする請求項１２から１４の何れか一項に記載の端末装置の制御方法。
【請求項１６】
前記第２のＰＤＮコネクションを確立するための前記第１のＰＤＮコネクティビティ要求メッセージの送信により、前記第２のＰＤＮコネクションの確立と、前記第１のＰＤＮコネクションの削除を要求し、
前記第２のＰＤＮコネクションを確立し、前記第１のＰＤＮコネクションを削除する、
ことを特徴とする請求項１２から１５の何れか一項に記載の端末装置の制御方法。
【請求項１７】
ＭＭＥ（Ｍｏｂｉｌｉｔｙ  Ｍａｎａｇｅｍｅｎｔ  Ｅｎｔｉｔｙ）の制御方法であって、
第１のゲートウェイとの間に第１のＰＤＮ（Ｐａｃｋｅｔ  Ｄａｔａ  Ｎｅｔｗｏｒｋ）コネクションを確立している端末装置によって送信されるトラッキングエリア更新要求メッセージを基地局を介して受信するステップと、
前記トラッキングエリア更新要求メッセージに対する応答として、少なくともＰＤＮコネクションを再確立することを示す識別情報を含んだトラッキングエリア更新承認メッセージを前記端末装置に送信するステップと、
第２のＰＤＮコネクションを確立するための第１のＰＤＮコネクティビティ要求メッセージを前記端末装置から受信するステップと、
前記第１のＰＤＮコネクティビティ要求メッセージの受信に基づいて第２のゲートウェイと前記端末装置との間に前記第２のＰＤＮコネクションを確立するステップと、
前記第２のＰＤＮコネクションを確立した後、前記第１のＰＤＮコネクションを削除するステップと、
を有することを特徴とするＭＭＥの制御方法。
【請求項１８】
前記基地局からハンドオーバ要求メッセージを受信するステップと、
前記ハンドオーバ要求メッセージに対する応答であり、少なくともトラッキングエリア更新手続きを実行することを要求する識別情報を含んだハンドオーバコマンドメッセージを前記基地局に送信するステップと
を有することを特徴とする請求項１７に記載のＭＭＥの制御方法。
【請求項１９】
ＭＭＥ（Ｍｏｂｉｌｉｔｙ  Ｍａｎａｇｅｍｅｎｔ  Ｅｎｔｉｔｙ）の制御方法であって、
第１のゲートウェイとの間に第１のＰＤＮ（Ｐａｃｋｅｔ  Ｄａｔａ  Ｎｅｔｗｏｒｋ）コネクションを確立している端末装置のハンドオーバのためのハンドオーバ要求メッセージを基地局装置から受信するステップと、
前記ハンドオーバ要求メッセージに対する応答であり、少なくとも前記第１のＰＤＮコネクションを再確立することを示す識別情報を含んだハンドオーバコマンドメッセージを前記基地局に送信するステップと、
第２のＰＤＮコネクションを確立するための第１のＰＤＮコネクティビティ要求メッセージを前記端末装置から受信するステップと、
前記第１のＰＤＮコネクティビティ要求メッセージの受信に基づいて第２のゲートウェイと前記端末装置の間に前記第２のＰＤＮコネクションを確立するステップと、
前記第２のＰＤＮコネクションを確立した後、前記第１のＰＤＮコネクションを削除するステップと、
を有することを特徴とするＭＭＥの制御方法。
【請求項２０】
異なるゲートウェイを端点としたＰＤＮコネクションの確立を許可されたＡＰＮを少なくとも含む第２のＰＤＮコネクティビティ要求メッセージを受信して前記第１のＰＤＮコネクションを確立するステップと、
前記第２のＰＤＮコネクションを確立するための前記第１のＰＤＮコネクティビティ要求メッセージに前記ＡＰＮを含めるステップと、
を有することを特徴とする請求項１７から１９の何れか一項に記載のＭＭＥの制御方法。
【請求項２１】
前記第２のＰＤＮコネクションを確立するための前記第１のＰＤＮコネクティビティ要求メッセージの受信に基づいて、
前記第２のＰＤＮコネクションを確立し、前記第１のＰＤＮコネクションを削除する、
ことを特徴とする請求項１７から２０の何れか一項に記載のＭＭＥの制御方法。
【請求項２２】
前記第１のＰＤＮコネクションは、ＳＩＰＴＯ（Ｓｅｌｅｃｔｅｄ  ＩＰ  Ｔｒａｆｆｉｃ  Ｏｆｆｌｏａｄ）のためのＰＤＮコネクションである、
ことを特徴とする請求項１７から２１の何れか一項に記載のＭＭＥの制御方法。
【発明の詳細な説明】
【技術分野】
【０００１】
本発明は、端末装置、ＭＭＥ、および制御方法に関する。
【背景技術】
【０００２】
移動通信システムの標準化団体３ＧＰＰ（The 3rd Generation Partnership Project）では、次世代の移動体通信システムとして以下の非特許文献１に記載のＥＰＳ（Evolved Packet System）の仕様化作業を進めている。【０００３】
また、以下の非特許文献２には、ＳＩＰＴＯ（Selected IP Traffic Offload）を実現するための方法が開示されている。ＳＩＰＴＯは、ＵＥ（端末装置：Ｕｓｅｒ  Ｅｑｕｉｐｍｅｎｔ）がｅＮＢ（基地局装置：ｅＮｏｄｅＢ）に接続しつつ、移動通信システムのコアネットワークを介さないオフロード通信路を提供する機能である。この際、ＵＥは、ＵＥの位置に近いゲートウェイ装置を用いてＳＩＰＴＯのためのオフロード通信路を確立する。【０００４】
３ＧＰＰでは、ＳＩＰＴＯのためのオフロード通信路を確立する際のゲートウェイ装置としてＬＧＷ（Ｌｏｃａｌ  ＧＷ）を定義し、ｅＮＢに接続するＵＥはＬＧＷとの間にＳＩＰＴＯ用のＰＤＮコネクションを確立し、ＳＩＰＴＯ用のＰＤＮコネクションを用いてブロードバンドネットワークを経由してネットワーク上の装置とデータの送受信を行うことが検討されている。なお、ＵＥは、ＳＩＰＴＯ用のＰＤＮコネクション確立時においては、ＵＥの位置に近いＬＧＷとの間で通信路を確立することができ、最適なオフロード通信路を用いて通信をすることができる。【０００５】
また、ＵＥは、移動に伴いｅＮＢを変更しながら通信を継続することができる。その場合、ＵＥはＬＧＷとの間で確立したＳＩＰＴＯ用のＰＤＮコネクションを維持し、それを用いてオフロード通信を継続することができる。【０００６】
しかしながら、ＬＧＷは通信システムに複数配置されることが想定されている。そのため、ＵＥの移動に伴って、ＳＩＰＴＯ用のＰＤＮコネクション確立時に選択されたＬＧＷより、ＵＥの位置に近いＬＧＷが存在する可能性がある。【０００７】
オフロード通信路は、ＵＥの位置に近いゲートウェイからオフロードするほどオフロード効果が高い。そのため、ＵＥが確立したＳＩＰＴＯ用のＰＤＮコネクションは、ＵＥが移動することにより、必ずしも最適でない通信路となってしまう可能性がある。【０００８】
こうした事情を鑑みて、非特許文献３にあるように、移動通信システムを規格化する３ＧＰＰでは、既に確立されたＰＤＮコネクションを、より最適なゲートウェイ装置を用いた新たなＰＤＮコネクションに切り替えて通信を継続することが、要求条件として規定した。
【先行技術文献】
【非特許文献】
【０００９】
【非特許文献１】3GPP TS23.401 General Packet Radio Service (GPRS) enhancements for Evolved Universal Terrestrial Radio Access Network (E-UTRAN) access
【非特許文献２】3GPP TR 23.829 Local IP Access and Selected IP Traffic Offload
【非特許文献３】3GPP TR 22.828 Study on Co-ordinated P-GW change for SIPTO
【発明の概要】
【発明が解決しようとする課題】
【００１０】
しかしながら、現在、既に確立したＰＤＮコネクションを、より最適なゲートウェイ装置を用いた新たなＰＤＮコネクションに切り替えて通信を継続するための具体的な手段は明らかになっていない。【００１１】
また、通信路の切り替えにおいては、通信が切断を極力少なくするなどのシームレス性の高い方法が望まれる。【００１２】
本発明はこのような事情を鑑みてなされたもので、既に確立したＰＤＮコネクションを、より最適なゲートウェイを用いた新たなＰＤＮコネクションへ切り替えてＵＥの通信を継続するための最適な通信制御を実現することを目的とした通信システム等を提供することである。
【課題を解決するための手段】
【００１３】
上記の目的を達成するために、本発明は、以下のような手段を講じた。【００１４】
端末装置であって、第１のゲートウェイとの間に第１のＰＤＮ（Ｐａｃｋｅｔ  Ｄａｔａ  Ｎｅｔｗｏｒｋ）コネクションを確立し、トラッキングエリア更新要求メッセージを基地局に送信し、トラッキングエリア更新要求メッセージに対する応答として、少なくともＰＤＮコネクションを再確立することを示す識別情報を含んだトラッキングエリア更新承認メッセージを受信し、識別情報の受信に基づいて、第２のＰＤＮコネクションを確立するためのＰＤＮコネクティビティ要求メッセージをＭＭＥ（Ｍｏｂｉｌｉｔｙ  Ｍｎａｇｅｍｅｎｔ  Ｅｎｔｉｔｙ）に送信し、ＰＤＮコネクティビティ要求メッセージの送信に基づいて第２のゲートウェイとの間に第２のＰＤＮコネクションを確立し、第２のＰＤＮコネクションを確立した後、第１のＰＤＮコネクションを削除することを特徴とする。【００１５】
第１の基地局から第２の基地局へのハンドオーバを実行し、ハンドオーバにおいて、第1の基地局からハンドオーバコマンドメッセージを受信し、ハンドオーバコマンドメッセージには、少なくともトラッキングエリア更新手続きを実行することを示す識別情報を含んでおり、識別情報の受信に基づいて、トラッキングエリア更新要求メッセージを第２の基地局送信することを特徴とする。【００１６】
端末装置であって、第１のゲートウェイとの間に第１のＰＤＮ（Ｐａｃｋｅｔ  Ｄａｔａ  Ｎｅｔｗｏｒｋ）コネクションを確立し、第１の基地局から第２の基地局へのハンドオーバを実行し、ハンドオーバにおいて、第1の基地局からハンドオーバコマンドメッセージを受信し、ハンドオーバコマンドメッセージには、少なくともＰＤＮコネクションを再確立することを示す識別情報を含んでおり、識別情報の受信に基づいて、第１のＰＤＮコネクションを確立するためのＰＤＮコネクティビティ要求メッセージをＭＭＥ（Ｍｏｂｉｌｉｔｙ  Ｍｎａｇｅｍｅｎｔ  Ｅｎｔｉｔｙ）に送信し、ＰＤＮコネクティビティ要求メッセージの送信に基づいて第２のゲートウェイとの間に第２のＰＤＮコネクションを確立し、第２のＰＤＮコネクションを確立した後、第１のＰＤＮコネクションを削除することを特徴とする。【００１７】
異なるゲートウェイを端点としたＰＤＮコネクションの確立を許可されたＡＰＮを少なくとも含むＰＤＮコネクティビティ要求メッセージをＭＭＥに送信して第１のＰＤＮコネクションを確立し、第２のＰＤＮコネクションを確立するためのＰＤＮコネクティビティ要求メッセージは少なくともＡＰＮを含めて送信することを特徴とする。【００１８】
第２のＰＤＮコネクションを確立するためのＰＤＮコネクティビティ要求メッセージの送信により、第２のＰＤＮコネクションの確立と、第１のＰＤＮコネクションの削除を要求し、第２のＰＤＮコネクションを確立し、第１のＰＤＮコネクションを削除することを特徴とする。【００１９】
ＭＭＥ（Ｍｏｂｉｌｉｔｙ  Ｍａｎａｇｅｍｅｎｔ  Ｅｎｔｉｔｙ）であって、第１のゲートウェイとの間に第１のＰＤＮ（Ｐａｃｋｅｔ  Ｄａｔａ  Ｎｅｔｗｏｒｋ）コネクションを確立している端末装置によるトラッキングエリア更新要求メッセージの送信に伴い基地局が送信するトラッキングエリア更新要求メッセージを受信し、トラッキングエリア更新要求メッセージに対する応答として、少なくともＰＤＮコネクションを再確立することを示す識別情報を含んだトラッキングエリア更新承認メッセージを端末装置に送信し、第２のＰＤＮコネクションを確立するためのＰＤＮコネクティビティ要求メッセージを端末装置から受信し、ＰＤＮコネクティビティ要求メッセージの受信に基づいて第２のゲートウェイと端末装置の間に第２のＰＤＮコネクションを確立し、第２のＰＤＮコネクションを確立した後、第１のＰＤＮコネクションを削除することを特徴とする。【００２０】
基地局からハンドオーバ要求メッセージを受信し、ハンドオーバ要求メッセージに対する応答であり、少なくともトラッキング絵エリア更新手続きを実行することを要求する識別情報を含んだハンドオーバコマンドメッセージを基地局に送信することを特徴とする。【００２１】
ＭＭＥ（Ｍｏｂｉｌｉｔｙ  Ｍａｎａｇｅｍｅｎｔ  Ｅｎｔｉｔｙ）であって、第１のゲートウェイとの間に第１のＰＤＮ（Ｐａｃｋｅｔ  Ｄａｔａ  Ｎｅｔｗｏｒｋ）コネクションを確立している端末装置のハンドオーバのためのハンドオーバ要求メッセージを基地局装置から受信し、ハンドオーバ要求メッセージに対する応答であり、少なくともＰＤＮコネクションを再確立することを示す識別情報を含んだハンドオーバコマンドメッセージを基地局に送信し、第２のＰＤＮコネクションを確立するためのＰＤＮコネクティビティ要求メッセージを端末装置から受信し、ＰＤＮコネクティビティ要求メッセージの受信に基づいて第２のゲートウェイと端末装置の間に第２のＰＤＮコネクションを確立し、第２のＰＤＮコネクションを確立した後、第１のＰＤＮコネクションを削除することを特徴とする。【００２２】
異なるゲートウェイを端点としたＰＤＮコネクションの確立を許可されたＡＰＮを少なくとも含むＰＤＮコネクティビティ要求メッセージをＭＭＥに送信して第１のＰＤＮコネクションを確立し、少なくともＡＰＮを含めた第２のＰＤＮコネクションを確立するためのＰＤＮコネクティビティ要求メッセージを受信することを特徴とする。【００２３】
第２のＰＤＮコネクションを確立するためのＰＤＮコネクティビティ要求メッセージの受信に基づいて、第２のＰＤＮコネクションを確立し、第１のＰＤＮコネクションを削除することを特徴とする。【００２４】
第１のＰＤＮコネクションは、ＳＩＰＴＯ（Ｓｅｌｅｃｔｅｄ  ＩＰ  Ｔｒａｆｆｉｃ  Ｏｆｆｌｏａｄ）のためのＰＤＮコネクションであることを特徴とする。【００２５】
端末装置の制御方法であって、第１のゲートウェイとの間に第１のＰＤＮ（Ｐａｃｋｅｔ  Ｄａｔａ  Ｎｅｔｗｏｒｋ）コネクションを確立するステップと、トラッキングエリア更新要求メッセージを基地局に送信し、トラッキングエリア更新要求メッセージに対する応答として、少なくともＰＤＮコネクションを再確立することを示す識別情報を含んだトラッキングエリア更新承認メッセージを受信するステップと、識別情報の受信に基づいて、第２のＰＤＮコネクションを確立するためのＰＤＮコネクティビティ要求メッセージをＭＭＥ（Ｍｏｂｉｌｉｔｙ  Ｍｎａｇｅｍｅｎｔ  Ｅｎｔｉｔｙ）に送信するステップと、ＰＤＮコネクティビティ要求メッセージの送信に基づいて第２のゲートウェイとの間に第２のＰＤＮコネクションを確立するステップと、第２のＰＤＮコネクションを確立した後、第１のＰＤＮコネクションを削除するステップと、を有することを特徴とする。【００２６】
ハンドオーバにおいて、第1の基地局からハンドオーバコマンドメッセージを受信するステップと、ハンドオーバコマンドメッセージには、少なくともトラッキングエリア更新手続きを実行することを示す識別情報を含んでおり、識別情報の受信に基づいて、トラッキングエリア更新要求メッセージを第２の基地局送信するステップとを有することを特徴とする。【００２７】
端末装置の制御方法であって、第１のゲートウェイとの間に第１のＰＤＮ（Ｐａｃｋｅｔ  Ｄａｔａ  Ｎｅｔｗｏｒｋ）コネクションを確立するステップと、ハンドオーバにおいて、第1の基地局からハンドオーバコマンドメッセージを受信するステップと、ハンドオーバコマンドメッセージには、少なくともＰＤＮコネクションを再確立することを示す識別情報を含んでおり、識別情報の受信に基づいて、第１のＰＤＮコネクションを確立するためのＰＤＮコネクティビティ要求メッセージをＭＭＥ（Ｍｏｂｉｌｉｔｙ  Ｍｎａｇｅｍｅｎｔ  Ｅｎｔｉｔｙ）に送信するステップと、ＰＤＮコネクティビティ要求メッセージの送信に基づいて第２のゲートウェイとの間に第２のＰＤＮコネクションを確立するステップと、第２のＰＤＮコネクションを確立した後、第１のＰＤＮコネクションを削除するステップとを有することを特徴とする。【００２８】
異なるゲートウェイを端点としたＰＤＮコネクションの確立を許可されたＡＰＮを少なくとも含むＰＤＮコネクティビティ要求メッセージをＭＭＥに送信して第１のＰＤＮコネクションを確立するステップと、第２のＰＤＮコネクションを確立するためのＰＤＮコネクティビティ要求メッセージに含めてＡＰＮを送信するステップとを有することを特徴とする。【００２９】
第２のＰＤＮコネクションを確立するためのＰＤＮコネクティビティ要求メッセージの送信により、第２のＰＤＮコネクションの確立と、第１のＰＤＮコネクションの削除を要求し、第２のＰＤＮコネクションを確立し、第１のＰＤＮコネクションを削除することを特徴とする。【００３０】
ＭＭＥ（Ｍｏｂｉｌｉｔｙ  Ｍａｎａｇｅｍｅｎｔ  Ｅｎｔｉｔｙ）の制御方法であって、Entity)の制御方法であって、第１のゲートウェイとの間に第１のＰＤＮ（Ｐａｃｋｅｔ  Ｄａｔａ  Ｎｅｔｗｏｒｋ）コネクションを確立している端末装置によるトラッキングエリア更新要求メッセージの送信に伴い基地局が送信するトラッキングエリア更新要求メッセージを受信するステップと、トラッキングエリア更新要求メッセージに対する応答として、少なくともＰＤＮコネクションを再確立することを示す識別情報を含んだトラッキングエリア更新承認メッセージを端末装置に送信するステップと、第２のＰＤＮコネクションを確立するためのＰＤＮコネクティビティ要求メッセージを端末装置から受信するステップと、ＰＤＮコネクティビティ要求メッセージの受信に基づいて第２のゲートウェイと端末装置の間に第２のＰＤＮコネクションを確立するステップと、第２のＰＤＮコネクションを確立した後、第１のＰＤＮコネクションを削除するステップと、を有することを特徴とする。【００３１】
基地局からハンドオーバ要求メッセージを受信するステップと、ハンドオーバ要求メッセージに対する応答であり、少なくともトラッキング絵エリア更新手続きを実行することを要求する識別情報を含んだハンドオーバコマンドメッセージを基地局に送信するステップとを有することを特徴とする。【００３２】
ＭＭＥ（Ｍｏｂｉｌｉｔｙ  Ｍａｎａｇｅｍｅｎｔ  Ｅｎｔｉｔｙ）の制御方法であって、第１のゲートウェイとの間に第１のＰＤＮ（Ｐａｃｋｅｔ  Ｄａｔａ  Ｎｅｔｗｏｒｋ）コネクションを確立している端末装置のハンドオーバのためのハンドオーバ要求メッセージを基地局装置から受信するステップと、ハンドオーバ要求メッセージに対する応答であり、少なくともＰＤＮコネクションを再確立することを示す識別情報を含んだハンドオーバコマンドメッセージを基地局に送信するステップと、第２のＰＤＮコネクションを確立するためのＰＤＮコネクティビティ要求メッセージを端末装置から受信するステップと、ＰＤＮコネクティビティ要求メッセージの受信に基づいて第２のゲートウェイと端末装置の間に第２のＰＤＮコネクションを確立するステップと、第２のＰＤＮコネクションを確立した後、第１のＰＤＮコネクションを削除するステップと、を有することを特徴とする。【００３３】
異なるゲートウェイを端点としたＰＤＮコネクションの確立を許可されたＡＰＮを少なくとも含むＰＤＮコネクティビティ要求メッセージをＭＭＥに送信して第１のＰＤＮコネクションを確立するステップと、第２のＰＤＮコネクションを確立するためのＰＤＮコネクティビティ要求メッセージに含まれたＡＰＮを受信するステップとを有することを特徴とする。【００３４】
第２のＰＤＮコネクションを確立するためのＰＤＮコネクティビティ要求メッセージの受信に基づいて、第２のＰＤＮコネクションを確立し、第１のＰＤＮコネクションを削除することを特徴とする。【００３５】
第１のＰＤＮコネクションは、ＳＩＰＴＯ（Ｓｅｌｅｃｔｅｄ  ＩＰ  Ｔｒａｆｆｉｃ  Ｏｆｆｌｏａｄ）のためのＰＤＮコネクションであることを特徴とする。
【発明の効果】
【００３６】
本発明によれば、ＵＥは、既に確立したゲートウェイとの間のＰＤＮコネクションを、より最適なゲートウェイを用いた新たなＰＤＮコネクションへ切り替えてＵＥの通信を継続することができる。
【図面の簡単な説明】
【００３７】
【図１】（ａ），（ｂ）第１実施形態における移動通信システム１の概要を説明するための図である。
【図２】実施形態におけるＵＥの機能構成を説明するための図である。
【図３】実施形態におけるｅＮＢの機能構成を説明するための図である。
【図４】実施形態におけるＭＭＥの機能構成を説明するための図である。
【図５】（ａ），（ｂ）データの流れを説明するための図である。
【図６】処理の流れを説明するための図である。
【図７】実施形態におけるハンドオーバ手続きを説明するための図である。
【図８Ａ】実施形態におけるハンドオーバ手続きを説明するための図である。
【図８Ｂ】実施形態におけるハンドオーバ手続きを説明するための図である。
【図９】実施形態におけるハンドオーバ命令メッセージを説明するための図である。
【図１０】実施形態におけるトラッキングエリア更新手続きを説明するための図である。
【図１１Ａ】実施形態におけるトラッキングエリアアップデートのメッセージを説明するための図である。
【図１１Ｂ】実施形態におけるトラッキングエリアアップデートのメッセージを説明するための図である。
【図１２】実施形態におけるＰＤＮ接続手続きを説明するための図である。
【図１３】実施形態におけるＰＤＮ切断手続きを説明するための図である。
【図１４】実施形態におけるＰＤＮ接続要求メッセージを説明するための図である。
【発明を実施するための形態】
【００３８】
以下、図面を参照して本発明を実施するための最良の形態について説明する。なお、本実施形態では、一例として、本発明を適用した場合の移動通信システムの実施形態について、図を用いて詳細に説明する。
【００３９】
［１．第１実施形態］
まず、本発明を適用した第１実施形態について、図面を参照して説明する。
【００４０】
［１．１  移動通信システムの概要］
図１は、本実施形態における移動通信システム１の概略を説明するための図である。図１（ａ）に示すように、移動通信システム１は、ＵＥ（端末装置）１０と、ＰＤＮ（Ｐａｃｋｅｔ  Ｄａｔａ  Ｎｅｔｗｏｒｋ）９０とがＩＰ移動通信ネットワーク５を介して接続されて構成されている。ＵＥ１０はＩＰ移動通信ネットワーク５に接続し、ＩＰ移動通信ネットワーク５はＰＤＮ９０と接続される。
【００４１】
ＩＰ移動通信ネットワーク５は、例えば、移動通信事業者が運用する無線アクセスネットワークとコアネットワークによって構成されるネットワークでもよいし、固定通信事業者が運用するブロードバンドネットワークであって良い。ここで、ブロードバンドネットワークは、ＡＤＳＬ（Asymmetric Digital Subscriber Line）等により接続し、光ファイバー等のデジタル回線による高速通信を提供する、通信事業者が運用するＩＰ通信ネットワークであってよい。さらに、これらに限らずＷｉＭＡＸ（Worldwide Interoperability for Microwave Access）等で無線アクセスするネットワークであって良い。
【００４２】
ＵＥ１０は、ＬＴＥやＷＬＡＮ等のアクセスシステムを用いて接続する通信端末であり、３ＧＰＰ  ＬＴＥの通信インタフェースやＷＬＡＮの通信インタフェース等を搭載して接続することにより、ＩＰアクセスネットワークへ接続することが可能である。
【００４３】
具体的な例としては、携帯電話端末やスマートフォンであり、その他通信機能を備えたタブレット型コンピュータやパソコン、家電などである。
【００４４】
ＰＤＮ９０は、パケットでデータのやり取りを行うネットワークサービスを提供するネットワークのことであり、例えば、インターネットやＩＭＳなどである。さらに、グループ通話などのグループ通信サービスを提供するネットワークであって良い。
【００４５】
ＵＥ１０はＩＰ移動通信ネットワークに接続して通信路を確立し、ＰＤＮ９０との接続性を確立する。これによりＵＥ１０はＰＤＮ９０とのデータ送受信を実現する。
【００４６】
ＰＤＮ９０は、ＩＰアクセスネットワークへ有線回線等を利用して接続される。例えば、ＡＤＳＬ（Asymmetric Digital Subscriber Line）や光ファイバー等によって構築される。ただし、これに限らずＬＴＥ（Long Term Evolution）や、ＷＬＡＮ（Wireless LAN）、ＷｉＭＡＸ（Worldwide Interoperability for Microwave Access）等の無線アクセスネットワークであって良い。
【００４７】
[１．１．１  ＩＰ移動通信ネットワークの構成例]
図１に示すように、移動通信システム１は、ＵＥ１０と、ＩＰ移動通信ネットワーク５と、ＰＤＮ９０（Packet Data Network）とから構成される。
【００４８】
ＩＰ移動通信ネットワーク５はコアネットワーク７と無線アクセスネットワークで構成される。
【００４９】
コアネットワーク７は、ＭＭＥ３０(Mobile Management Entity)と、ＬＧＷ４０（Local Gateway）とＳＧＷ５０(Serving Gateway)と、ＰＧＷ（アクセス制御装置）６０（Packet Data Network Gateway）と、ＨＳＳ７０(Home Subscriber Server)と、ＰＣＲＦ８０(Policy and charging rules function)と、を含んで構成される。
【００５０】
なお、コアネットワーク７には、ＭＭＥ３０ＡやＭＭＥ３０Ｂなど、複数のＭＭＥ３０が配置されてもよい。
【００５１】
また、コアネットワーク７には、ＳＧＷ５０ＡやＳＧＷ５０Ｂなど、複数のＳＧＷ５０が配置されてもよい。
【００５２】
また、コアネットワーク７には、ＰＧＷ６０ＡやＰＧＷ６０Ｂなど、複数のＰＧＷ６０が配置されてもよい。
【００５３】
また、コアネットワーク７には、ＬＧＷ４０ＡやＬＧＷ４０Ｂなど、複数のＬＧＷ４０が配置されてもよい。さらに、ＬＧＷ４０は、コアネットワークに含まれて配置されてもよいし、無線アクセスネットワークに含まれて配置されてもよい。
【００５４】
無線アクセスネットワークは、コアネットワーク７に接続されている。さらに、ＵＥ１０は無線アクセスネットワークに無線接続することができる。
【００５５】
無線アクセスネットワークは、ＬＴＥアクセスシステムで接続できるＬＴＥアクセスネットワーク９（LTE AN）を構成することができる。ＬＴＥ  ＡＮ９は、ＬＴＥアクセスシステムを用いた基地局装置を含んだネットワークであり、公衆網のアクセスネットワークであってもよいし、家庭に構成されるホームネットワークであっても良い。
【００５６】
なお、各装置はＥＰＳを利用した移動通信システムにおける従来の装置と同様に構成されるため、詳細な説明は省略するが、簡単に機能を説明すると、ＰＧＷ６０はＰＤＮ９０と、ＳＧＷ５０と、ＰＣＲＦ８０とに接続されており、ＰＤＮ９０とコアネットワーク７のゲートウェイ装置としてユーザデータ配送を行う。
【００５７】
ＳＧＷ５０は、ＰＧＷ６０と、ＭＭＥ３０とＬＴＥ  ＡＮ９とに接続されており、コアネットワーク７とＬＴＥ  ＡＮ９とのゲートウェイ装置としてユーザデータの配送を行う。
【００５８】
ＰＧＷ６０は、コアネットワーク７とＰＤＮ９０を接続するゲートウェイ装置であり、ユーザデータの配送を行う。なお、ＰＧＷ６０はＵＥ１０との間にＰＤＮコネクションを確立し、ＰＤＮコネクションを用いてＵＥ１０とＰＤＮ６０に配置される通信装置との間のデータ送受信を実現することができる。  ＬＧＷ４０は、ＭＭＥ３０とＬＴＥ  ＡＮ９とＰＤＮ９０とに接続されており、ＰＤＮ９０とのゲートウェイ装置としてユーザデータ配送を行う。また、ＬＧＷ４０は、ブロードバンドネットワークと接続され、ブロードバンドネットワークを経由してＰＤＮ９０に接続されてもよい。このようにＬＧＷ４０は、ＵＥ１０との間にオフロードのための通信路を確立するゲートウェイ装置である。つまり、ＬＧＷ４０は、ＵＥ１０が確立するＳＩＰＴＯ用ＰＤＮコネクションの端点であり、ブロードバンドネットワークやＰＤＮ９０へのオフロードを実行する装置である。
【００５９】
なお、ＬＧＷ４０は、ＬＴＥ  ＡＮ９等のアクセスネットワークに含まれて構成されてよく、ＬＧＷ４０は、ＬＴＥ  ＡＮ９に含まれるｅＮＢ２０と単一の装置で構成されてもよい。
【００６０】
なお、ＬＧＷ４０は、Ｌ−ＰＧＷ４４（Local-PGW）とＬ−ＳＧＷ４２（Local-SGW）の２つの機能部を構成してもよい。さらに、Ｌ−ＰＧＷ４４とＬ−ＳＧＷ４２は異なる装置に構成されてもよい。
【００６１】
この場合、Ｌ−ＰＧＷ４４は、ＭＭＥ３０とＬＴＥ  ＡＮ９とＰＤＮ９０とに接続されており、ＰＤＮ９０とのゲートウェイ装置としてユーザデータ配送を行う。また、Ｌ−ＰＧＷ４４は、ブロードバンドネットワークと接続され、ブロードバンドネットワークを経由してＰＤＮ９０に接続されてもよい。このようにＬＧＷ４０は、ＵＥ１０との間にオフロードのための通信路を確立するゲートウェイ装置である。つまり、Ｌ−ＰＧＷ４４は、ＵＥ１０が確立するＳＩＰＴＯ用ＰＤＮコネクションの端点であり、ブロードバンドネットワークやＰＤＮ９０へのオフロードを実行する装置である。
【００６２】
また、Ｌ−ＳＧＷ４２は、ｅＮＢ２０とＬ−ＰＧＷ４４との中間装置である。つまり、ｅＮＢ２０とＬ−ＰＧＷ４４とを接続するゲートウェイ装置であってよい。
【００６３】
なお、Ｌ−ＰＧＷ４４とＬ−ＳＧＷ４２は、共にＬＴＥ  ＡＮ９等のアクセスネットワークに含まれて構成されてもよい。さらに、Ｌ−ＳＧＷ４２は、ＬＴＥ  ＡＮ９に含まれるｅＮＢ２０と単一の装置で構成され、Ｌ−ＰＧＷ４４は独立した装置として構成されてもよい。
【００６４】
もしくは、Ｌ−ＰＧＷ４４とＬ−ＳＧＷ４２は、コアネットワーク７に含まれて構成されてもよい。
【００６５】
ＭＭＥ３０は、ＳＧＷ５０とＬＴＥ  ＡＮ９とＬＧＷ４０とに接続されており、ＬＴＥ  ＡＮ９を経由したＵＥ１０の位置管理、アクセス制御を行う制御装置である。
【００６６】
ＨＳＳ７０は、ＳＧＷ５０とＡＡＡ５５とに接続されており、加入者情報の管理を行う。
【００６７】
ＰＣＲＦ８０は、ＰＧＷ６０に接続されており、データ配送に対するＱｏＳ管理を行う。
【００６８】
また、図１（ｂ）に示すように、無線アクセスネットワークには、ＵＥ１０が実際に接続する装置（例えば、基地局装置）等が含まれている。接続に用いられる装置は、無線アクセスネットワークに適応した種々の装置が考えられるが、本実施形態においては、ＬＴＥ  ＡＮ９はｅＮＢ２０を含んで構成される。ｅＮＢ２０はＬＴＥアクセスシステムでＵＥ１０が接続する無線基地局であり、ＬＴＥ  ＡＮ９には１又は複数の無線基地局が含まれて構成されてよい。
【００６９】
なお、本明細書において、ＵＥ１０が無線アクセスネットワークに接続されるとは、無線アクセスネットワークに含まれる基地局装置に接続されることをいい、送受信されるデータや信号等も、基地局装置を経由している。
【００７０】
例えば、ＬＴＥ  ＡＮ９にＵＥ１０が接続されるとは、ＵＥ１０がｅＮＢ２０を介して接続されること言う。
【００７１】
［１．２  装置構成］
続いて、各装置構成について図を用いて簡単に説明する。
【００７２】
[１．２．１  ＵＥの構成]
図３を基に本実施形態におけるＵＥ１０の機能構成を示す。ＵＥ１０は、制御部１００に、第１インターフェース部１１０と、記憶部１４０とがバスを介して接続されている。
【００７３】
制御部１００は、ＵＥ１０を制御するための機能部である。制御部１００は、記憶部１４０に記憶されている各種情報、各種プログラムを読みだして実行することにより各種処理を実現する。
【００７４】
第１インターフェース部１１０は、ＬＴＥアクセス方式によりＬＴＥ  ＡＮ９と接続し、無線通信によるデータの送受信を実行する機能部である。第１インターフェース部１１０には、ＬＴＥアクセス方式によりデータの送受信を行うための外部アンテナ１１２が接続されている。
【００７５】
記憶部１４０は、ＵＥ１０の各種動作に必要なプログラム、データ等を記憶する機能部である。記憶部１４０は、例えば、半導体メモリや、ＨＤＤ（Hard Disk Drive）等により構成されている。さらに、記憶部１４０には、ＵＥ通信路コンテキスト１４２が記憶されている。
【００７６】
ＵＥ通信路コンテキスト１４２は、ＵＥが確立する通信路に対応づけられて記憶される情報群であり、ＡＰＮ（アクセスポイントネーム）、ベアラＩＤ、ＰＤＮコネクションＩＤ、ＴＥＩＤ（Tunnel Endpoint Identifier）、基地局識別情報、サービス識別情報、グループ識別情報、オフロード通信路であるＳＩＰＴＯ用のＰＤＮコネクションを確立することができるケーパビリティを示す情報（ケーパビリティ情報１）、通信事業者がＵＥ１０によるオフロード通信路であるＳＩＰＴＯ用のＰＤＮコネクション確立の許可を示す許可情報（許可情報１）などを含んでも良い。
【００７７】
ここで、ケーパビリティ情報１は、ＳＩＰＴＯ用の通信路を確立することができる能力と、ゲートウェイの異なるＰＤＮコネクションへの切り替えができる能力とを有することを示すケーパビリティ情報であってもよい。
【００７８】
または、ケーパビリティ情報１は、ＳＩＰＴＯ用の通信路を確立することができる能力を有することを示す能力情報として記憶し、ケーパビリティ情報２として、ゲートウェイの異なるＰＤＮコネクションへの切り替えができる能力を有することを示すケーパビリティ情報を管理してもよい。
【００７９】
ここで、許可情報１は、ＳＩＰＴＯ用の通信路を確立することと、ゲートウェイの異なるＰＤＮコネクションへの切り替えとを、通信事業者が許可することを示す許可情報であってもよい。
【００８０】
または、許可情報１は、ＳＩＰＴＯ用の通信路を確立することを許可する許可情報として記憶し、許可情報２として、ゲートウェイの異なるＰＤＮコネクションへの切り替えを、通信事業者が許可することを示す許可情報を管理してもよい。
【００８１】
なお、ＵＥ１０は、複数の通信路を確立してもよい。つまり、確立したＰＤＮコネクション毎にＵＥ通信路コンテキスト１４２を作成し、管理しても良い。
【００８２】
ＡＰＮ（アクセスポイントネーム）は、ＩＰ移動通信ネットワーク５においてＵＥ１０が確立するＰＤＮコネクションの端点となるゲートウェイ装置を選択するために使用される識別情報である。また、ＡＰＮは、ＰＤＮ９０に対応づけた識別情報であってよい。ＩＭＳや映像配信など、サービスごとに異なるＰＤＮ９０が構成されている場合には、サービスを識別する識別情報としても使用することができる。なお、ＳＩＰＴＯ可能なＰＤＮコネクションを確立可能なオフロード通信用のＡＰＮと、オフロード通信を行わないＡＰＮとを、異なるＡＰＮとして管理してもよい。この場合、オフロード用のＡＰＮで選択されるゲートウェイは、ＬＧＷ４０であり、オフロード通信を行わないＡＰＮで選択されるゲートウェイは、コアネットワーク７に構成されるＰＧＷ６０であって良い。
【００８３】
また、ＡＰＮは、異なるゲートウェイを端点としたＰＤＮコネクションへの切り替えを許可する許可情報と対応づけられていても良い。
【００８４】
例えば、ＡＰＮ１は、ＳＩＰＴＯ用のＰＤＮコネクションが確立可能なＡＰＮであり、異なるゲートウェイを端点としたＰＤＮコネクションへの切り替えは許可されないＡＰＮであり、ＡＰＮ２は、ＳＩＰＴＯ用のＰＤＮコネクションが確立可能であり、且つ異なるゲートウェイを端点としたＰＤＮコネクションへの切り替えを許可するＡＰＮであり、ＡＰＮ３は、ＳＩＰＴＯ用のＰＤＮコネクションを確立することができず、且つ異なるゲートウェイを端点としたＰＤＮコネクションへの切り替えは許可されないＡＰＮであり、ＡＰＮ４は、ＳＩＰＴＯ用のＰＤＮコネクションを確立することができず、且つ異なるゲートウェイを端点としたＰＤＮコネクションへの切り替えは許可されているＡＰＮなどであってよい。
【００８５】
なお、ＵＥ１０は、このようなＡＰＮを複数保持し、各ＡＰＮに対応するＰＤＮコネクションを確立してもよい。このように、ＵＥ１０は、複数のＰＤＮコネクションを確立することができる。例えば、ＡＰＮ１を用いて確立するオフロード用のＰＤＮコネクションと、ＡＰＮ３を用いて確立するコアネットワーク７を介した通信用のＰＤＮコネクションを確立してもよい。
【００８６】
なお、ＡＰＮを用いてＰＤＮコネクションを確立するとは、ＵＥ１０が少なくともＡＰＮを含めてＰＤＮ接続要求メッセージをＭＭＥ３０に送信し、送信したＰＤＮ接続要求に基づいてＰＤＮコネクションを確立することであってよい。
【００８７】
ベアラＩＤは、ＵＥ１０がＬＴＥ  ＡＮ９内のｅＮＢ２０と接続する際に確立するＵＥ１０とｅＮＢ２０の間の無線通信路である無線ベアラを識別する情報である。
【００８８】
ベアラＩＤはＥＰＳベアラＩＤであっても良く、無線ベアラＩＤであっても良く、ＬＢＩ（Ｌｉｎｋｅｄ  Ｂｅａｒｅｒ  ＩＤ）であって良い。なお、ＬＢＩは、ベアラＩＤと関連付けられる情報である。
【００８９】
また、ＵＥ１０は、最初にＰＤＮへ接続した場合に割り当てられるベアラに対するベアラＩＤをデフォルトベアラとして管理し、同じＰＤＮコネクションにおいて別のベアラが割り当てられた場合には、ＥＰＳベアラＩＤとして管理して良い。
【００９０】
ＰＤＮコネクションＩＤは、ＵＥ１０がＰＧＷ６０またはＬＧＷ４０との間に確立する論理パスであるＰＤＮコネクションを識別する情報である。ＵＥ１０はＭＭＥ３０から通知されたＰＤＮコネクションＩＤを管理して良いし、ＵＥ１０がＰＤＮコネクションを管理するために、独自に設定してＰＤＮコネクションＩＤを管理して良い。
【００９１】
また、ＵＥ１０はネットワーク（ＭＭＥ３０またはｅＮＢ２０）から最適でない第１のＰＤＮコネクションのＰＤＮコネクションＩＤを通知された場合、そのＰＤＮコネクションＩＤを利用して、ＰＤＮ接続手続きを開始して良い。つまり、ＵＥ１０はＰＤＮ接続要求に、ＭＭＥ３０またはｅＮＢ２０から通知されたＰＤＮコネクションＩＤを含めて送信して良い。なお、ＰＤＮコネクションＩＤを含めることにより、ＳＩＰＴＯ用のＰＤＮコネクションを再確立することを示してよい。
【００９２】
なお、ＰＤＮコネクションＩＤはＡＰＮとともに関連付けて管理されて良い。ＰＤＮコネクションＩＤとＡＰＮを関連付けることにより、ネットワーク（ＭＭＥ３０またはｅＮＢ２０）から最適でないＰＤＮコネクションＩＤを通知された場合、ＰＤＮコネクションＩＤと関連付けられるＡＰＮを利用して、ＰＤＮ接続手続きを開始して良い。つまり、ＵＥ１０はＰＤＮ接続要求に、ＭＭＥ３０またはｅＮＢ２０から通知されたＰＤＮコネクションＩＤに関連付けられるＡＰＮを含めて送信して良い。
【００９３】
また、ＵＥ１０はネットワーク（ＭＭＥ３０またはｅＮＢ２０）からＡＰＮを通知された場合、通知されたＡＰＮを利用して、ＰＤＮ接続手続きを開始して良い。つまり、ＵＥ１０はＰＤＮ接続要求に、ＭＭＥ３０またはｅＮＢ２０から通知されたＡＰＮを含めて送信して良い。
【００９４】
また、ＵＥ１０はＰＤＮコネクションＩＤとＡＰＮとネットワーク（ＭＭＥ３０またはｅＮＢ２０）から割り当てられたＩＰアドレスを関連付けて管理して良い。なお、ＩＰアドレスはＰＤＮアドレスであって良い。
【００９５】
ＡＰＮとＩＰアドレスを関連付けることにより、ＵＥ１０がＩＰアドレスを通知された場合、ＩＰアドレスと関連付けられるＡＰＮを利用して、ＰＤＮ接続手続きを開始して良い。つまり、ＵＥ１０はＰＤＮ接続要求に、ＭＭＥ３０から通知されたＩＰアドレスに関連付けられるＡＰＮを含めて送信して良い。
【００９６】
ここで、ＵＥ１０はＰＤＮ接続要求に、ＩＰアドレス（ＰＤＮアドレス）とＡＰＮを含めて送信して良い。
【００９７】
また、ＵＥ１０はＰＤＮコネクションＩＤとＡＰＮとネットワーク（ＭＭＥ３０またはｅＮＢ２０）から割り当てられたベアラＩＤを関連付けて管理して良い。ＰＤＮコネクションＩＤとＡＰＮとベアラＩＤを関連付けることにより、ネットワーク（ＭＭＥ３０またはｅＮＢ２０）からベアラＩＤを通知された場合、ベアラＩＤと関連付けられるＡＰＮを利用して、ＰＤＮ接続手続きを開始して良い。つまり、ＵＥ１０はＰＤＮ接続要求に、ＭＭＥ３０またはｅＮＢ２０から通知されたベアラＩＤに関連付けられるＡＰＮを含めて送信して良い。
【００９８】
また、ＵＥ１０は、ネットワーク（ＭＭＥ３０またはｅＮＢ２０）からベアラＩＤを通知された場合、ベアラＩＤを利用して、ＰＤＮ接続手続きを開始して良い。つまり、ＵＥ１０はＰＤＮ接続要求に、ＭＭＥ３０またはｅＮＢ２０から通知されたベアラＩＤを含めて送信して良い。
【００９９】
なお、ＵＥ１０はＰＤＮ接続要求に、ベアラＩＤを含めることにより、ＳＩＰＴＯ用のＰＤＮコネクションを再確立することを示してよい。
【０１００】
なお、上記では、ＰＤＮコネクションを管理する手法として、ＰＤＮコネクションＩＤを利用して説明したが、ＰＤＮコネクション毎にベアラＩＤやＡＰＮやＩＰアドレスなどが関連付けて管理されていれば、ＰＤＮコネクションＩＤを管理しなくて良い。
【０１０１】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１０２】
基地局識別情報は、ｅＮＢ２０を識別する情報であって良い。また、基地局識別情報は、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１０３】
サービス識別情報は、移動通信事業者がＩＰ移動通信ネットワーク５で提供するサービスを識別する情報である。サービス識別情報は、ＡＰＮであって良いし、ＦＱＤＮ（Ｆｕｌｌｙ  Ｑｕａｌｉｆｉｅｄ  Ｄｏｍａｉｎ  Ｎａｍｅ）などのサービスドメイン識別情報であって良い。これに限らずサービスと対応づけられた識別情報であって良い。さらに、サービスとはＩＭＳに基づいた音声通話サービスや、ビデオ配信サービスなどであって良いし、グループ通信を提供するサービスであって良い。サービス識別情報は、こうしたサービスを識別する識別情報である。
【０１０４】
また、ＳＩＰＴＯ用のＰＤＮコネクションを確立可能なサービス識別情報や、ゲートウェイの異なるＰＤＮコネクションへの切り替え可能なサービス識別情報を管理して良い。
【０１０５】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であって良い。
【０１０６】
例えば、複数の通信端末で同報通話を行う際の、端末グループを識別する情報であってよい。または、通話のためのセッションを識別する情報であって良い。もしくは、複数の通信端末に対して映像配信が行われる際、映像配信を受信する端末をグループとして識別する識別情報であって良いし、複数の映像が有る場合の配信映像を識別する識別情報であって良い。
【０１０７】
グループ識別情報は、ＩＰマルチキャストアドレスであって良いし、通信事業者が割り当てるユーザ認証にもちいる一時的なＩＤであるＴＭＳＩ（Ｔｅｍｐｏｒａｒｙ  Ｍｏｂｉｌｅ  Ｓｕｂｓｃｒｉｂｅｒ  Ｉｄｅｎｔｉｆｙ）であって良い。これに限らずメールアドレスなど、グループを識別する情報であってよい。
【０１０８】
[１．２．２  ｅＮＢの構成]
図５をもとに本実施形態におけるｅＮＢ２０の機能構成を示す。ｅＮＢ２０は、制御部２００に、第１インターフェース部２１０と第２インターフェース部２２０と、データ転送部２３０と、記憶部２４０とがバスを介して接続されている。
【０１０９】
制御部２００は、ｅＮＢ２０を制御するための機能部である。制御部２００は、記憶部２４０に記憶されている各種情報、各種プログラムを読みだして実行することにより各種処理を実現する。
【０１１０】
第１インターフェース部２１０は、ＬＴＥアクセス方式によりＵＥ１０と無線通信路を確立し、無線通信によるデータの送受信を実行する機能部である。第１インターフェース部２１０には、外部アンテナ２１２が接続されている。
【０１１１】
第２インターフェース部２２０は、有線接続によりコアネットワークにコアネットワーク７に接続している。コアネットワーク７への接続は、イーサネット（登録商標）や光ファイバケーブルなどにより接続して良い。
【０１１２】
記憶部２４０は、ｅＮＢ２０の各種動作に必要なプログラム、データ等を記憶する機能部である。記憶部２４０は、例えば、半導体メモリや、ＨＤＤ（Hard Disk Drive）等により構成されている。さらに、記憶部２４０には、ｅＮＢ通信路コンテキスト２４２と近隣ゲートウェイ識別情報２４４が記憶されている。
【０１１３】
ｅＮＢ通信路コンテキスト２４２は、ＵＥ１０との間に確立する通信路に対応づけられて記憶される情報群であり、ＡＰＮ（アクセスポイントネーム）、ベアラＩＤ、ＰＤＮコネクションＩＤ、ＴＥＩＤ（Ｔｕｎｎｅｌ  Ｅｎｄｐｏｉｎｔ  Ｉｄｅｎｔｉｆｉｅｒ）、基地局識別情報、サービス識別情報、グループ識別情報などを含んでも良い。
【０１１４】
ＡＰＮ（アクセスポイントネーム）は、ＩＰ移動通信ネットワーク５においてＵＥ１０が確立するＰＤＮコネクションの端点となるゲートウェイ装置を選択するために使用される識別情報である。また、ＡＰＮは、ＰＤＮ９０に対応づけた識別情報であったよい。ＩＭＳや映像配信など、サービスごとに異なるＰＤＮ９０が構成されている場合には、サービスを識別する識別情報としても使用することができる。なお、ＳＩＰＴＯ可能なＰＤＮコネクションを確立可能なオフロード通信用のＡＰＮと、オフロード通信を行わないＡＰＮとを、異なるＡＰＮとして管理してもよい。この場合、オフロード用のＡＰＮで選択されるゲートウェイは、ＬＧＷ４０であり、オフロード通信を行わないＡＰＮで選択されるゲートウェイは、コアネットワーク７に構成されるＰＧＷ６０であって良い。
【０１１５】
また、ＡＰＮは、異なるゲートウェイを端点としたＰＤＮコネクションへの切り替えを許可する許可情報と対応づけられていても良い。
【０１１６】
例えば、ＡＰＮ１は、ＳＩＰＴＯ用のＰＤＮコネクションが確立可能なＡＰＮであり、異なるゲートウェイを端点としたＰＤＮコネクションへの切り替えは許可されないＡＰＮであり、ＡＰＮ２は、ＳＩＰＴＯ用のＰＤＮコネクションが確立可能であり、且つ異なるゲートウェイを端点としたＰＤＮコネクションへの切り替えを許可するＡＰＮであり、ＡＰＮ３は、ＳＩＰＴＯ用のＰＤＮコネクションを確立することができず、且つ異なるゲートウェイを端点としたＰＤＮコネクションへの切り替えは許可されないＡＰＮであり、ＡＰＮ４は、ＳＩＰＴＯ用のＰＤＮコネクションを確立することができず、且つ異なるゲートウェイを端点としたＰＤＮコネクションへの切り替えは許可されているＡＰＮなどであってよい。
【０１１７】
ベアラＩＤは、ＵＥ１０がｅＮＢ２０と接続する際に確立するＵＥ１０とｅＮＢ２０との間の無線通信路である無線ベアラを識別する情報である。ベアラＩＤはＥＰＳベアラＩＤであっても良く、無線ベアラＩＤであって良い。
【０１１８】
ＰＤＮコネクションＩＤは、ＵＥ１０がＰＧＷ６０またはＬＧＷ４０との間に確立する論理パスであるＰＤＮコネクションを識別する情報である。
【０１１９】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１２０】
基地局識別情報は、ｅＮＢ２０を識別する情報であって良い。また、基地局識別情報は、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１２１】
サービス識別情報は、移動通信事業者がＩＰ移動通信ネットワーク５で提供するサービスを識別する情報である。サービス識別情報は、ＡＰＮであって良いし、ＦＱＤＮ（Ｆｕｌｌｙ  Ｑｕａｌｉｆｉｅｄ  Ｄｏｍａｉｎ  Ｎａｍｅ）などのサービスドメイン識別情報であって良い。これに限らずサービスと対応づけられた識別情報であって良い。さらに、サービスとはＩＭＳに基づいた音声通話サービスや、ビデオ配信サービスなどであって良いし、グループ通信を提供するサービスであって良い。サービス識別情報は、こうしたサービスを識別する識別情報である。
【０１２２】
また、ＳＩＰＴＯ用のＰＤＮコネクションを確立可能なサービス識別情報や異なるゲートウェイを端点としたＰＤＮコネクションへの切り替え可能なサービス識別子を管理して良い。
【０１２３】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であって良い。
【０１２４】
例えば、複数の通信端末で同報通話を行う際の、端末グループを識別する情報であってよい。または、通話のためのセッションを識別する情報であって良い。もしくは、複数の通信端末に対して映像配信が行われる際、映像配信を受信する端末をグループとして識別する識別情報であって良いし、複数の映像が有る場合の配信映像を識別する識別情報であって良い。
【０１２５】
グループ識別情報は、ＩＰマルチキャストアドレスであって良いし、通信事業者が割り当てるユーザ認証に用いる一時的なＩＤであるＴＭＳＩ（Ｔｅｍｐｏｒａｒｙ  Ｍｏｂｉｌｅ  Ｓｕｂｓｃｒｉｂｅｒ  Ｉｄｅｎｔｉｆｙ）であって良い。これに限らずメールアドレスなど、グループを識別する情報であってよい。
【０１２６】
ｅＮＢ通信路コンテキスト２４２は通信路毎に保持して良い。例えば、ＵＥ１０と確立する通信路が複数存在する場合、それぞれの通信路に対してそれぞれ保持して良い。
【０１２７】
ここでｅＮＢ通信路コンテキストの基地局情報は、ＵＥ１０を識別する情報と、ｅＮＢ２０を識別する情報とをそれぞれ記憶して良い。
【０１２８】
一方、近隣ゲートウェイ識別情報２４４では、ｅＮＢ２０が接続するＬＧＷ４０のＬＧＷアドレスを管理する。ｅＮＢ２０は、近隣ゲートウェイ識別情報２４４を管理している場合、ハンドオーバ手続きにおいて、近隣ゲートウェイ識別情報２４４をＭＭＥ３０へ通知して良い。ｅＮＢ２０は、近隣ゲートウェイ識別情報２４４を管理している場合、トラッキングエリア手続きにおいて、近隣ゲートウェイ識別情報２４４をＭＭＥ３０へ通知して良い。ｅＮＢ２０は、近隣ゲートウェイ識別情報２４４を管理している場合、ＰＤＮ接続手続きにおいて、近隣ゲートウェイ識別情報２４４をＭＭＥ３０へ通知して良い。
【０１２９】
ｅＮＢ２０は、近隣ゲートウェイ識別情報２４４をＭＭＥ３０に通知することで、ＭＭＥ３０にＰＤＮコネクションが最適でないことを検出させて良い。ｅＮＢ２０は、近隣ゲートウェイ識別情報２４４をＭＭＥ３０に通知することで、ＭＭＥ３０にＰＤＮ接続手続きにおけるＧＷ選択に利用させて良い。
【０１３０】
また、近隣ゲートウェイ識別情報２４４には、ｅＮＢ２０の近隣のゲートウェイの識別情報を記憶する。ゲートウェイの識別情報はＬＧＷのＩＰアドレスであってもよいし、ＬＨＮ  ＩＤ（Ｌｏｃａｌ  ＨｅＮＢ  ＩＤ）を管理して良い。なお、ＬＨＮ  ＩＤとはＬＧＷ４０またはｅＮＢ２０のネットワークを示すネットワーク識別子である。ＭＭＥ３０は、ＬＨＮ  ＩＤとゲートウェイアドレスを対応づけて記憶しておくことで、ＬＨＮ  ＩＤを基にゲートウェイを特定することができる。
【０１３１】
さらに、ｅＮＢ２０は、ＬＨＮ  ＩＤを管理している場合、ＬＨＮ  ＩＤをＭＭＥ３０へ通知することで、ＭＭＥ３０にＰＤＮコネクションが最適でないことを検出させて良い。ｅＮＢ２０は、ＬＨＮ  ＩＤをＭＭＥ３０に通知することで、ＭＭＥ３０にＰＤＮ接続手続きにおけるＧＷ選択に利用させて良い。
【０１３２】
また、ゲートウェイの識別情報は、ｅＮＢ２０毎に異なる情報を記憶してもよい。例えば、ｅＮＢ２０ＡはＬＧＷ４０ＡのＩＰアドレスを記憶し、ｅＮＢ２０ＢはＬＧＷ４０ＢのＩＰアドレスを記憶してもよい。
【０１３３】
なお、ゲートウェイの識別情報は、Ｌ−ＰＧＷ４４のアドレスであってもよい。例えば、ｅＮＢ２０ＡはＬ−ＰＧＷ４４ＡのＩＰアドレスを記憶し、ｅＮＢ２０Ｂは、Ｌ−ＰＧＷ４４ＢのＩＰアドレスを記憶してもよい。
【０１３４】
また、ゲートウェイの識別情報は、ＰＧＷ６０のＩＰアドレスであっても良い。例えば、ｅＮＢ２０ＡはＰＧＷ６０ＡのＩＰアドレスを記憶し、ｅＮＢ２０Ｂは、ＰＧＷ６０ＢのＩＰアドレスを記憶してもよい。
【０１３５】
データ転送部２３０は、第１インターフェース部２１０を介して受信したＵＥ１０から受信データを、第２インターフェース部２２０を介してＩＰ移動通信ネットワークへ転送し、さらに、第２インターフェース部２２０を介して受信したＵＥ１０宛ての受信データを、第１インターフェース部２１０を用いてＵＥ１０へ転送する機能部である。
【０１３６】
[１．２．３  ＭＭＥの構成]
ＭＭＥ３０は、ＵＥ１０の通信路確立やサービス提供に関して、許可または不許可を決定する制御装置である。
【０１３７】
図５にＭＭＥ３０の機能構成を示す。ＭＭＥ３０は、制御部４００に、ＩＰ移動通信ネットワークインタフェース部４１０と、記憶部４４０とがバスを介して接続されている。
【０１３８】
制御部４００は、ＵＥ１０を制御するための機能部である。制御部４００は、記憶部４４０に記憶されている各種プログラムを読みだして実行することにより各種処理を実現する。
【０１３９】
ＩＰ移動通信ネットワークインタフェース部４１０は、ＭＭＥ３０がＩＰ移動通信ネットワーク５に接続するための機能部である。
【０１４０】
記憶部４４０は、ＵＥ１０の各種動作に必要なプログラム、データ等を記録する機能部である。記憶部４４０は、例えば、半導体メモリや、ＨＤＤ（Ｈａｒｄ  Ｄｉｓｋ  Ｄｒｉｖｅ）等により構成される。さらに、記憶部４４０には、ＭＭＥ通信路コンテキスト４４２と近隣ゲートウェイ識別情報４４４が記憶されている。
【０１４１】
ＭＭＥ通信路コンテキスト４４２は、ＵＥ１０とｅＮＢ２０の間に確立される直接通信路に対応づけられて記憶される情報群であり、ＡＰＮ（アクセスポイントネーム）、ベアラＩＤ、ＰＤＮコネクションＩＤ、ＴＥＩＤ（Ｔｕｎｎｅｌ  Ｅｎｄｐｏｉｎｔ  Ｉｄｅｎｔｉｆｉｅｒ）、基地局識別情報、サービス識別情報、グループ識別情報、ＵＥのケーパビリティを示す情報、ＵＥに対する許可情報などを含んでも良い。
【０１４２】
ＡＰＮ（アクセスポイントネーム）は、ＩＰ移動通信ネットワーク５においてＵＥ１０が確立するＰＤＮコネクションの端点となるゲートウェイ装置を選択するために使用される識別情報である。また、ＡＰＮは、ＰＤＮ９０に対応づけた識別情報であったよい。ＩＭＳや映像配信など、サービスごとに異なるＰＤＮ９０が構成されている場合には、サービスを識別する識別情報としても使用することができる。なお、ＳＩＰＴＯ可能なＰＤＮコネクションを確立可能なオフロード通信用のＡＰＮと、オフロード通信を行わないＡＰＮとを、異なるＡＰＮとして管理してもよい。この場合、オフロード用のＡＰＮで選択されるゲートウェイは、ＬＧＷ４０であり、オフロード通信を行わないＡＰＮで選択されるゲートウェイは、コアネットワーク７に構成されるＰＧＷ６０であって良い。
【０１４３】
また、ＡＰＮは、異なるゲートウェイを端点としたＰＤＮコネクションへの切り替えを許可する許可情報と対応づけられていても良い。
【０１４４】
例えば、ＡＰＮ１は、ＳＩＰＴＯ用のＰＤＮコネクションが確立可能なＡＰＮであり、異なるゲートウェイを端点としたＰＤＮコネクションへの切り替えは許可されないＡＰＮであり、ＡＰＮ２は、ＳＩＰＴＯ用のＰＤＮコネクションが確立可能であり、且つ異なるゲートウェイを端点としたＰＤＮコネクションへの切り替えを許可するＡＰＮであり、ＡＰＮ３は、ＳＩＰＴＯ用のＰＤＮコネクションを確立することができず、且つ異なるゲートウェイを端点としたＰＤＮコネクションへの切り替えは許可されないＡＰＮであり、ＡＰＮ４は、ＳＩＰＴＯ用のＰＤＮコネクションを確立することができず、且つ異なるゲートウェイを端点としたＰＤＮコネクションへの切り替えは許可されているＡＰＮなどであってよい。
【０１４５】
ＭＭＥ３０は、ＵＥ毎に、ＵＥが使用可能なＡＰＮを管理する。ＵＥが使用可能なＡＰＮは複数あってよい。例えば、ＭＭＥ３０は、ＵＥ１０はＡＰＮ１とＡＰＮ２とＡＰＮ３とＡＰＮ４とを用いた接続を許可すると管理してよい。
【０１４６】
ベアラＩＤは、ＵＥ１０がｅＮＢ２０に接続する場合において、ＵＥ１０がｅＮＢ２０と接続する際に確立するＵＥ１０とｅＮＢ２０との間の無線通信路である無線ベアラを識別する情報であって良い。ベアラＩＤはＥＰＳベアラＩＤであっても良く、無線ベアラＩＤであって良い。
【０１４７】
また、ＭＭＥ３０は、最初にＰＤＮへ接続した場合に割り当てるベアラに対するベアラＩＤをデフォルトベアラとして管理し、同じＰＤＮコネクションにおいて別のベアラを割り当てる場合には、ＥＰＳベアラＩＤとして管理して良い。
【０１４８】
ＰＤＮコネクションＩＤは、ＵＥ１０がＰＧＷ６０との間に確立する論理パスであるＰＤＮコネクションを識別する情報である。ＭＭＥ３０はＰＧＷ６０からＰＤＮコネクションＩＤを割り当てられ、ＰＤＮコネクションＩＤを管理して良い。ＭＭＥ３０はＰＧＷ６０から割り当てられたＰＤＮコネクションＩＤをＵＥ１０へ通知して良い。
【０１４９】
ＴＥＩＤは、ＰＤＮコネクションを構成するユーザデータ配送のためのトンネル通信路の識別情報であり、ＧＴＰプロトコルや、Ｍｏｂｉｌｅ  ＩＰプロトコルや、Ｐｒｏｘｙ  Ｍｏｂｉｌｅ  ＩＰプロトコルに基づいて確立されたトンネル通信路の識別情報であってよい。
【０１５０】
基地局識別情報は、ｅＮＢ２０を識別する情報であって良い。また、基地局識別情報は、通信サービスを提供する移動通信事業者を識別する事業者識別コードと、基地局識別コードを組み合わせて構成して良い。これにより、複数の移動通信事業者が提供する複数の移動通信ネットワークにおいて一意な識別情報とすることができる。
【０１５１】
サービス識別情報は、移動通信事業者がＩＰ移動通信ネットワーク５で提供するサービスを識別する情報である。サービス識別情報は、ＡＰＮであって良いし、ＦＱＤＮ（Ｆｕｌｌｙ  Ｑｕａｌｉｆｉｅｄ  Ｄｏｍａｉｎ  Ｎａｍｅ）などのサービスドメイン識別情報であって良い。これに限らずサービスと対応づけられた識別情報であって良い。さらに、サービスとはＩＭＳに基づいた音声通話サービスや、ビデオ配信サービスなどであって良いし、グループ通信を提供するサービスであって良い。サービス識別情報は、こうしたサービスを識別する識別情報である。また、ＳＩＰＴＯ可能なＰＤＮコネクションを確立可能なサービス識別情報や、異なるゲートウェイを端点としたＰＤＮコネクションへの切り替え可能なサービス識別情報であって良い。
【０１５２】
グループ識別情報は、２台以上の通信端末がグループを構成し、グループ間で通信を行う際にグループを識別する情報であってよい。また、グループに対して配送されるコンテンツが複数ある場合、これらのコンテンツを識別する情報であって良い。
【０１５３】
例えば、複数の通信端末で同報通話を行う際の、端末グループを識別する情報であってよい。または、通話のためのセッションを識別する情報であって良い。もしくは、複数の通信端末に対して映像配信が行われる際、映像配信を受信する端末をグループとして識別する識別情報であって良いし、複数の映像が有る場合の配信映像を識別する識別情報であって良い。
【０１５４】
グループ識別情報は、ＩＰマルチキャストアドレスであって良いし、通信事業者が割り当てるユーザ認証にもちいる一時的なＩＤであるＴＭＳＩ（Ｔｅｍｐｏｒａｒｙ  Ｍｏｂｉｌｅ  Ｓｕｂｓｃｒｉｂｅｒ  Ｉｄｅｎｔｉｆｙ）であって良い。これに限らずメールアドレスなど、グループを識別する情報であってよい。
【０１５５】
ＭＭＥ通信路コンテキスト４４２は通信路毎に保持して良い。例えば、ＵＥ１０がｅＮＢ２０と複数の通信路を確立する場合、それぞれの通信路に対してそれぞれ保持して良い。
【０１５６】
また、近隣ゲートウェイ識別情報４４４には、ｅＮＢ２０の近隣のゲートウェイの識別情報を記憶する。
【０１５７】
ゲートウェイの識別情報はＬＧＷのＩＰアドレスであってもよいし、ＬＨＮ  ＩＤ（Ｌｏｃａｌ  ＨｅＮＢ  ＩＤ）を管理して良い。なお、ＬＨＮ  ＩＤとはＬＧＷ４０またはｅＮＢ２０のネットワークを示すネットワーク識別子である。ＭＭＥ３０は、ＬＨＮ  ＩＤとゲートウェイアドレスを対応づけて記憶しておくことで、ＬＨＮ  ＩＤを基にゲートウェイを特定することができる。
【０１５８】
さらに、ｅＮＢ２０は、ＬＨＮ  ＩＤを管理している場合、ＬＨＮ  ＩＤをＭＭＥ３０へ通知することで、ＭＭＥ３０にＰＤＮコネクションが最適でないことを検出させて良い。ｅＮＢ２０は、ＬＨＮ  ＩＤをＭＭＥ３０に通知することで、ＭＭＥ３０にＰＤＮ接続手続きにおけるＧＷ選択に利用させて良い。
【０１５９】
また、ゲートウェイの識別情報は、ｅＮＢ２０毎に異なる情報を記憶してもよい。例えば、ｅＮＢ２０ＡはＬＧＷ４０ＡのＩＰアドレスを記憶し、ｅＮＢ２０ＢはＬＧＷ４０ＢのＩＰアドレスを記憶してもよい。
【０１６０】
なお、ゲートウェイの識別情報は、Ｌ−ＰＧＷ４４のアドレスであってもよい。例えば、ｅＮＢ２０ＡはＬ−ＰＧＷ４４ＡのＩＰアドレスを記憶し、ｅＮＢ２０Ｂは、Ｌ−ＰＧＷ４４ＢのＩＰアドレスを記憶してもよい。
【０１６１】
また、ゲートウェイの識別情報は、ＰＧＷ６０のＩＰアドレスであっても良い。例えば、ｅＮＢ２０ＡはＰＧＷ６０ＡのＩＰアドレスを記憶し、ｅＮＢ２０Ｂは、ＰＧＷ６０ＢのＩＰアドレスを記憶してもよい。
【０１６２】
なお、こうしたゲートウェイの識別情報は、ｅＮＢ２０ＡもしくはｅＮＢ２０Ｂなどの基地局から個別に取得し、各基地局に対応づけて記憶してもよい。また、ＭＭＥ３０は、ｅＮＢ２０から近隣ゲートウェイ識別情報２４４を通知されることで、ＰＤＮコネクションが最適でないことを検出して良い。また、ＭＭＥ３０は、ＰＤＮ接続手続きにおいてｅＮＢ２０から近隣ゲートウェイ識別情報２４４を受信した場合、ＰＤＮ接続手続きにおけるＧＷ選択に利用して良い。
【０１６３】
また、ＭＭＥ３０は近隣ゲートウェイ識別情報４４４とともに、ＬＨＮ  ＩＤ（Ｌｏｃａｌ  ＨｅＮＢ  ＩＤ）を管理して良い。ＭＭＥ３０は、ｅＮＢ２０からＬＨＮ  ＩＤを通知されることで、ＰＤＮコネクションが最適でないことを検出して良い。また、ＭＭＥ３０は、ＰＤＮ接続手続きにおいてｅＮＢ２０からＬＨＮ  ＩＤを受信した場合、ＰＤＮ接続手続きにおけるＧＷ選択に利用して良い。
【０１６４】
なお、ＭＭＥ３０が管理するＵＥのケーパビリティ情報は、オフロード通信路であるＳＩＰＴＯ用のＰＤＮコネクションを確立することができるケーパビリティを示す情報（ケーパビリティ情報１）、通信事業者がＵＥ１０によるオフロード通信路であるＳＩＰＴＯ用のＰＤＮコネクション確立の許可を示す許可情報（許可情報１）などを含んでも良い。
【０１６５】
ここで、ケーパビリティ情報１は、ＳＩＰＴＯ用の通信路を確立することができる能力と、ゲートウェイの異なるＰＤＮコネクションへの切り替えができる能力とを有することを示すケーパビリティ情報であってもよい。
【０１６６】
または、ＭＭＥ３０は、ケーパビリティ情報１を、ＳＩＰＴＯ用の通信路を確立することができる能力を有することを示す能力情報として管理し、ケーパビリティ情報２を、ゲートウェイの異なるＰＤＮコネクションへの切り替えができる能力を有することを示すケーパビリティ情報として管理してもよい。
【０１６７】
さらに、ＭＭＥ３０が管理するＵＥに対する許可情報は、ＳＩＰＴＯ用の通信路を確立することと、ゲートウェイの異なるＰＤＮコネクションへの切り替えとを、通信事業者が許可することを示す許可情報（許可情報１）であってもよい。
【０１６８】
または、ＭＭＥ３０は、許可情報１を、ＳＩＰＴＯ用の通信路を確立することを許可する許可情報として管理し、許可情報２を、ゲートウェイの異なるＰＤＮコネクションへの切り替えを、通信事業者が許可することを示す許可情報として管理してもよい。
【０１６９】
なお、許可情報１は、ＳＩＰＴＯ＠ＬＮを除くＳＩＰＴＯの許可と、ＳＩＰＴＯ＠ＬＮを含むＳＩＰＴＯの許可とを区別して管理されるものであって良い。なお、ＳＩＰＴＯ＠ＬＮは、ＬＧＷ４０を経由してデータの送受信をオフロードすることである。ＳＩＰＴＯ＠ＬＮを除くＳＩＰＴＯは、ＴＯＦ（Ｔｒａｆｆｉｃ  Ｏｆｆｌｏａｄ  Ｆｕｎｃｔｉｏｎ）などを経由してデータの送受信をオフロードすることである。
【０１７０】
また、ＭＭＥ３０は、許可情報１を、ＳＩＰＴＯ＠ＬＮを除くＳＩＰＴＯの許可と、ＳＩＰＴＯ＠ＬＮを含むＳＩＰＴＯの許可とさらに、ゲートウェイの異なるＰＤＮコネクションへの切り替えを許可する情報を区別して管理して良い。
【０１７１】
ＭＭＥ３０は、許可情報１もしくは許可情報２に基づいて、ＵＥ１０に最適でないＰＤＮコネクションを通知し、ＵＥ１０に新たにＰＤＮコネクションを確立させ、最適でないＰＤＮコネクションを削除させてもよい。
【０１７２】
ここで、ＰＤＮコネクションＩＤはＡＰＮとともに関連付けて管理されて良い。ＰＤＮコネクションＩＤとＡＰＮを関連付けることにより、ＭＭＥ３０は、最適でないＰＤＮコネクションを検知した場合、ＵＥ１０にそのＰＤＮコネクションＩＤを通知し、ＰＤＮコネクションＩＤと関連付けられるＡＰＮを利用して、ＰＤＮ接続手続きを開始させて良い。つまり、ＭＭＥ３０は、ＵＥ１０に、ＰＤＮ接続要求に、ＭＭＥ３０が通知したＰＤＮコネクションＩＤに関連付けられるＡＰＮを含めて送信させて良い。
【０１７３】
ＰＤＮコネクションＩＤはベアラＩＤとともに関連付けて管理されて良い。
【０１７４】
また、ＰＤＮコネクションＩＤはＰＤＮ接続手続きにおいてＧＷ選択で選択したＬＧＷ４０のＬＧＷアドレスとともに関連付けて管理されて良い。さらに、ＭＭＥ３０はＰＤＮコネクションＩＤと関連付けて管理されたＬＧＷアドレスと、ｅＮＢ２０から通知されたＬＧＷアドレスを比較して、最適でないＰＤＮコネクションを検出して良い。
【０１７５】
また、ＰＤＮコネクションＩＤはＰＤＮ接続手続きにおいてＧＷ選択で選択したＬＧＷ４０のＬＨＮ  ＩＤとともに関連付けて管理されて良い。さらに、ＭＭＥ３０はＰＤＮコネクションＩＤと関連付けて管理されたＬＨＮ  ＩＤと、ｅＮＢ２０から通知されたＬＨＮ  ＩＤを比較して、最適でないＰＤＮコネクションを検出して良い。
【０１７６】
また、ＭＭＥ３０はＰＤＮコネクションＩＤとＡＰＮとＩＰアドレスを関連付けて管理して良い。ＡＰＮとＩＰアドレスを関連付けることにより、ＭＭＥ３０がＩＰアドレスを通知した場合、ＩＰアドレスと関連付けられるＡＰＮを利用して、ＰＤＮ接続手続きを開始させて良い。つまり、ＭＭＥ３０はＵＥ１０にＰＤＮ接続要求に、ＭＭＥ３０が通知したＩＰアドレスに関連付けられるＡＰＮを含めて送信させて良い。なお、ＩＰアドレスはＰＤＮアドレスであって良い。ここで、ＭＭＥ３０はＵＥ１０にＰＤＮ接続要求にＩＰアドレス（ＰＤＮアドレス）とＡＰＮを含めて送信させて良い。
【０１７７】
また、ＭＭＥ３０はＰＤＮコネクションＩＤとＡＰＮとベアラＩＤを関連付けて管理して良い。ＡＰＮとベアラＩＤを関連付けることにより、ＭＭＥ３０がベアラＩＤを通知した場合、ベアラＩＤと関連付けられるＡＰＮを利用して、ＰＤＮ接続手続きを開始させて良い。つまり、ＭＭＥ３０はＵＥ１０にＰＤＮ接続要求に、ＭＭＥ３０が通知したベアラＩＤに関連付けられるＡＰＮを含めて送信させて良い。
【０１７８】
また、ＭＭＥ３０は、ケーパビリティ情報１もしくはケーパビリティ情報２と、ＡＰＮとを関連付けて管理して良い。ＭＭＥ３０は、ケーパビリティ情報１もしくはケーパビリティ情報２と、ＡＰＮとを関連付けて管理することにより、ＰＤＮコネクションを再確立することを検出するかを決定して良い。
【０１７９】
また、ＭＭＥ３０は、許可情報１または許可情報２と、ＰＤＮコネクションＩＤとを関連付けて管理して良い。ＭＭＥ３０は、許可情報１または許可情報２と、ＰＤＮコネクションＩＤとを管理することにより、異なるゲートウェイを端点とするＰＤＮコネクションへの切り替え処理を実行するか否かを決定してもよい。
【０１８０】
なお、上記では、ＰＤＮコネクションを識別する情報は、ＰＤＮコネクションＩＤに限らず、ベアラＩＤやＡＰＮやＩＰアドレスなどであってもよい。
【０１８１】
［１．３  処理の説明］
続いて、上述した移動通信システムにおける具体的な通信路の切り替え方法を説明する。図５を用いて本実施形態における通信手続きを説明する。
【０１８２】
図５（ａ）では、まずＵＥ１０は第１のＰＤＮコネクションを確立し、第１のＰＤＮコネクションを用いてネットワーク上の通信相手となる端末とデータ通信を行う。
【０１８３】
ここで、第１のＰＤＮコネクションは、オフロード通信用のＰＤＮコネクションであってよい。つまり、第１のＰＤＮコネクションは、ｅＮＢ２０Ａを介して、ＵＥ１０とＬＧＷ４０Ａが確立するＳＩＰＴＯ用のＰＤＮコネクションであってよい。
【０１８４】
なおＬＧＷ４０Ａは、Ｌ−ＳＧＷ４２Ａ、Ｌ−ＰＧＷ４４Ａを含んで構成されてもよい。その場合、第１のＰＤＮコネクションは、ｅＮＢ２０ＡとＬ−ＳＧＷ４２Ａとを介してＵＥ１０とＬ−ＰＧＷ４４Ａが確立するＳＩＰＴＯ用のＰＤＮコネクションであってよい。
【０１８５】
次に、ＵＥ１０は移動に伴い、接続先の基地局をｅＮＢ２０ＡからｅＮＢ２０Ｂに変更する。ここで、移動の手続きは、ハンドオーバ手続きであってもよいし、トラッキングエリア更新手続きであってもよい。なお、トラッキングエリア更新手続きは、データ通信が無い状態であり、無線リソースを解放した状態のアイドルモードにおけるＵＥ１０が移動した際に実行する手続きであってよい。
【０１８６】
ＵＥ１０の移動に伴い、ＵＥ１０は第１のＰＤＮコネクションを維持して通信を継続することができる。その際、第１のＰＤＮコネクションは、図５（ａ）に示すように、ｅＮＢ２０Ｂを介してＵＥ１０とＬＧＷ４０が確立するＰＤＮコネクションとなる。
【０１８７】
なお、ＬＧＷ４０Ａは、Ｌ−ＳＧＷ４２Ａ、Ｌ−ＰＧＷ４４Ａを含んで構成されている場合、第１のＰＤＮコネクションは、ｅＮＢ２０ＢとＬ−ＳＧＷ４２Ｂとを介してＵＥ１０とＬ−ＰＧＷ４４Ａが確立するＳＩＰＴＯ用のＰＤＮコネクションであってよい。
【０１８８】
次に、ＵＥ１０は、第１のＰＤＮコネクションが最適な通信路ではないことを検出し、ＵＥ１０は第２のＰＤＮコネクションを確立する。
【０１８９】
ここで、第２のＰＤＮコネクションは、オフロード通信用のＰＤＮコネクションであってよい。つまり、第２のＰＤＮコネクションは、ｅＮＢ２０Ｂを介して、ＵＥ１０がＬＧＷ４０Ｂと確立するＳＩＰＴＯ用のＰＤＮコネクションであってよい。
【０１９０】
なおＬＧＷ４０Ｂは、Ｌ−ＳＧＷ４２Ｂ、Ｌ−ＰＧＷ４４Ｂを含んで構成されてもよい。その場合、第２のＰＤＮコネクションは、ｅＮＢ２０ＢとＬ−ＳＧＷ４２Ｂとを介してＵＥ１０とＬ−ＰＧＷ４４Ｂが確立するＳＩＰＴＯ用のＰＤＮコネクションであってよい。
【０１９１】
つまり、ＵＥ１０は、第１のＰＤＮコネクションを確立しているＬＧＷ４０Ａより近傍のゲートウェイ装置であるＬＧＷ４０Ｂとの間に新たなＰＤＮコネクションを確立する。
【０１９２】
ここで、ＵＥ１０は、第１のＰＤＮコネクションを維持したまま第２のＰＤＮコネクションを確立してもよい。
【０１９３】
つまり、ＵＥ１０は、第１のＰＤＮコネクションと第２のＰＤＮコネクションを同時に確立した状態で、オフロード通信を第１のＰＤＮコネクションから第２のＰＤＮコネクションに切り替えてもよい。オフロード通信の切り替えとは、ＵＥ１０は第１のＰＤＮコネクションを用いて行っていた通信を、第２のＰＤＮコネクションを用いて行うことであっても良い。
【０１９４】
さらに、オフロード通信の切り替え後、ＵＥ１０は、第１のＰＤＮコネクションを削除してもよい。
【０１９５】
ＵＥ１０は、第２のＰＤＮコネクションを確立した後に、オフロード通信を切り替えることにより、通信路の切り替えによるパケットロス等やディレイを少なくすることができ、シームレス性が向上する。
【０１９６】
以上により、ＵＥ１０は、移動に伴い最適な通信路へ切り替えて通信を継続することできる。
【０１９７】
なお、図５（ａ）に示すように、ｅＮＢ２０Ａの近隣のゲートウェイにはＬＧＷ４０Ａが配置されており、ＭＭＥ３０およびｅＮＢ２０Ａは、近隣ゲートウェイの情報をｅＮＢ２０の識別情報と対応づけて記憶している。なおＬＧＷ４０ＡがＬ−ＰＧＷ４４ＡとＬ−ＳＧＷ４２Ａとに分かれて構成されている場合には、近隣のゲートウェイの識別情報はＬ−ＰＧＷ４４Ａのアドレスであってよい。
【０１９８】
また、ｅＮＢ２０Ｂの近隣のゲートウェイにはＬＧＷ４０Ｂが配置されており、ＭＭＥ３０およびｅＮＢ２０Ｂは、近隣ゲートウェイの情報をｅＮＢ２０Ｂの識別情報と対応づけて記憶している。なお、ＬＧＷ４０ＢがＬ−ＰＧＷ４４ＢとＬ−ＳＧＷ４２Ｂとに分かれて構成されている場合には、近隣のゲートウェイの識別情報はＬ−ＰＧＷ４４Ｂのアドレスであってよい。
【０１９９】
以下では、ＬＧＷ４０はＬ−ＰＧＷ４４とＬ−ＳＧＷ４２とに分かれて構成される場合を中心に説明を行う。Ｌ−ＰＧＷ４４とＬＳＧＷ４２が同一の装置で構成される場合には、以下で説明するＬ−ＰＧＷ４４とＬ―ＳＧＷ４２の間の制御情報の送受信をはじめとする処理は、ＬＧＷ４０の内部処理となる。さらに、以下で説明するＬ−ＰＧＷ４４もしくはＬ―ＳＧＷ４２の制御情報の送受信をはじめとする処理はＬＧＷ４０の処理となる。
【０２００】
以下では、上述した通信手続きの詳細を、図６を用いて説明する。
【０２０１】
通信手続きにおける初期状態では、ＵＥ１０は第１のＰＤＮコネクションを用いてＰＤＮに含まれる通信装置（Ｃｏｒｒｅｓｐｏｎｄｉｎｇ  Ｎｏｄｅ）とデータ送受信を行っている。
【０２０２】
なお、ＵＥ１０は、ＡＰＮ１もしくはＡＰＮ２を用いてアタッチ手続きやＰＤＮコネクティビティ手続きを行い、第１のＰＤＮコネクションを確立してもよい。
【０２０３】
次に、ＵＥ１０の移動に伴い、ハンドオーバ手続きが実行される。（Ｓ６０２）。
【０２０４】
ＵＥ１０は、ハンドオーバ手続き後、第１のＰＤＮコネクションを用いて通信を継続する。ここで、ＵＥ１０は、ハンドオーバ手続きにより、第１のＰＤＮコネクションが最適なＰＤＮコネクションではないことを検出してもよい。
【０２０５】
もしくは、異なるゲートウェイを端点としたＰＤＮコネクションを確立することを検出してもよい。
【０２０６】
これらの検出は、ハンドオーバ手続きにおいて、ｅＮＢ２０ＢもしくはＭＭＥ３０からｉｎｄｉｃａｔｏｒ１などの識別情報を受信することにより検出してもよい。ｉｎｄｉｃａｔｏｒ１は、第１のＰＤＮコネクションが最適なＰＤＮコネクションではないことを示す情報であってもよいし、異なるゲートウェイを端点としたＰＤＮコネクションを確立することができることを示す情報であってもよいし、ＰＤＮコネクションの再確立を指示する情報であってもよい。また、ｉｎｄｉｃａｔｏｒ１は、第１のＰＤＮコネクションの確立に用いたＡＰＮと同じＡＰＮ（ＡＰＮ１またはＡＰＮ２）を用いてＰＤＮコネクションの再確立を指示することを含めた情報であってもよい。
【０２０７】
また、ｉｎｄｉｃａｔｏｒ１は、ＵＥ１０が主導して実行するトラッキングエリア更新手続きを開始するよう指示することを含めた情報であっても良い。
【０２０８】
次に、ＵＥ１０はトラッキングエリア更新手続きのトリガーを検知する（Ｓ６０４）。ＵＥ１０は、ｉｎｄｉｃａｔｏｒ１を受信したことに基づいてトリガーを検出してもよい。もしくは、ＵＥ１０はハンドオーバ後、アイドルモードに遷移したことに基づいてトリガーを検出してもよい。もしくは、ＵＥ１０はハンドオーバ後、アイドルモードに遷移したあと、トラッキングエリア更新を開始する為に用いるタイマーを基に、トリガーを検出してもよい。
【０２０９】
もしくは、ＵＥ１０は、これらの２つ以上の条件を組み合わせてトリガーを検出してもよい。例えば、ＵＥ１０は、アイドルモードに遷移し、且つｉｎｄｉｃａｔｏｒ１を受信していた場合に、トリガーを検出してもよい。
【０２１０】
次に、ＵＥ１０はトリガーの検出に基づいて、トラッキングエリア更新手続きを開始してもよい（Ｓ６０６）。
【０２１１】
また、トラッキングエリア更新手続きでは、ＵＥ１０は、ｉｎｄｉｃａｔｏｒ２などの識別情報をＭＭＥ３０へ通知してもよい。
【０２１２】
ここで、ｉｎｄｉｃａｔｏｒ２は、ＭＭＥ３０が主導して第１のＰＤＮコネクションの削除を実行しないよう要求する情報であってよい。もしくは、異なるゲートウェイを端点としたＰＤＮコネクションを確立することを要求する情報であってもよい。
【０２１３】
また、ｉｎｄｉｃａｔｏｒ２の具体的な情報は、ケーパビリティ情報１もしくはケーパビリティ情報２などの能力情報であってもよい。
【０２１４】
なお、ＵＥ１０は、ｉｎｄｉｃａｔｏｒ２を通知するか否かをｉｎｄｉｃａｔｏｒ１の受信に基づいて決定しても良い。例えば、ｉｎｄｉｃａｔｏｒ１を取得した場合には、ｉｎｄｉｃａｔｏｒ２を通知し、ｉｎｄｉｃａｔｏｒ１を取得していない場合には、ｉｎｄｉｃａｔｏｒ２を通知しなくてもよい。
【０２１５】
もしくは、ＵＥ１０は、能力に応じてｉｎｄｉｃａｔｏｒ２を通知するか否かを決定しても良い。例えば、ケーパビリティ情報１もしくはケーパビリティ情報２を管理している場合には、ｉｎｄｉｃａｔｏｒ２を通知し、ケーパビリティ情報１やケーパビリティ情報２を管理していない場合には、ｉｎｄｉｃａｔｏｒ２を通知しなくてもよい。
【０２１６】
さらに、ＵＥ１０は、トラッキングエリア更新手続きにおいて、ｉｎｄｉｃａｔｏｒ３などの識別情報をＭＭＥ３０から取得しても良い。
【０２１７】
ここで、ｉｎｄｉｃａｔｏｒ３は、第１のＰＤＮコネクションが最適なＰＤＮコネクションではないことを示す情報であってもよいし、異なるゲートウェイを端点としたＰＤＮコネクションを確立することができることを示す情報であってもよいし、ゲートウェイ再配置を指示する情報であってもよいし、ＰＤＮコネクションの再確立を指示する情報であってもよい。また、ｉｎｄｉｃａｔｏｒ３は、第１のＰＤＮコネクションの確立に用いたＡＰＮと同じＡＰＮ（ＡＰＮ１またはＡＰＮ２）を用いてＰＤＮコネクションの再確立を指示することを含めた情報であってもよい。
【０２１８】
なお、ＭＭＥ３０は、異なるゲートウェイを端点としたＰＤＮコネクションを確立できることを検出し、検出に基づいてｉｎｄｉｃａｔｏｒ３を通知してもよい。
【０２１９】
ＭＭＥ３０における検出は、移動先の基地局であるｅＮＢ２０Ｂから取得した情報に基づいて検出してもよい。例えば、ｅＮＢ２０Ｂが送信するゲートウェイの識別情報に基づいて検出してもよい。
【０２２０】
検出結果に加えて、ＭＭＥ３０は、ｉｎｄｉｃａｔｏｒ３を通知するか否かをｉｎｄｉｃａｔｏｒ２の受信に基づいて決定しても良い。例えば、ＭＭＥ３０は、ｉｎｄｉｃａｔｏｒ２を取得した場合には、ｉｎｄｉｃａｔｏｒ３を通知し、ｉｎｄｉｃａｔｏｒ２を取得していない場合には、ｉｎｄｉｃａｔｏｒ３を通知しなくてもよい。
【０２２１】
もしくは、ＭＭＥ３０は、予め保持するＵＥ１０の能力に応じてｉｎｄｉｃａｔｏｒ３を通知するか否かを決定しても良い。例えば、ＵＥ１０のケーパビリティ情報１もしくはケーパビリティ情報２を管理している場合には、ｉｎｄｉｃａｔｏｒ３を通知し、ケーパビリティ情報１やケーパビリティ情報２を管理していない場合には、ｉｎｄｉｃａｔｏｒ３を通知しなくてもよい。
【０２２２】
もしくは、ＭＭＥ３０は、第１のＰＤＮコネクションを確立する際に用いられたＡＰＮに応じてｉｎｄｉｃａｔｏｒ３を通知するか否かを決定しても良い。例えば、ＡＰＮが異なるゲートウェイを端点としたＰＤＮコネクションへの切り替えは許可されたＡＰＮである場合には、ＡＰＮが異なるゲートウェイを端点としたＰＤＮコネクションへの切り替えは許可されたＡＰＮである場合には、ｉｎｄｉｃａｔｏｒ３を通知しなくてもよい。
【０２２３】
また、ＭＭＥ３０は、トラッキングエリア手続きの間、ＭＭＥ３０が主導して実行する第１のＰＤＮコネクションの削除手続きを開始しないことを決定してもよい。
【０２２４】
ＭＭＥ３０は、この決定を、ｉｎｄｉｃａｔｏｒ２の受信に基づいて決定してもよい。例えば、ｉｎｄｉｃａｔｏｒ２を取得した場合には、ＭＭＥ主導のＰＤＮコネクションの削除手続きは実行しないと決定し、ｉｎｄｉｃａｔｏｒ２を取得していない場合には、ＭＭＥ主導のＰＤＮコネクションの削除手続きを開始してもよい。
【０２２５】
もしくは、ＭＭＥ３０は、この決定を、予め保持するＵＥ１０の能力に応じて決定しても良い。例えば、ＵＥ１０のケーパビリティ情報１もしくはケーパビリティ情報２を管理している場合には、ＭＭＥ主導のＰＤＮコネクションの削除手続きは実行しないと決定し、ケーパビリティ情報１やケーパビリティ情報２を管理していない場合には、ＭＭＥ主導のＰＤＮコネクションの削除手続きを開始してもよい。
【０２２６】
もしくは、ＭＭＥ３０は、この決定を、第１のＰＤＮコネクションを確立する際に用いられたＡＰＮに応じて決定しても良い。例えば、ＡＰＮが異なるゲートウェイを端点としたＰＤＮコネクションへの切り替えが許可されたＡＰＮである場合、ＭＭＥ主導のＰＤＮコネクションの削除手続きは実行しないと決定し、ＡＰＮが異なるゲートウェイを端点としたＰＤＮコネクションへの切り替えは許可されたＡＰＮである場合、ＭＭＥ主導のＰＤＮコネクションの削除手続きを開始してもよい。
【０２２７】
また、ＭＭＥ３０は、これらの条件を組み合わせて決定してもよい。
【０２２８】
次に、ＵＥ１０は、ＰＤＮ接続手続きを開始する（Ｓ６０８）。ＵＥ１０は、ｉｎｄｉｃａｔｏｒ１の取得に基づいてＰＤＮ接続手続きを開始してもよい。もしくは、ＵＥ１０は、ｉｎｄｉｃａｔｏｒ３の取得に基づいてＰＤＮ接続手続きを開始してもよい。もしくは、ＵＥ１０は、ｉｎｄｉｃａｔｏｒ１とｉｎｄｉｃａｔｏｒ３を取得していることに基づいてＰＤＮ接続手続きを開始してもよい。
【０２２９】
つまり、ＵＥ１０は、ハンドオーバ手続きに続くトリガーに検出に基づいてＰＤＮ接続手続きを開始してもよいし、トラッキング更新手続きの完了に基づいてＰＤＮ接続手続き開始してもよい。なお、ＰＤＮ接続手続きの開始は、ＵＥ１０による、ＭＭＥ３０へのＰＤＮ接続要求メッセージの送信であってよい。
【０２３０】
なお、ＵＥ１０は、第１のＰＤＮコネクションの確立に用いたＡＰＮと同じＡＰＮを用いてＰＤＮ接続手続きを行っても良い。なお、ＡＰＮを用いたＰＤＮ接続手続きとは、ＵＥ１０により、ＡＰＮを含めたＰＤＮ接続要求メッセージを送信することにより、開始するＰＤＮ接続手続きであってよい。
【０２３１】
もしくは、ＵＥ１０は、異なるＡＰＮを用いてＰＤＮ接続手続きを行っても良い。例えば、ＡＰＮ３もしくはＡＰＮ４を用いて、オフロード用ではないＰＤＮコネクションの確立を要求してもよい。
【０２３２】
もしくは、ＡＰＮ５など、ＡＰＮ１とは異なるＡＰＮを用いてＰＤＮコネクションを確立してもよい。ここで、ＡＰＮ５は、ＡＰＮ１と同様に、ＳＩＰＴＯ用のＰＤＮコネクションが確立可能なＡＰＮであり、異なるゲートウェイを端点としたＰＤＮコネクションへの切り替えは許可されないＡＰＮであってもよい。
【０２３３】
もしくは、ＡＰＮ６など、ＡＰＮ２とは異なるＡＰＮを用いてＰＤＮコネクションを確立してもよい。ここで、ＡＰＮ６は、ＡＰＮ２と同様に、ＳＩＰＴＯ用のＰＤＮコネクションが確立可能なＡＰＮであり、異なるゲートウェイを端点としたＰＤＮコネクションへの切り替えは許可されたＡＰＮであってもよい。
【０２３４】
ＵＥ１０は、ＰＤＮ接続手続きを実行し、第２のＰＤＮコネクションを確立する。
【０２３５】
このように、ＵＥ１０は、第１のＰＤＮコネクションを確立した状態のまま、第２のＰＤＮコネクションを確立することができる。
【０２３６】
なお、ＵＥ１０は、第２のＰＤＮコネクションの確立に基づいて、第１のＰＤＮコネクションを用いていた通信を、第２のＰＤＮコネクションに切り替えて通信を継続しても良い。
【０２３７】
より具体的には、ＵＥ１０は、第１のＰＤＮコネクションに対応づけられていた通信フローの情報やルーティング情報を、第２のＰＤＮコネクションに対応づけて管理することにより、ＰＤＮコネクションの切り替えを実行してもよい。
【０２３８】
ＵＥ１０は、ＰＤＮコネクションの切り替えにおいて、ＩＰアドレスを変更して通信を継続してもよい。より具体的には、第１のＰＤＮコネクションに対応づけられたＩＰアドレスから、第２のＰＤＮコネクションに対応づけられたＩＰアドレスに変更してもよい。なお、ＵＥ１０は、ＩＰアドレスをＰＤＮ接続手続きにより取得してもよい。
【０２３９】
次に、ＰＤＮ接続手続きを完了した後、ＰＤＮ切断手続きを行う（Ｓ６１０）。ここで、ＰＤＮ接続手続きにより、最適でない第１のＰＤＮコネクションを削除することができる。
【０２４０】
ＰＤＮ切断手続きは、ＵＥ１０主導のＰＤＮ切断手続きであってもよいし、ＭＭＥ３０主導のＰＤＮ切断手続きであってもよい。
【０２４１】
なお、ＵＥ１０はＰＤＮコネクション接続手続きが完了した場合、即座にＵＥ１０に要求されるＰＤＮ切断手続きを開始して良いし、データの送受信をＰＤＮ接続手続きで確立したＰＤＮコネクションに移した後、ＵＥ１０に要求されるＰＤＮ切断手続きを開始して良いし、データの送受信が完了してアイドルモードに遷移したことをトリガーとして、ＵＥ１０に要求されるＰＤＮ切断手続きを開始して良い。
【０２４２】
一方、ＭＭＥ３０はＰＤＮコネクションを確立するためのＰＤＮ接続手続きに連動して、ＭＭＥ３０に要求されるＰＤＮ切断手続きを開始して良い。ＭＭＥ３０は、ＰＤＮ接続手続きにおけるＰＤＮ接続要求に含まれるＰＤＮコネクションを再確立する情報により、ＭＭＥ３０に要求されるＰＤＮ切断手続きを開始して良い。
【０２４３】
ＭＭＥ３０がＰＤＮ切断の対象となるＰＤＮコネクションの選択方法は、ＵＥ１０が送信するＰＤＮ接続要求に含まれるＰＤＮ切断手続きを開始させることを示す情報によって判断する。ＭＭＥ３０は、ＵＥ１０が確立したＰＤＮコネクションに関する情報を管理しており、ＰＤＮ接続要求に含まれる情報を利用して、ＰＤＮ切断の対象となるＰＤＮコネクションを選択すればよい。
【０２４４】
以上の処理の流れにより、ＵＥ１０は最適でない第１のＰＤＮコネクションによるデータの送受信を維持するのではなく、最適な第２のＰＤＮコネクションにより、データの送受信を開始することができる。
【０２４５】
さらに、本実施形態は、第１のＰＤＮコネクションを削除後に第２のＰＤＮコネクションを確立した場合にくらべ、パケットロスや切り替えディレイの少ないシームレス性の高い切り替えを実行することができる。
【０２４６】
[１．３．１  ハンドオーバ手続き１]
次に、図６を用いて説明したハンドオーバ手続き（Ｓ６０２）のより詳細な手続きの一例を、ハンドオーバ手続き１として図７を用いて説明する。
【０２４７】
ハンドオーバ手続き１における初期状態では、ＵＥ１０は、ｅＮＢ２０Ａに接続しており、第１のＰＤＮコネクションを確立している。ＵＥ１０は、第１のＰＤＮコネクションを用いてＰＤＮ９０に含まれる通信装置（Ｃｏｒｒｅｓｐｏｎｄｉｎｇ  Ｎｏｄｅ）とデータ送受信が可能な状態である。
【０２４８】
なお、ＵＥ１０は、ＡＰＮ２を用いて第１のＰＤＮコネクションを確立している。したがって、第１のＰＤＮコネクションは、ｅＮＢ２０ＡとＬ−ＳＧＷ４２Ａを介して、ＵＥ１０とＬ−ＰＧＷ４４Ａが確立するＳＩＰＴＯ用のＰＤＮコネクションであってよい。
【０２４９】
ＵＥ１０の移動元の基地局であるｅＮＢ２０Ａは、ハンドオーバ決定処理を実行する（Ｓ７０２）。ｅＮＢ２０Ａは、ハンドオーバ決定処理により、ＵＥ１０がｅＮＢ２０Ｂに接続先を切り替えるためのハンドオーバ手続きを開始することを決定する。なお、ハンドオーバの決定は、ＵＥ１０が送信する周辺基地局の計測結果に基づいて決定してもよい。
【０２５０】
ｅＮＢ２０Ａは、ハンドオーバの決定に基づいて、ハンドオーバ要求メッセージをｅＮＢ２０Ｂに送信する（Ｓ７０４）。
【０２５１】
ここで、ｅＮＢ２０Ａの送信するハンドオーバ要求には、ｅＮＢ２０Ａが管理する近隣ゲートウェイ識別情報２４４を含めて送信してもよい。
【０２５２】
次に、ｅＮＢ２０Ｂは、ｅＮＢ２０Ａからハンドオーバ要求を受信に伴い、ハンドオーバ要求に含まれる近隣ゲートウェイの識別情報を取得してもよい。
【０２５３】
さらに、ｅＮＢ２０Ｂは、ゲートウェイスイッチの要否を検出してもよい。ここで、ゲートウェイスイッチとは、ＵＥ１０が現在確立しているＰＤＮコネクションを、新たなＰＤＮコネクションを再確立して切り替えることを検出することであってよい。さらに、新たなＰＤＮコネクションは、現在確立しているＰＤＮコネクションとは異なるゲートウェイを端点として確立するＰＤＮコネクションであってよい。以下に、具体的な検出方法を説明する。
【０２５４】
ｅＮＢ２０Ｂは、ｅＮＢ２０Ｂの近隣ゲートウェイ識別情報２４４と、取得したｅＮＢ２０Ａの近隣ゲートウェイの識別情報が異なることを検出して、ゲートウェイスイッチを行うことを決定してもよい。
【０２５５】
既に説明したように、ゲートウェイの識別情報は、Ｌ−ＰＧＷもしくはＬＧＷアドレスであってもよいし、ＬＨＮ  ＩＤであってもよい。
【０２５６】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ゲートウェイスイッチを行うと決定しても良い。
【０２５７】
もしくは、ｅＮＢ２０Ａは、ＵＥ１０が現在確立しているＰＤＮコネクションの端点のゲートウェイの識別情報と、取得したｅＮＢ２０Ｂの近隣ゲートウェイの識別情報が異なることを検出して、ゲートウェイスイッチを行うことを決定してもよい。
【０２５８】
既に説明したように、ゲートウェイの識別情報は、ＬＨＮ  ＩＤであってよい。ここで、ｅＮＢ２０ＡはＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０２５９】
さらに、ｅＮＢ２０Ｂは新たなＰＤＮコネクションの端点となるゲートウェイ装置を、近隣ゲートウェイの識別情報を基に決定しても良い。例えば、ｅＮＢ２０Ｂの近隣ゲートウェイであるＬＧＷ４０Ｂ（またはＬ−ＰＧＷ４４Ｂ）を新たなＰＤＮコネクションの端点として選択しても良い。
【０２６０】
このように、ｅＮＢ２０Ｂは近隣ゲートウェイの識別情報を用いて現在ＵＥ１０が確立するＰＤＮコネクションが最適でないことを検出して良い。また、最適なＰＤＮコネクションを再確立することを検出して良い。
【０２６１】
なお、ゲートウェイの識別情報がＬＨＮ−ＩＤであった場合にも、同様の手法によりゲートウェイスイッチの要否を検出することができる。
【０２６２】
さらに、ゲートウェイスイッチを行うか否かは、ＵＥ１０の許可情報に基づいて決定されてもよい。
【０２６３】
例えば、ｅＮＢ２０Ｂは、許可情報２もしくは許可情報４のように、ＵＥ１０が、異なるゲートウェイを端点とするＰＤＮコネクションへの切り替えが許可されている場合には、ゲートウェイスイッチを行うと決定してもよい。
【０２６４】
もしくは、ゲートウェイスイッチを行うか否かは、ＵＥ１０の許可情報に基づいて決定されてもよい。
【０２６５】
例えば、ｅＮＢ２０Ｂは、許可情報２のように、ＵＥ１０が、異なるゲートウェイを端点とするＰＤＮコネクションへの切り替えが許可されている場合には、ゲートウェイスイッチを行うと決定してもよい。
【０２６６】
もしくは、ｅＮＢ２０Ｂは、許可情報１のように、ＵＥ１０が、ＳＩＰＴＯ用のＰＤＮコネクションを確立することが許可されている場合には、ゲートウェイスイッチを行うと決定してもよい。
【０２６７】
なお、どのような許可情報に基づいて決定するかは、通信事業者によって設定されてよい。
【０２６８】
もしくは、ゲートウェイスイッチを行うか否かは、ＵＥ１０の能力情報に基づいて決定されてもよい。
【０２６９】
例えば、ｅＮＢ２０Ｂは、ケーパビリティ情報２のように、ＵＥ１０が、異なるゲートウェイを端点とするＰＤＮコネクションへの切り替えることができる場合には、ゲートウェイスイッチを行うと決定してもよい。
【０２７０】
もしくは、ｅＮＢ２０Ｂは、ケーパビリティ情報１のように、ＵＥ１０が、ＳＩＰＴＯ用のＰＤＮコネクションを確立することができる場合には、ゲートウェイスイッチを行うと決定してもよい。
【０２７１】
なお、どのような能力情報に基づいて決定するかは、通信事業者によって設定されてよい。
【０２７２】
もしくは、ゲートウェイスイッチを行うか否かは、ＡＰＮに基づいて決定されてもよい。
【０２７３】
例えば、ｅＮＢ２０Ｂは、現在確立しているＰＤＮコネクションを確立するためにＵＥ１０が使用したＡＰＮが、異なるゲートウェイを端点とするＰＤＮコネクションへの切り替えを許可されたＡＰＮである場合、ゲートウェイスイッチを行うと決定してもよい。
【０２７４】
もしくは、ｅＮＢ２０Ｂは、現在確立しているＰＤＮコネクションを確立するためにＵＥ１０が使用したＡＰＮが、ＳＩＰＴＯ用のＰＤＮコネクションの確立を許可するＡＰＮである場合、ゲートウェイスイッチを行うと決定してもよい。
【０２７５】
なお、どのような能力情報に基づいて決定するかは、通信事業者によって設定されてよい。
【０２７６】
また、ゲートウェイスイッチを行うか否かは、これまで説明した条件を２つ以上組み合わせて決定されても良い。
【０２７７】
これにより、再確立するＰＤＮコネクションは、許可情報１または、許可情報２などの許可情報に関連付けて管理するＰＤＮコネクションであって良い。また、上記、再確立するＰＤＮコネクションは、ケーパビリティ情報１またはケーパビリティ情報２などの能力情報に関連づけて管理するＰＤＮコネクションであって良い。
【０２７８】
また、再確立するＰＤＮコネクションは、複数確立したＰＤＮコネクションのうちの一部であってよい。つまり、ＵＥ１０は複数確立しているＰＤＮコネクションから再確立するＰＤＮコネクションを選択し、新たなＰＤＮコネクションを確立することができる。さらに、ＵＥ１０は、再確立すると選択したＰＤＮコネクションを用いた通信を、新たに確立したＰＤＮコネクションに切り替えて通信を継続する。
【０２７９】
なお、ＵＥ１０は、ＡＰＮ等の識別情報に基づいて再確立するＰＤＮコネクションを選択してもよい。例えば、ＵＥ１０は、異なるゲートウェイを端点としたＰＤＮコネクションへの切り替えが許可されたＡＰＮを用いて確立したＰＤＮコネクションを選択してもよい。もしくは、ＳＩＰＴＯ用のＰＤＮコネクションの確立が許可されたＡＰＮを用いて確立したＰＤＮコネクションを選択してもよい。もしくは、コアネットワーク７から切り替えるＰＤＮコネクションの識別情報を受信し、識別情報に基づいてＰＤＮコネクションを選択してもよい。より具体的には、ＭＭＥ３０などのコアネットワーク７に含まれて配置される装置からＰＤＮコネクションの識別情報を受信して、ＰＤＮコネクションを選択してもよい。
【０２８０】
なお、本実施形態においては、再確立するＰＤＮコネクションは、第１のＰＤＮコネクションとして説明する。
【０２８１】
以上のゲートウェイスイッチの検出により、ゲートウェイスイッチを検出した場合には、ｅＮＢ２０Ｂは、ハンドオーバ要求メッセージに対する応答として送信するハンドオーバ要求応答メッセージにｉｎｄｉｃａｔｏｒ１を含めてｅＮＢ２０Ｂに送信してもよい。なお、検出しなかった場合には、ｅＮＢ２０Ｂはｉｎｄｉｃａｔｏｒ１を含めずにハンドオーバ要求応答メッセージをｅＮＢ２０Ａに送信してもよい。
ｅＮＢ２０Ａは、ハンドオーバ要求応答メッセージを受信する。さらに、ハンドオーバ要求応答メッセージの受信に基づいて、ＲＲＣ再設定要求メッセージをＵＥ１０に送信する（Ｓ７０８）。ＲＲＣ再設定要求メッセージには、ｅＮＢ２０を識別する情報を含めて送信し、新たな接続先を通知しても良い。
【０２８２】
さらに、ｅＮＢ２０Ａは、ｅＮＢ２０Ｂから受信したｉｎｄｉｃａｔｏｒ１などの識別情報を含めてＲＲＣ再設定要求メッセージを送信してもよい。
【０２８３】
ｅＮＢ２０Ａは、ｅＮＢ２０Ｂからｉｎｄｉｃａｔｏｒ１を受信した場合には、ｉｎｄｉｃａｔｏｒ１を含めてＲＲＣ再設定要求メッセージＲＲＣ再設定要求メッセージを送信し、ｅＮＢ２０Ｂからｉｎｄｉｃａｔｏｒ１を受信した場合には、ｉｎｄｉｃａｔｏｒ１を含めずにＲＲＣ再設定要求メッセージを送信してもよい。
【０２８４】
ＵＥ１０は、ＲＲＣ再設定要求メッセージを受信する。これにより、ＵＥ１０は、ＲＲＣ再設定要求メッセージに含まれるｉｎｄｉｃａｔｏｒ１を取得することができる。
【０２８５】
なお、ゲートウェイスイッチの要否の検出は、ｅＮＢ２０Ｂに限らず、ｅＮＢ２０Ａが行っても良い。
【０２８６】
例えば、ｅＮＢ２０Ｂはハンドオーバ応答メッセージのｉｎｄｉｃａｔｏｒ１を含めて送信するのではなく、ｅＮＢ２０Ｂが管理する近隣ゲートウェイ識別情報２４４を含めて送信してもよい。
【０２８７】
次に、ｅＮＢ２０Ａは、ｅＮＢ２０Ｂからハンドオーバ要求応答の受信に伴い、ハンドオーバ要求応答に含まれる近隣ゲートウェイの識別情報を取得してもよい。
【０２８８】
ここで、ｅＮＢ２０Ａは、ゲートウェイスイッチの要否を検出してもよい。ここで、ゲートウェイスイッチとは、ＵＥ１０が現在確立しているＰＤＮコネクションを、新たなＰＤＮコネクションを再確立して切り替えることを検出することであってよい。さらに、新たなＰＤＮコネクションは、現在確立しているＰＤＮコネクションとは異なるゲートウェイを端点として確立するＰＤＮコネクションであってよい。以下に、具体的な検出方法を説明する。
【０２８９】
ｅＮＢ２０Ａは、ｅＮＢ２０Ａの近隣ゲートウェイ識別情報２４４と、取得したｅＮＢ２０Ｂの近隣ゲートウェイの識別情報が異なることを検出して、ゲートウェイスイッチを行うことを決定してもよい。
【０２９０】
既に説明したように、ゲートウェイの識別情報は、Ｌ−ＰＧＷもしくはＬＧＷアドレスであってもよいし、ＬＨＮ  ＩＤであってもよい。
【０２９１】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ＭＭＥ３０はゲートウェイスイッチを行うと決定しても良い。
【０２９２】
もしくは、ｅＮＢ２０Ａは、ＵＥ１０が現在確立しているＰＤＮコネクションの端点のゲートウェイの識別情報と、取得したｅＮＢ２０Ｂの近隣ゲートウェイの識別情報が異なることを検出して、ゲートウェイスイッチを行うことを決定してもよい。
【０２９３】
既に説明したように、ゲートウェイの識別情報はＬＨＮ  ＩＤであってよく、ｅＮＢ２０ＡはＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０２９４】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ゲートウェイスイッチを行うと決定しても良い。
【０２９５】
さらに、ｅＮＢ２０Ａは新たなＰＤＮコネクションの端点となるゲートウェイ装置を、近隣ゲートウェイの識別情報を基に決定しても良い。例えば、ｅＮＢ２０Ｂの近隣ゲートウェイであるＬＧＷ４０Ｂ（またはＬ−ＰＧＷ４４Ｂ）を新たなＰＤＮコネクションの端点として選択しても良い。
【０２９６】
このように、ｅＮＢ２０Ａは近隣ゲートウェイの識別情報を用いて現在ＵＥ１０が確立するＰＤＮコネクションが最適でないことを検出して良い。また、最適なＰＤＮコネクションを再確立することを検出して良い。
【０２９７】
なお、ゲートウェイの識別情報がＬＨＮ−ＩＤであった場合にも、同様の手法によりゲートウェイスイッチの要否を検出することができる。
【０２９８】
さらに、ゲートウェイスイッチを行うか否かは、ＵＥ１０の許可情報に基づいて決定されてもよい。
【０２９９】
例えば、ｅＮＢ２０Ａは、許可情報２もしくは許可情報４のように、ＵＥ１０が、異なるゲートウェイを端点とするＰＤＮコネクションへの切り替えが許可されている場合には、ゲートウェイスイッチを行うと決定してもよい。
【０３００】
もしくは、ゲートウェイスイッチを行うか否かは、ＵＥ１０の許可情報に基づいて決定されてもよい。
【０３０１】
例えば、ｅＮＢ２０Ａは、許可情報２のように、ＵＥ１０が、異なるゲートウェイを端点とするＰＤＮコネクションへの切り替えが許可されている場合には、ゲートウェイスイッチを行うと決定してもよい。
【０３０２】
もしくは、ｅＮＢ２０Ａは、許可情報１のように、ＵＥ１０が、ＳＩＰＴＯ用のＰＤＮコネクションを確立することが許可されている場合には、ゲートウェイスイッチを行うと決定してもよい。
【０３０３】
なお、どのような許可情報に基づいて決定するかは、通信事業者によって設定されてよい。
【０３０４】
もしくは、ゲートウェイスイッチを行うか否かは、ＵＥ１０の能力情報に基づいて決定されてもよい。
【０３０５】
例えば、ｅＮＢ２０Ａは、ケーパビリティ情報２のように、ＵＥ１０が、異なるゲートウェイを端点とするＰＤＮコネクションへの切り替えることができる場合には、ゲートウェイスイッチを行うと決定してもよい。
【０３０６】
もしくは、ｅＮＢ２０Ａは、ケーパビリティ情報１のように、ＵＥ１０が、ＳＩＰＴＯ用のＰＤＮコネクションを確立することができる場合には、ゲートウェイスイッチを行うと決定してもよい。
【０３０７】
なお、どのような能力情報に基づいて決定するかは、通信事業者によって設定されてよい。
【０３０８】
もしくは、ゲートウェイスイッチを行うか否かは、ＡＰＮに基づいて決定されてもよい。
【０３０９】
例えば、ｅＮＢ２０Ａは、現在確立しているＰＤＮコネクションを確立するためにＵＥ１０が使用したＡＰＮが、異なるゲートウェイを端点とするＰＤＮコネクションへの切り替えを許可されたＡＰＮである場合、ゲートウェイスイッチを行うと決定してもよい。
【０３１０】
もしくは、ｅＮＢ２０Ａは、現在確立しているＰＤＮコネクションを確立するためにＵＥ１０が使用したＡＰＮが、ＳＩＰＴＯ用のＰＤＮコネクションの確立を許可するＡＰＮである場合、ゲートウェイスイッチを行うと決定してもよい。
【０３１１】
なお、どのような能力情報に基づいて決定するかは、通信事業者によって設定されてよい。
【０３１２】
また、ゲートウェイスイッチを行うか否かは、これまで説明した条件を２つ以上組み合わせて決定しても良い。
【０３１３】
これにより、再確立するＰＤＮコネクションは、許可情報１または、許可情報２などの許可情報に関連付けて管理するＰＤＮコネクションであって良い。また、上記、再確立するＰＤＮコネクションは、ケーパビリティ情報１またはケーパビリティ情報２などの能力情報に関連づけて管理するＰＤＮコネクションであって良い。
【０３１４】
また、再確立するＰＤＮコネクションは、複数確立したＰＤＮコネクションのうちの一部であってよい。本実施形態においては、再確立するＰＤＮコネクションは、第１のＰＤＮコネクションとする。
【０３１５】
以上のゲートウェイスイッチの検出により、ゲートウェイスイッチを検出した場合には、ｅＮＢ２０Ａは、ＲＲＣ再設定要求メッセージにｉｎｄｉｃａｔｏｒ１を含めてＵＥ１０に送信してもよい。なお、検出しなかった場合には、ｅＮＢ２０Ａはｉｎｄｉｃａｔｏｒ１を含めずにＲＲＣ再設定要求メッセージをＵＥ１０に送信してもよい。
【０３１６】
ＵＥ１０は、ＲＲＣ再設定要求メッセージを受信後、ＵＥ１０は、メッセージの受信に基づいて、古いセルからデタッチし、新しいセルへ同期する（Ｓ７１０）。ここで古いセルとはｅＮＢ２０Ａが形成するセルのことであり、新しいセルとはｅＮＢ２０Ｂ形成するセルのことである。
【０３１７】
さらに、ＵＥ１０は、新しいセルに同期した後、ＲＲＣ再設定完了メッセージをｅＮＢ２０Ｂに送信する。
【０３１８】
また、ｅＮＢ２０Ａは、ＲＲＣ再設定要求メッセージの送信後、ＳＮ状態送信メッセージをｅＮＢ２０Ｂに送信する。さらに、ＳＮ状態送信メッセージを送信後、ｅＮＢ２０Ｂへデータ転送を開始する。ここで、データ転送とは、Ｌ−ＳＧＷ４２Ａから受信している、ＵＥ１０に宛てたユーザデータを、ｅＮＢ２０Ｂに転送することである。
【０３１９】
次に、ｅＮＢ２０Ｂはパススイッチ要求をＭＭＥ３０へ送信する（Ｓ７１６）。
【０３２０】
一方、ＭＭＥ３０はパススイッチ要求により、ｅＮＢ２０Ｂからのデータの送信先であるＬ−ＳＧＷ４２Ｂへセッション生成要求を送信して良い（Ｓ７１８）。また、Ｌ−ＳＧＷ４２ＢはＬ−ＰＧＷ４４Ａへベアラ変更要求を送信して良い（Ｓ７２０）。また、Ｌ−ＰＧＷ４４ＡはＬ−ＳＧＷ４２Ｂへベアラ変更応答を送信して良い（Ｓ７２２）。Ｌ−ＳＧＷ４２ＢはＭＭＥ３０へセッション生成応答を送信して良い（Ｓ７２４）。
【０３２１】
次に、ＭＭＥ３０は、受信したパススイッチ要求の応答として、パススイッチ応答をｅＮＢ２０Ｂへ送信する（Ｓ７２６）。
【０３２２】
なお、これまでの手続きでは、ｅＮＢ２０ＢがｅＮＢ２０Ａを介してＵＥ１０にｉｎｄｉｃａｔｏｒ１を通知する方法を説明したが、通知方法は他の方法であってもよい。
【０３２３】
例えば、ＭＭＥ３０は、ｅＮＢ２０Ｂを介してＵＥ１０にｉｎｄｉｃａｔｏｒ１を通知してもよい。以下に、具体的な方法を説明する。
【０３２４】
Ｓ７１６で説明した、ｅＮＢ２０Ｂの送信するパススイッチ要求は、ｅＮＢ２０Ｂが管理する近隣ゲートウェイ識別情報２４４を含めて送信されてもよい。
【０３２５】
次に、ＭＭＥ３０は、ｅＮＢ２０Ｂからパススイッチ要求の受信に伴い、パススイッチ要求に含まれる近隣ゲートウェイの識別情報を取得し、近隣ゲートウェイ識別情報４４４に記憶してもよい。なお、ＭＭＥ３０は、近隣ゲートウェイ識別情報４４４とｅＮＢ２０Ｂとを対応づけて記憶してもよい。
【０３２６】
次に、ＭＭＥ３０は、ゲートウェイスイッチの要否を検出してもよい。ここで、ゲートウェイスイッチとは、ＵＥ１０が現在確立しているＰＤＮコネクションを、新たなＰＤＮコネクションを再確立して切り替えることを検出することであってよい。さらに、新たなＰＤＮコネクションは、現在確立しているＰＤＮコネクションとは異なるゲートウェイを端点として確立するＰＤＮコネクションであってよい。以下に、具体的な検出方法を説明する。
【０３２７】
ＭＭＥ３０は、ｅＮＢ２０Ｂの近隣ゲートウェイの識別情報と、ｅＮＢ２０Ａの近隣ゲートウェイの識別情報が異なることを検出して、ゲートウェイスイッチを行うことを決定してもよい。
【０３２８】
既に説明したように、ゲートウェイの識別情報は、Ｌ−ＰＧＷもしくはＬＧＷアドレスであってもよいし、ＬＨＮ  ＩＤであってもよい。
【０３２９】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ＭＭＥ３０はゲートウェイスイッチを行うと決定しても良い。
【０３３０】
もしくは、ＭＭＥ３０は、ＵＥ１０が現在確立しているＰＤＮコネクションの端点のゲートウェイの識別情報と、取得したｅＮＢ２０Ｂの近隣ゲートウェイの識別情報が異なることを検出して、ゲートウェイスイッチを行うことを決定してもよい。
【０３３１】
既に説明したように、ゲートウェイの識別情報は、ＬＨＮ  ＩＤであってよく、ｅＮＢ２０ＡはＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０３３２】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ゲートウェイスイッチを行うと決定しても良い。
【０３３３】
さらに、ＭＭＥ３０は新たなＰＤＮコネクションの端点となるゲートウェイ装置を、近隣ゲートウェイの識別情報を基に決定しても良い。例えば、ＭＭＥ３０はｅＮＢ２０の近隣ゲートウェイであるＬＧＷ４０Ｂ（またはＬ−ＰＧＷ４４Ｂ）を新たなＰＤＮコネクションの端点として選択しても良い。
【０３３４】
このように、ＭＭＥ３０は近隣ゲートウェイ識別情報を用いて現在ＵＥ１０が確立するＰＤＮコネクションが最適でないことを検出して良い。また、最適なＰＤＮコネクションを再確立することを検出して良い。
【０３３５】
なお、ゲートウェイの識別情報がＬＨＮ−ＩＤであった場合にも、同様の手法によりゲートウェイスイッチの要否を検出することができる。
【０３３６】
さらに、ゲートウェイスイッチを行うか否かは、ＵＥ１０の許可情報に基づいて決定されてもよい。
【０３３７】
例えば、ＭＭＥ３０は、許可情報２もしくは許可情報４のように、ＵＥ１０が、異なるゲートウェイを端点とするＰＤＮコネクションへの切り替えが許可されている場合には、ゲートウェイスイッチを行うと決定してもよい。
【０３３８】
もしくは、ゲートウェイスイッチを行うか否かは、ＵＥ１０の許可情報に基づいて決定されてもよい。
【０３３９】
例えば、ＭＭＥ３０は、許可情報２のように、ＵＥ１０が、異なるゲートウェイを端点とするＰＤＮコネクションへの切り替えが許可されている場合には、ゲートウェイスイッチを行うと決定してもよい。
【０３４０】
もしくは、ＭＭＥ３０は、許可情報１のように、ＵＥ１０が、ＳＩＰＴＯ用のＰＤＮコネクションを確立することが許可されている場合には、ゲートウェイスイッチを行うと決定してもよい。
【０３４１】
なお、どのような許可情報に基づいて決定するかは、通信事業者によって設定されてよい。
【０３４２】
もしくは、ゲートウェイスイッチを行うか否かは、ＵＥ１０の能力情報に基づいて決定されてもよい。
【０３４３】
例えば、ＭＭＥ３０は、ケーパビリティ情報２のように、ＵＥ１０が、異なるゲートウェイを端点とするＰＤＮコネクションへの切り替えることができる場合には、ゲートウェイスイッチを行うと決定してもよい。
【０３４４】
もしくは、ＭＭＥ３０は、ケーパビリティ情報１のように、ＵＥ１０が、ＳＩＰＴＯ用のＰＤＮコネクションを確立することができる場合には、ゲートウェイスイッチを行うと決定してもよい。
【０３４５】
なお、どのような能力情報に基づいて決定するかは、通信事業者によって設定されてよい。
【０３４６】
もしくは、ゲートウェイスイッチを行うか否かは、ＡＰＮに基づいて決定されてもよい。
【０３４７】
例えば、ＭＭＥ３０は、現在確立しているＰＤＮコネクションを確立するためにＵＥ１０が使用したＡＰＮが、異なるゲートウェイを端点とするＰＤＮコネクションへの切り替えを許可されたＡＰＮである場合、ゲートウェイスイッチを行うと決定してもよい。
【０３４８】
もしくは、ＭＭＥ３０は、現在確立しているＰＤＮコネクションを確立するためにＵＥ１０が使用したＡＰＮが、ＳＩＰＴＯ用のＰＤＮコネクションの確立を許可するＡＰＮである場合、ゲートウェイスイッチを行うと決定してもよい。
【０３４９】
なお、どのような能力情報に基づいて決定するかは、通信事業者によって設定されてよい。
【０３５０】
また、ゲートウェイスイッチを行うか否かは、これまで説明した条件を２つ以上組み合わせて決定しても良い。
【０３５１】
これにより、再確立するＰＤＮコネクションは、許可情報１または、許可情報２などの許可情報に関連付けて管理するＰＤＮコネクションであって良い。また、上記、再確立するＰＤＮコネクションは、ケーパビリティ情報１またはケーパビリティ情報２などの能力情報に関連づけて管理するＰＤＮコネクションであって良い。
【０３５２】
また、再確立するＰＤＮコネクションは、複数確立したＰＤＮコネクションのうちの一部であってよい。本実施形態においては、再確立するＰＤＮコネクションは、第１のＰＤＮコネクションとする。
【０３５３】
以上のゲートウェイスイッチの検出により、ＭＭＥ３０はゲートウェイスイッチを検出した場合には、ｉｎｄｉｃａｔｏｒ１をパススイッチ応答に含めてｅＮＢ２０Ｂに送信してもよい。なお、検出しなかった場合には、ＭＭＥ３０はｉｎｄｉｃａｔｏｒ１を含めずにパススイッチ応答をｅＮＢ２０Ｂに送信してもよい。
さらに、ｅＮＢ２０はパススイッチ応答を受信し、パススイッチ応答にｉｎｄｉｃａｔｏｒ１が含まれている場合、ＵＥ１０へｉｎｄｉｃａｔｏｒ１を含むメッセージを送信してもよい。
【０３５４】
なお、ＭＭＥ３０は、ｉｎｄｉｃａｔｏｒ１の通知を、ｅＮＢ２０Ｂを介してＵＥ１０に送信するのではなく、ＭＭＥ３０がｉｎｄｉｃａｔｏｒ１を含めた制御情報をＵＥ１０に直接送信してもよい。
【０３５５】
ここで、ＵＥ１０はｉｎｄｉｃａｔｏｒ１を受信し、ＵＥ１０はｉｎｄｉｃａｔｏｒ１を通知されることにより、ＰＤＮコネクションが最適でないことを検出して良い。また、ＵＥ１０はｉｎｄｉｃａｔｏｒ１を通知されることにより、ＳＩＰＴＯの最適なＰＤＮコネクションを確立することができることを検出して良い。また、ＵＥ１０はｉｎｄｉｃａｔｏｒ１を通知されることにより、ＧＷスイッチを検出して良い。
【０３５６】
また、ｅＮＢ２０ＢはｅＮＢ２０Ａへリソース解放を示す情報を送信する（Ｓ７２８）。これにより、ｅＮＢ２０Ａは、ｅＮＢ２０ＢへのＵＥ１０からのデータの転送のための通信路を削除する。
【０３５７】
一方、ＭＭＥ３０はセッション削除要求をＬ−ＳＧＷ４２Ｂへ送信する（Ｓ７３０）。Ｌ−ＳＧＷ４２ＢはＭＭＥ３０からセッション削除要求を受信し、ｅＮＢ２０ＡおよびＬ−ＰＧＷ４４Ａとのセッションを削除する。
【０３５８】
次に、ＳＧＷ５０ＢはＭＭＥ３０へセッション削除応答を送信する（Ｓ７２４）。
【０３５９】
以上のハンドオーバ手続き１により、ＵＥ１０は第１のＰＤＮコネクションを維持して通信を継続することができる。その際、第１のＰＤＮコネクションは、ｅＮＢ２０ＢとＬ−ＳＧＷ４２Ｂとを介してＵＥ１０とＬ−ＰＧＷ４４Ａが確立するＰＤＮコネクションとなる。
【０３６０】
[１．３．２  ハンドオーバ手続き２]
また、図６で説明したハンドオーバ手続き（Ｓ６０２）は、ハンドオーバ手続き１として説明した方法に限らず、別の方法であってもよい。
【０３６１】
図８Ａ及び図８Ｂを用いてハンドオーバ手続き２として異なる方法の具体例を説明する。ＵＥ１０はハンドオーバ手続き１では、ＭＭＥ３０は変更されなかったが、ハンドオーバ手続き２では、ＭＭＥ３０を変更してハンドオーバすることができる。以下の説明では、ハンドオーバ手続き２においてＭＭＥ３０ＡからＭＭＥ３０Ｂへ変更されるハンドオーバ手続きを説明するが、ＭＭＥは必ずしも変更される必要は無い。ＭＭＥの変更が無い場合には、以下のハンドオーバ手続きにおけるＭＭＥ３０ＡとＭＭＥ３０Ｂの間の制御情報の送受信は、ＭＭＥ内部で実行される内部処理となる。
【０３６２】
ハンドオーバ手続き２における初期状態は、ハンドオーバ手続き１の初期状態と同様であり、ＵＥ１０は、ｅＮＢ２０Ａに接続しており、第１のＰＤＮコネクションを確立している。ＵＥ１０は、第１のＰＤＮコネクションを用いてＰＤＮ９０に含まれる通信装置（Ｃｏｒｒｅｓｐｏｎｄｉｎｇ  Ｎｏｄｅ）とデータ送受信が可能な状態である。
【０３６３】
なお、ＵＥ１０は、ＡＰＮ２を用いて第１のＰＤＮコネクションを確立している。したがって、第１のＰＤＮコネクションは、ｅＮＢ２０ＡとＬ−ＳＧＷ４２Ａを介して、ＵＥ１０とＬ−ＰＧＷ４４Ａが確立するＳＩＰＴＯ用のＰＤＮコネクションであってよい。
【０３６４】
ＵＥ１０の移動元の基地局であるｅＮＢ２０Ａは、ハンドオーバ決定処理を実行する（Ｓ８０２）。ｅＮＢ２０Ａは、ハンドオーバ決定処理により、ＵＥ１０がｅＮＢ２０Ｂに接続先を切り替えるためのハンドオーバ手続きを開始することを決定する。なお、ハンドオーバの決定は、ＵＥ１０が送信する周辺基地局の計測結果に基づいて決定してもよい。
【０３６５】
ｅＮＢ２０Ａは、ハンドオーバの決定に基づいて、ハンドオーバ要求メッセージをＭＭＥ３０Ａに送信する（Ｓ８０４）。ここで、ハンドオーバ被要求にはハンドオーバ先であるｅＮＢ２０Ｂに関する情報やｅＮＢ２０Ｂを管理するＭＭＥ３０Ｂに関する情報を含める。
【０３６６】
なお、ハンドオーバ披要求に、ＬＧＷ４０ＡもしくはＬ−ＰＧＷ４４Ａなど、ｅＮＢ２０Ａが管理する近隣ゲートウェイの識別情報を含めても良い。ｅＮＢ２０Ａは、近隣ゲートウェイの識別情報を含めることにより、ＳＩＰＴＯ用のＰＤＮコネクションを確立可能な近隣ゲートウェイをＭＭＥ３０に通知することができる。
【０３６７】
また、ハンドオーバ披要求にはＬＧＷ４０ＡもしくはＬ−ＰＧＷ４４Ａが接続するネットワークを示すＬＨＮ  ＩＤを含めて良い。ｅＮＢ２０ＡがＬＨＮ  ＩＤを含めることにより、ＭＭＥ３０ＡにＳＩＰＴＯ用のＰＤＮコネクションを確立ことができるＬＧＷ４０Ａを通知することができる。
【０３６８】
なお、ｅＮＢ２０ＡはＬＧＷ４０Ａと同じ装置で構成される場合（配置される場合）ＬＧＷ４０ＡもしくはＬ−ＰＧＷ４４Ａのアドレスなどの、近隣ゲートウェイの識別情報を含め、ＬＧＷ４０Ａがスタンドアロンで構成される場合、ＬＨＮ  ＩＤを含めて良い。
【０３６９】
ＭＭＥ３０Ａはハンドオーバ披要求を受信し、ＭＭＥ３０Ｂへリロケーション転送の要求を送信する（Ｓ８０６）。ここで、ＭＭＥ３０Ａは、ハンドオーバ被要求に含まれるＭＭＥに関する情報によって、ＭＭＥ３０Ｂを選択する。ここで、ＭＭＥ３０Ａは、ハンドオーバ被要求に含まれるＭＭＥに関する情報によって、ＭＭＥ３０Ａとは異なるＭＭＥ３０Ｂを検出することで、ＭＭＥのリロケーションを検出して良い。
【０３７０】
なお、ＭＭＥ３０Ａはリロケーション転送の要求にｅＮＢ２０Ａの近隣ゲートウェイの識別情報を含めて良い。また、ＭＭＥ３０ＡはＬＨＮ  ＩＤを含めて良い。また、ＭＭＥ３０ＡはｅＮＢ２０Ｂの識別情報など、移動先の基地局に関する情報を含めて良い。
【０３７１】
ここで、ＭＭＥ３０Ａは、ハンドオーバ被要求に含まれるＭＭＥに関する情報によって、ＭＭＥ３０Ｂではなく、ＭＭＥ３０Ａを検出して良い。ここで、ＭＭＥ３０Ａは、ハンドオーバ被要求に含まれるＭＭＥに関する情報によって、ＭＭＥ３０Ａを検出することで、ＭＭＥのリロケーションを検出しなくて良い。ＭＭＥ３０Ａを検出しなかった場合、ＭＭＥ３０Ａはリロケーション転送要求を送信しなくてよい。
【０３７２】
以降、ＭＭＥ３０ＡはＭＭＥに関する情報によって、ＭＭＥ３０Ｂを検出し、ＭＭＥのリロケーションを検出した場合を中心に説明するが、ＭＭＥ３０Ｂの動作はＭＭＥ３０Ａによって行われてよく、メッセージの送信などはＭＭＥ３０Ｂではなく、ＭＭＥ３０Ａへ送信されてよい。
【０３７３】
また、ＭＭＥ３０ＡがＭＭＥのリロケーションを検出しなかった場合、ＭＭＥ３０Ａは、ＭＭＥ３０Ｂへメッセージを送信せず、ＭＭＥ３０ＢはＭＭＥ３０Ａへメッセージを送信せず、ＭＭＥ３０Ａにおいて内部処理してよい。
【０３７４】
次に、ＭＭＥ３０ＢはｅＮＢ２０Ｂからのデータの送信先であるＬ−ＳＧＷ４２Ｂへセッション生成要求を送信する（Ｓ８０８）。Ｌ−ＳＧＷ４２ＢはＭＭＥ３０Ｂへセッション生成応答を送信する（Ｓ８１０）。なお、セッション生成要求の送信（Ｓ８０８）とセッション生成応答の送信（Ｓ８１０）は従来の手続きと同様であるため、詳細な説明は省略する。
【０３７５】
次に、ＭＭＥ３０Ｂはハンドオーバ要求をｅＮＢ２０Ｂへ送信する（Ｓ８１２）。ハンドオーバ要求を受信したｅＮＢ２０Ｂは、ＭＭＥ３０Ｂへハンドオーバ要求応答を送信する（Ｓ８１４）。なお、ハンドオーバ要求応答には、ＬＧＷ４０ＢもしくはＬ−ＰＧＷ４４Ｂなど、ｅＮＢ２０Ｂの近隣ゲートウェイの識別情報を含めて良い。ｅＮＢ２０Ｂは、近隣ゲートウェイの識別情報を含めることにより、ＳＩＰＴＯ用のＰＤＮコネクションを確立可能な近隣ゲートウェイをＭＭＥ３０Ｂに通知することができる。
【０３７６】
また、ハンドオーバ要求にはＬＧＷ４０ＢもしくはＬ−ＰＧＷ４４Ｂが接続するネットワークを示すＬＨＮ  ＩＤを含めて良い。ｅＮＢ２０ＢがＬＨＮ  ＩＤを含めることにより、ＭＭＥ３０ＢにＳＩＰＴＯ用のＰＤＮコネクションを確立するためのＬＧＷ４０Ｂを通知することができる。
【０３７７】
なお、ｅＮＢ２０ＢはＬＧＷ４０Ｂと同じ装置で構成される場合（配置される場合）ＬＧＷ４０ＢもしくはＬ−ＰＧＷ４４Ｂのアドレスなどの、近隣ゲートウェイの識別情報を含めて良い。また、ｅＮＢ２０ＢはＬＧＷ４０Ｂがスタンドアロンで構成される場合、ＬＨＮ  ＩＤを含めて良い。
【０３７８】
さらに、ＭＭＥ３０ＢはＬ−ＳＧＷ４２Ｂへインダイレクト・データ・フォワーディングトンネル生成要求を送信する（Ｓ８１６）。また、Ｌ−ＳＧＷ４２Ｂはインダイレクト・データ・フォワーディングトンネル生成応答を送信する（Ｓ８１８）。なお、インダイレクト・データ・フォワーディングトンネル生成要求（Ｓ８１６）とインダイレクト・データ・フォワーディングトンネル生成応答（Ｓ８１８）は従来と同様の手続きであるため、その詳細な説明は省略する。
【０３７９】
さらに、ＭＭＥ３０ＢはＭＭＥ３０Ａへリロケーション転送の応答を送信する（Ｓ８２０）。なお、リロケーション転送の応答には、ＳＩＰＴＯ用のＰＤＮコネクションを再確立する必要があることを示す情報を含めて良い。ここで、ＭＭＥ３０ＢはＬＧＷ４０ＢもしくはＬＰＧＷ４４Ｂのアドレスなど、ｅＮＢ２０Ｂの近隣ゲートウェイの識別情報を含めて良い。また、ＭＭＥ３０ＢはＬＧＷ４０ＢもしくはＬＰＧＷ４４ＢのＬＨＮ  ＩＤを含めて良い。
【０３８０】
ＭＭＥ３０Ａはリロケーション転送の応答を受信する（Ｓ８２０）。
【０３８１】
次に、ＭＭＥ３０ＡはＳＧＷ５０Ａへインダイレクト・データ・フォワーディングトンネル生成要求を送信する（Ｓ８２２）。また、ＳＧＷ５０ＡはＭＭＥ３０Ａへインダイレクト・データ・フォワーディングトンネル生成応答を送信する（Ｓ８２４）。なお、インダイレクト・データ・フォワーディングトンネル生成要求の送信（Ｓ８２２）とインダイレクト・データ・フォワーディングトンネル応答の送信（Ｓ８２４）は、従来と同様の手続きであるため、その詳細な説明は省略する。
【０３８２】
ＭＭＥ３０ＡはＳＧＷ５０Ａではなく、ＬＧＷ４０Ａへインダイレクト・データ・フォワーディングトンネル生成要求を送信してよい（Ｓ８２２）。また、ＬＧＷ４０ＡはＭＭＥ３０Ａへインダイレクト・データ・フォワーディングトンネル生成応答を送信してよい（Ｓ８２４）。
【０３８３】
次に、ＭＭＥ３０ＡはｅＮＢ２０Ａへハンドオーバ命令を送信する（Ｓ８２６）。ここで、ＭＭＥ３０Ａはハンドオーバ命令に、ｉｎｄｉｃａｔｏｒ１を含めて良い。
【０３８４】
ここで、ＭＭＥ３０Ａは、ゲートウェイスイッチの要否を検出し、検出結果に基づいてｉｎｄｉｃａｔｏｒ１を含めてハンドオーバ命令を送信してもよい。
【０３８５】
以下に、ＭＭＥ３０Ａにおけるゲートウェイスイッチの検出と、検出結果に基づく手続き例を説明する。なお、ゲートウェイスイッチとは、ＵＥ１０が現在確立しているＰＤＮコネクションを、新たなＰＤＮコネクションを再確立して切り替えることを検出することであってよい。さらに、新たなＰＤＮコネクションは、現在確立しているＰＤＮコネクションとは異なるゲートウェイを端点として確立するＰＤＮコネクションであってよい。
【０３８６】
ＭＭＥ３０Ａは、ｅＮＢ２０Ｂの近隣ゲートウェイの識別情報と、ｅＮＢ２０Ａの近隣ゲートウェイの識別情報が異なることを検出して、ゲートウェイスイッチを行うことを決定してもよい。
【０３８７】
既に説明したように、ゲートウェイの識別情報は、Ｌ−ＰＧＷもしくはＬＧＷアドレスであってもよいし、ＬＨＮ  ＩＤであってもよい。
【０３８８】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ＭＭＥ３０Ａはゲートウェイスイッチを行うと決定しても良い。
【０３８９】
既に説明したように、ゲートウェイの識別情報はＬＨＮ  ＩＤであってよい。ＭＭＥ３０Ａは、ＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０３９０】
ここで、ｅＮＢ２０Ａは、ハンドオーバ要求（Ｓ８０４）には、ｅＮＢ２０Ａが管理する近隣ゲートウェイ識別情報２４４を含めて送信してもよい。これにより、ＭＭＥ３０ＡはｅＮＢ２０Ａが管理する近隣ゲートウェイ識別情報２４４を取得しても良い。
【０３９１】
また、ｅＮＢ２０Ｂは、ｅＮＢ２０が管理する近隣ゲートウェイ識別情報２４４をハンドオーバ要求応答（Ｓ８１４）に含めて送信してもよい。さらに、ＭＭＥ３０Ｂは、ｅＮＢ２０が管理する近隣ゲートウェイ識別情報２４４をリロケーション転送（Ｓ８２０）の応答に含めて送信してもよい。これにより、ＭＭＥ３０ＡはｅＮＢ２０Ｂが管理する近隣ゲートウェイ識別情報２４４を取得しても良い。
【０３９２】
もしくは、ＭＭＥ３０Ａは、ＵＥ１０が現在確立しているＰＤＮコネクションの端点のゲートウェイの識別情報と、取得したｅＮＢ２０Ｂの近隣ゲートウェイの識別情報が異なることを検出して、ゲートウェイスイッチを行うことを決定してもよい。
【０３９３】
既に説明したように、ゲートウェイの識別情報はＬＨＮ  ＩＤであってよい。ＭＭＥ３０Ａは、ＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０３９４】
例えば、ＭＭＥ３０Ａは、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ゲートウェイスイッチを行うと決定しても良い。
【０３９５】
なお、ＭＭＥ３０Ａは、ＵＥ１０が現在確立しているＰＤＮコネクションの端点のゲートウェイの識別情報は、ＭＭＥ通信路コンテキスト４４２で管理している。
【０３９６】
また、ｅＮＢ２０Ｂが管理する近隣ゲートウェイ識別情報２４４を取得する方法は以下のような方法であってよい。ｅＮＢ２０Ｂは、ｅＮＢ２０Ｂが管理する近隣ゲートウェイ識別情報２４４をハンドオーバ要求応答（Ｓ８１４）に含めて送信してもよい。さらに、ＭＭＥ３０Ｂは、ｅＮＢ２０Ｂが管理する近隣ゲートウェイ識別情報２４４をリロケーション転送（Ｓ８２０）の応答に含めて送信してもよい。これにより、ＭＭＥ３０ＡはｅＮＢ２０Ｂが管理する近隣ゲートウェイ識別情報２４４を取得しても良い。
【０３９７】
このように、ＭＭＥ３０Ａは近隣ゲートウェイの識別情報を用いて現在ＵＥ１０が確立するＰＤＮコネクションが最適でないことを検出して良い。また、最適なＰＤＮコネクションを再確立することを検出して良い。
【０３９８】
なお、ゲートウェイの識別情報がＬＨＮ−ＩＤであった場合にも、同様の手法によりゲートウェイスイッチの要否を検出することができる。
【０３９９】
さらに、ゲートウェイスイッチを行うか否かは、ＵＥ１０の許可情報に基づいて決定されてもよい。
【０４００】
例えば、ＭＭＥ３０Ａは、許可情報２もしくは許可情報４のように、ＵＥ１０が、異なるゲートウェイを端点とするＰＤＮコネクションへの切り替えが許可されている場合には、ゲートウェイスイッチを行うと決定してもよい。
【０４０１】
もしくは、ゲートウェイスイッチを行うか否かは、ＵＥ１０の許可情報に基づいて決定されてもよい。
【０４０２】
例えば、ＭＭＥ３０Ａは、許可情報２のように、ＵＥ１０が、異なるゲートウェイを端点とするＰＤＮコネクションへの切り替えが許可されている場合には、ゲートウェイスイッチを行うと決定してもよい。
【０４０３】
もしくは、ＭＭＥ３０Ａは、許可情報１のように、ＵＥ１０が、ＳＩＰＴＯ用のＰＤＮコネクションを確立することが許可されている場合には、ゲートウェイスイッチを行うと決定してもよい。
【０４０４】
なお、どのような許可情報に基づいて決定するかは、通信事業者によって設定されてよい。
【０４０５】
もしくは、ゲートウェイスイッチを行うか否かは、ＵＥ１０の能力情報に基づいて決定されてもよい。
【０４０６】
例えば、ＭＭＥ３０Ａは、ケーパビリティ情報２のように、ＵＥ１０が、異なるゲートウェイを端点とするＰＤＮコネクションへの切り替えることができる場合には、ゲートウェイスイッチを行うと決定してもよい。
【０４０７】
もしくは、ＭＭＥ３０Ａは、ケーパビリティ情報１のように、ＵＥ１０が、ＳＩＰＴＯ用のＰＤＮコネクションを確立することができる場合には、ゲートウェイスイッチを行うと決定してもよい。
【０４０８】
なお、どのような能力情報に基づいて決定するかは、通信事業者によって設定されてよい。
【０４０９】
もしくは、ゲートウェイスイッチを行うか否かは、ＡＰＮに基づいて決定されてもよい。
【０４１０】
例えば、ＭＭＥ３０Ａは、現在確立しているＰＤＮコネクションを確立するためにＵＥ１０が使用したＡＰＮが、異なるゲートウェイを端点とするＰＤＮコネクションへの切り替えを許可されたＡＰＮである場合、ゲートウェイスイッチを行うと決定してもよい。
【０４１１】
もしくは、ＭＭＥ３０Ａは、現在確立しているＰＤＮコネクションを確立するためにＵＥ１０が使用したＡＰＮが、ＳＩＰＴＯ用のＰＤＮコネクションの確立を許可するＡＰＮである場合、ゲートウェイスイッチを行うと決定してもよい。
【０４１２】
なお、どのような能力情報に基づいて決定するかは、通信事業者によって設定されてよい。
【０４１３】
また、ゲートウェイスイッチを行うか否かは、これまで説明した条件を２つ以上組み合わせて決定しても良い。
【０４１４】
これにより、再確立するＰＤＮコネクションは、許可情報１または、許可情報２などの許可情報に関連付けて管理するＰＤＮコネクションであって良い。また、上記、再確立するＰＤＮコネクションは、ケーパビリティ情報１またはケーパビリティ情報２などの能力情報に関連づけて管理するＰＤＮコネクションであって良い。
【０４１５】
また、再確立するＰＤＮコネクションは、複数確立したＰＤＮコネクションのうちの一部であってよい。本実施形態においては、再確立するＰＤＮコネクションは、第１のＰＤＮコネクションとする。
【０４１６】
以上のゲートウェイスイッチの検出により、ＭＭＥ３０はゲートウェイスイッチを検出した場合には、ｉｎｄｉｃａｔｏｒ１をハンドオーバ命令メッセージに含めてｅＮＢ２０Ａに送信してもよい。なお、検出しなかった場合には、ＭＭＥ３０Ａはｉｎｄｉｃａｔｏｒ１を含めずにハンドオーバ命令メッセージをｅＮＢ２０Ａに送信してもよい。
【０４１７】
さらに、ＭＭＥ３０Ａは、ｉｎｄｉｃａｔｏｒ１を通知する場合、ＰＤＮコネクションを識別する情報を対応付けて送信してもよい。これにより、ＭＭＥ３０Ａは、再確立を要求するＰＤＮコネクションを特定する情報をＵＥ１０に通知してもよい。
【０４１８】
なお、ＰＤＮコネクションを識別する情報は、ＰＤＮコネクションＩＤ、ベアラＩＤ、ＡＰＮ、ＩＰアドレス（ＰＤＮアドレス）もしくはＴＥＩＤなど、ＰＤＮコネクションに対応付けられた情報であって良い。
【０４１９】
図９にハンドオーバ命令のメッセージに含まれる情報要素を示す。ハンドオーバ命令のメッセージは、ＭＭＥ３０ＡからｅＮＢ２０Ａに送信される。また、ハンドオーバ命令のメッセージは、ｅＮＢ２０ＡからＵＥ１０へ転送される。
【０４２０】
図９に示すように、ハンドオーバ命令は、メッセージタイプとレイヤ３情報とセルＩＤと新しいＢＳＳから古いＢＳＳへの情報とトーカープライオリティとＣＮからＭＳへのトランスペアレント情報とＩｎｄｉｃａｔｏｒ１を含める。
【０４２１】
メッセージタイプには、ハンドオーバ命令を示す情報要素が含まれる。レイヤ３情報には、ハンドオーバ命令に必要となる無線インターフェースのメッセージが含まれる。セルＩＤには、ｅＮＢ２０を識別するための情報要素が含まれる。新しいＢＳＳから古いＢＳＳへの情報には、移動先のｅＮＢ２０Ｂに受信されるかどうかを示す情報要素が含まれる。
【０４２２】
トーカープライオリティには、グループコールにおける話し手のプライオリティが含まれる。ＣＮからＭＳへのトランスペアレント情報には、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）アクセス転送情報などが含まれる。なお、ＳＲＶＣＣはＶｏＩＰ方式の音声通話と回線交換方式の音声通話を継続することである。
【０４２３】
なお、ｉｎｄｉｃａｔｏｒ１は、別の名称で管理されて良い。ここで、図９で示すｉｎｄｉｃａｔｏｒ１は上記のメッセージタイプからＣＮからＭＳへのトランスペアレント情報までの情報要素とは別で構成されるように記載しているが、上記の情報要素に含まれて良い。例えば、ＣＮからＭＳへのトランスペアレント情報に含まれて良いし、レイヤ３情報に含まれていて良い。
【０４２４】
ハンドオーバ命令を受信したｅＮＢ２０Ａは、ＵＥ１０へハンドオーバ命令を転送する（Ｓ８２８）。ＵＥ１０はｅＮＢ２０Ａからハンドオーバ命令を受信する。
【０４２５】
なお、ｅＮＢ２０Ａは、ＭＭＥ３０Ａからｉｎｄｉｃａｔｏｒ１を受信した場合、ｉｎｄｉｃａｔｏｒ１を含めてハンドオーバ命令をＵＥ１０に送信してもよい。
【０４２６】
以上のように、ＵＥ１０はｉｎｄｉｃａｔｏｒ１を取得してもよい。
【０４２７】
もしくは、ゲートウェイスイッチを行うか否の検出は、ＭＭＥ３０Ａが行うのではなく、ＭＭＥ３０Ｂが行っても良い。
【０４２８】
以下に、ＭＭＥ３０Ｂにおけるゲートウェイスイッチの検出と、検出結果に基づく手続き例を説明する。なお、ゲートウェイスイッチとは、ＵＥ１０が現在確立しているＰＤＮコネクションを、新たなＰＤＮコネクションを再確立して切り替えることを検出することであってよい。さらに、新たなＰＤＮコネクションは、現在確立しているＰＤＮコネクションとは異なるゲートウェイを端点として確立するＰＤＮコネクションであってよい。
【０４２９】
ＭＭＥ３０Ｂは、ｅＮＢ２０Ｂの近隣ゲートウェイの識別情報と、ｅＮＢ２０Ａの近隣ゲートウェイの識別情報が異なることを検出して、ゲートウェイスイッチを行うことを決定してもよい。
【０４３０】
既に説明したように、ゲートウェイの識別情報は、Ｌ−ＰＧＷもしくはＬＧＷアドレスであってもよいし、ＬＨＮ  ＩＤであってもよい。
【０４３１】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ＭＭＥ３０はゲートウェイスイッチを行うと決定しても良い。
【０４３２】
既に説明したように、ゲートウェイの識別情報はＬＨＮ  ＩＤであってよい。ＭＭＥ３０Ｂは、ＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０４３３】
ここで、ｅＮＢ２０Ａは、ハンドオーバ要求（Ｓ８０４）に、ｅＮＢ２０Ａが管理する近隣ゲートウェイ識別情報２４４を含めて送信してもよい。さらに、ＭＭＥ３０Ａは、リロケーション転送要求（Ｓ８０６）に、ｅＮＢ２０Ａが管理する近隣ゲートウェイ識別情報２４４を含めて送信してもよい。これにより、ＭＭＥ３０ＢはｅＮＢ２０Ａが管理する近隣ゲートウェイ識別情報２４４を取得しても良い。
【０４３４】
また、ｅＮＢ２０Ｂは、ｅＮＢ２０Ｂが管理する近隣ゲートウェイ識別情報２４４をハンドオーバ要求応答（Ｓ８１４）に含めて送信してもよい。これにより、ＭＭＥ３０ＢはｅＮＢ２０Ｂが管理する近隣ゲートウェイ識別情報２４４を取得しても良い。
【０４３５】
もしくは、ＭＭＥ３０Ｂは、ＵＥ１０が現在確立しているＰＤＮコネクションの端点のゲートウェイの識別情報と、取得したｅＮＢ２０Ｂの近隣ゲートウェイの識別情報が異なることを検出して、ゲートウェイスイッチを行うことを決定してもよい。
【０４３６】
既に説明したように、ゲートウェイの識別情報はＬＨＮ  ＩＤであってよい。ＭＭＥ３０Ｂは、ｅＮＢ２０ＡはＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０４３７】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ＭＭＥ３０Ｂはゲートウェイスイッチを行うと決定しても良い。
【０４３８】
なお、ＭＭＥ３０Ｂは、ＵＥ１０が現在確立しているＰＤＮコネクションの端点のゲートウェイの識別情報は、ＭＭＥ通信路コンテキスト４４２で管理している。ここで、ＭＭＥ通信路コンテキスト４４２は、ＭＭＥ３０Ａから取得してもよい。さらに、ＭＭＥ通信路コンテキスト４４２はリロケーション転送要求に含まれて送信されたものを取得しても良い。
【０４３９】
また、ｅＮＢ２０Ｂが管理する近隣ゲートウェイ識別情報２４４を取得する方法は以下のような方法であってよい。ｅＮＢ２０Ｂは、ｅＮＢ２０Ｂが管理する近隣ゲートウェイ識別情報２４４をハンドオーバ要求応答（Ｓ８１４）に含めて送信してもよい。これにより、ＭＭＥ３０ＢはｅＮＢ２０Ｂが管理する近隣ゲートウェイ識別情報２４４を取得しても良い。
【０４４０】
このように、ＭＭＥ３０Ｂは近隣ゲートウェイの識別情報を用いて現在ＵＥ１０が確立するＰＤＮコネクションが最適でないことを検出して良い。また、最適なＰＤＮコネクションを再確立することを検出して良い。なお、ゲートウェイの識別情報がＬＨＮ−ＩＤであった場合にも、同様の手法によりゲートウェイスイッチの要否を検出することができる。
【０４４１】
さらに、ゲートウェイスイッチを行うか否かは、ＵＥ１０の許可情報に基づいて決定されてもよい。
【０４４２】
例えば、ＭＭＥ３０Ｂは、許可情報２もしくは許可情報４のように、ＵＥ１０が、異なるゲートウェイを端点とするＰＤＮコネクションへの切り替えが許可されている場合には、ゲートウェイスイッチを行うと決定してもよい。
【０４４３】
もしくは、ゲートウェイスイッチを行うか否かは、ＵＥ１０の許可情報に基づいて決定されてもよい。
【０４４４】
例えば、ＭＭＥ３０Ｂは、許可情報２のように、ＵＥ１０が、異なるゲートウェイを端点とするＰＤＮコネクションへの切り替えが許可されている場合には、ゲートウェイスイッチを行うと決定してもよい。
【０４４５】
もしくは、ＭＭＥ３０Ｂは、許可情報１のように、ＵＥ１０が、ＳＩＰＴＯ用のＰＤＮコネクションを確立することが許可されている場合には、ゲートウェイスイッチを行うと決定してもよい。
【０４４６】
なお、どのような許可情報に基づいて決定するかは、通信事業者によって設定されてよい。
【０４４７】
もしくは、ゲートウェイスイッチを行うか否かは、ＵＥ１０の能力情報に基づいて決定されてもよい。
【０４４８】
例えば、ＭＭＥ３０Ｂは、ケーパビリティ情報２のように、ＵＥ１０が、異なるゲートウェイを端点とするＰＤＮコネクションへの切り替えることができる場合には、ゲートウェイスイッチを行うと決定してもよい。
【０４４９】
もしくは、ＭＭＥ３０Ｂは、ケーパビリティ情報１のように、ＵＥ１０が、ＳＩＰＴＯ用のＰＤＮコネクションを確立することができる場合には、ゲートウェイスイッチを行うと決定してもよい。
【０４５０】
なお、どのような能力情報に基づいて決定するかは、通信事業者によって設定されてよい。
【０４５１】
もしくは、ゲートウェイスイッチを行うか否かは、ＡＰＮに基づいて決定されてもよい。
【０４５２】
例えば、ＭＭＥ３０Ｂは、現在確立しているＰＤＮコネクションを確立するためにＵＥ１０が使用したＡＰＮが、異なるゲートウェイを端点とするＰＤＮコネクションへの切り替えを許可されたＡＰＮである場合、ゲートウェイスイッチを行うと決定してもよい。
【０４５３】
もしくは、ＭＭＥ３０Ｂは、現在確立しているＰＤＮコネクションを確立するためにＵＥ１０が使用したＡＰＮが、ＳＩＰＴＯ用のＰＤＮコネクションの確立を許可するＡＰＮである場合、ゲートウェイスイッチを行うと決定してもよい。
【０４５４】
なお、どのような能力情報に基づいて決定するかは、通信事業者によって設定されてよい。
【０４５５】
また、ゲートウェイスイッチを行うか否かは、これまで説明した条件を２つ以上組み合わせて決定しても良い。
【０４５６】
これにより、再確立するＰＤＮコネクションは、許可情報１または、許可情報２などの許可情報に関連付けて管理するＰＤＮコネクションであって良い。また、上記、再確立するＰＤＮコネクションは、ケーパビリティ情報１またはケーパビリティ情報２などの能力情報に関連づけて管理するＰＤＮコネクションであって良い。
【０４５７】
また、再確立するＰＤＮコネクションは、複数確立したＰＤＮコネクションのうちの一部であってよい。本実施形態においては、再確立するＰＤＮコネクションは、第１のＰＤＮコネクションとする。
【０４５８】
以上のゲートウェイスイッチの検出により、ＭＭＥ３０Ｂはゲートウェイスイッチを検出した場合には、ｉｎｄｉｃａｔｏｒ１をリロケーション転送応答メッセージに含めてＭＭＥ３０Ａに送信してもよい。なお、検出しなかった場合には、ＭＭＥ３０Ｂはｉｎｄｉｃａｔｏｒ１を含めずにリロケーション転送応答メッセージをＭＭＥ３０Ａに送信してもよい。
さらに、リロケーション転送の応答メッセージを受信したＭＭＥ３０Ａは、ハンドオーバ命令をｅＮＢ２０Ａに送信する。ここで、ＭＭＥ３０Ａは、ｉｎｄｉｃａｔｏｒ１を受信した場合には、ｉｎｄｉｃａｔｏｒ１を含めてハンドオーバ命令を送信してもよい。
【０４５９】
さらに，ハンドオーバ命令を受信したｅＮＢ２０Ａは、ＵＥ１０へハンドオーバ命令を転送する（Ｓ８２８）。ＵＥ１０はｅＮＢ２０Ａからハンドオーバ命令を受信する。
【０４６０】
なお、ｅＮＢ２０Ａは、ＭＭＥ３０Ａからｉｎｄｉｃａｔｏｒ１を受信した場合、ｉｎｄｉｃａｔｏｒ１を含めてハンドオーバ命令をＵＥ１０に送信してもよい。
【０４６１】
以上のように、ＵＥ１０はｉｎｄｉｃａｔｏｒ１を取得してもよい。一方、ｅＮＢ２０ＡはＭＭＥ３０ＡへｅＮＢステータス転送を送信する（Ｓ８３０）。ＭＭＥ３０ＡはＭＭＥ３０Ｂへアクセスコンテキスト転送の通知を送信する（Ｓ８３２）。ＭＭＥ３０ＢはＭＭＥ３０Ａへアクセスコンテキスト転送の応答を送信する（Ｓ８３４）。ＭＭＥ３０ＢはｅＮＢ２０ＢへＭＭＥステータス転送を送信する（Ｓ８３６）。
【０４６２】
次に、ｅＮＢ２０ＢはＵＥ１０に古いセルからデタッチし、新しいセルへ同期する（Ｓ８３８）。ここで古いセルとはｅＮＢ２０Ａが形成するセルのことであり、新しいセルとはｅＮＢ２０Ｂが形成するセルのことである。
【０４６３】
古いセルからデタッチし、新しいセルへ同期したＵＥ１０は、ｅＮＢ２０Ｂへハンドオーバ確認を送信する（Ｓ８４０）。ｅＮＢ２０ＢはＭＭＥ３０Ｂへハンドオーバ通知を送信する（Ｓ８４２）。ＭＭＥ３０ＢはＭＭＥ３０Ａへリロケーション転送完了通知を送信する（Ｓ８４４）。ＭＭＥ３０ＡはＭＭＥ３０Ｂへリロケーション転送完了応答を送信する（Ｓ８４６）。
【０４６４】
ＭＭＥ３０ＢはＳＧＷ５０Ｂへベアラ変更要求を送信する（Ｓ８４８）。ＳＧＷ５０ＢはＰＧＷ６０Ａへベアラ変更要求を送信する（Ｓ８５０）。ＰＧＷ６０ＡはＳＧＷ５０Ｂへベアラ変更応答を送信する（Ｓ８５２）。ＳＧＷ５０ＢはＭＭＥ３０Ｂへベアラ変更応答を送信する（Ｓ８５４）。ｅＮＢステータス転送の送信（Ｓ８３０）からベアラ変更応答の送信は従来と同様の手続きであるため、その詳細な説明は省略する。
【０４６５】
ＭＭＥ３０ＢはＳＧＷ５０Ｂではなく、ＬＧＷ４０Ｂへベアラ変更要求を送信して良い（Ｓ８４８）。ＬＧＷ４０ＢはＬＧＷ４０Ａへベアラ変更要求を送信して良い（Ｓ８５０）。ＬＧＷ４０ＡはＬＧＷ４０Ｂへベアラ変更応答を送信して良い（Ｓ８５２）。ベアラ変更要求を受信したＬＧＷ４０ＢはＭＭＥ３０Ｂへベアラ変更応答を送信して良い（Ｓ８５４）。
【０４６６】
ＭＭＥ３０ＢはＵＥ１０Ａにトラッキングエリア更新手続きを行わせる（Ｓ８５６）。なお、トラッキングエリアアップデート更新手続きの具体的な方法は、後述するため、その詳細な説明は省略する。
【０４６７】
一方、ＭＭＥ３０ＡはＳＧＷ５０Ａへセッション削除要求を送信する（Ｓ８５８）。ＳＧＷ５０ＡはＭＭＥ３０Ａへセッション削除応答を送信する（Ｓ８６４）。
【０４６８】
ここで、ＭＭＥ３０ＡはＳＧＷ５０Ａではなく、ＬＧＷ４０Ａへセッション削除要求を送信して良い（Ｓ８５８）。ＬＧＷ４０ＡはＭＭＥ３０Ａへセッション削除応答を送信して良い（Ｓ８６４）。
【０４６９】
また、ＭＭＥ３０ＡはｅＮＢ２０ＡへＵＥコンテキスト解放命令を送信する（Ｓ８６０）。ｅＮＢ２０ＡはＭＭＥ３０Ａへコンテキスト解放完了を送信する（Ｓ８６２）。
【０４７０】
また、ＭＭＥ３０ＡはＳＧＷ５０Ａへインダイレクト・データ・フォワーディングトンネル開始要求を送信する（Ｓ８６６）。ＳＧＷ５０ＡはＭＭＥ３０Ａへインダイレクト・データ・フォワーディングトンネル削除応答を送信する（Ｓ８６８）。
【０４７１】
また、ＭＭＥ３０ＡはＬＧＷ４０Ａへインダイレクト・データ・フォワーディングトンネル開始要求を送信して良い（Ｓ８６６）。ＬＧＷ４０ＡはＭＭＥ３０Ａへインダイレクト・データ・フォワーディングトンネル削除応答を送信して良い（Ｓ８６８）。
【０４７２】
また、ＭＭＥ３０ＢはＳＧＷ５０Ｂへインダイレクト・データ・フォワーディングトンネル削除要求を送信する（Ｓ８７０）。ＳＧＷ５０ＢはＭＭＥ３０Ｂへインダイレクト・データ・フォワーディングトンネル削除応答を送信する（Ｓ８７２）。
【０４７３】
また、ＭＭＥ３０ＢはＬＧＷ４０Ｂへインダイレクト・データ・フォワーディングトンネル削除要求を送信して良い（Ｓ８７０）。ＬＧＷ４０ＢはＭＭＥ３０Ｂへインダイレクト・データ・フォワーディングトンネル削除応答を送信して良い（Ｓ８７２）。
【０４７４】
なお、セッション削除要求の送信（Ｓ８５８）からインダイレクト・データ・フォワーディングトンネル削除応答の送信（Ｓ８７２）は従来の手続きと同様であるため、詳細な説明は省略する。
【０４７５】
以上のハンドオーバ手続き２により、ＵＥ１０がＳｏｕｒｃｅ  ｅＮＢ２０ＡからＳｏｕｒｃｅ  ＳＧＷ５０Ａ、ＰＧＷ６０Ａを経由するデータの送受信中に、ＵＥ１０が移動して、ＵＥ１０がＴａｒｇｅｔ  ｅＮＢ２０ＢからＴａｒｇｅｔ  ＳＧＷ５０Ｂ、ＰＧＷ６０Ａを経由するデータの送受信へ切り替えことができる。
【０４７６】
つまり、ＵＥ１０はあらかじめ最適な第１のＰＤＮコネクションを確立済みで、ＳＩＰＴＯにおけるデータの送受信中に、ＵＥ１０の移動が発生し、ハンドオーバ手続き２により、最適でない第１のＰＤＮコネクションが確立される。
【０４７７】
ここで、ハンドオーバ手続き２により、ＵＥ１０はＳｏｕｒｃｅ  ｅＮＢ２０ＡからＬＧＷ４０Ａを経由するデータの送受信中に、ＵＥ１０が移動して、ＵＥ１０がＴａｒｇｅｔ  ｅＮＢ２０ＢからＬＧＷ４０Ｂ、ＬＧＷ４０Ａを経由するデータの送受信へ切り替えても良い。
【０４７８】
ＭＭＥ３０Ａは、ハンドオーバ命令にｉｎｄｉｃａｔｏｒ１を含めることにより、トラッキングエリア更新手続きを必要とすることを通知することができる。
【０４７９】
また、ＭＭＥ３０Ａはハンドオーバ命令にｉｎｄｉｃａｔｏｒ１を含めることにより、ＳＩＰＴＯのＰＤＮコネクションを再確立することを検出し、ＵＥ１０に再確立することを通知して良い。
【０４８０】
ｅＮＢ２０Ａは、ハンドオーバ命令にｉｎｄｉｃａｔｏｒ１を含めることにより、トラッキングエリア更新手続きを必要とすることを通知することができる。また、ｅＮＢ２０Ａはハンドオーバ命令にｉｎｄｉｃａｔｏｒ１を含めることにより、ＰＤＮコネクションを再確立することを検出し、再確立することを通知して良い。
【０４８１】
ＵＥ１０はｉｎｄｉｃａｔｏｒ１を含むハンドオーバ命令を受信することにより、トラッキングエリア更新手続きを検知することができる。また、ＵＥ１０はトラッキングエリア更新手続きを必要とすることを検知することにより、トラッキングエリア更新手続きを開始することができる。
【０４８２】
さらに、ＵＥ１０はｉｎｄｉｃａｔｏｒ１を含むハンドオーバ命令を受信することにより、ＰＤＮコネクションを再確立することを検出して良い。また、ＵＥ１０はＰＤＮコネクションを再確立することを検出することにより、ＰＤＮ接続手続きを開始して良い。
【０４８３】
［１．３．３  トラッキングエリア更新手続き］
次に、図６を用いて説明したトラッキングエリア更新手続き（Ｓ６０６）のより詳細な手続きの一例を、図１０を用いて説明する。
【０４８４】
ＵＥ１０は、図６を用いて説明したトラッキングエリア更新手続きのトリガーの検出（Ｓ６０４）に基づいて、トラッキングエリア更新手続きを開始してもよい。
【０４８５】
なお、本トラッキングエリア更新手続きにおいて、ＭＭＥ３０ＢはＵＥ１０の移動後に位置管理を行うＭＭＥ３０である。また、ＭＭＥ３０ＡはＵＥ１０の移動前に位置管理を行っていた装置である。このように、トラッキングエリア更新手続きでは、ＭＭＥを変更してトラッキングエリアを更新してもよい。また、ＵＥ１０が移動後に、ＭＭＥリロケーションが発生しなかった場合、ＭＭＥ３０ＢがＵＥ１０の位置管理を行う必要はなく、ＭＭＥ３０ＡがＵＥ１０の位置管理を行って良い。つまり、ＭＭＥ３０ＢとＭＭＥ３０Ａは同一装置であってよい。その場合、以下で説明するＭＭＥ間の制御情報の送受信は、ＭＭＥ内部で実行される内部処理となる。
【０４８６】
まず、ＵＥ１０はトラッキングエリア更新要求を送信し、トラッキングエリア更新手続きを開始してもよい（Ｓ１００２）。ここで、ＵＥ１０はトラッキングエリア更新要求にｉｎｄｉｃａｔｏｒ２を含めて送信してもよい。
【０４８７】
図１１Ａにトラッキングエリア更新要求のメッセージ内容を示す。トラッキングエリア更新要求のメッセージは、ＵＥ１０からＭＭＥ３０Ｂに送信される。
【０４８８】
図１１Ａに示すように、トラッキングエリア更新要求には、プロトコル識別子、セキュリティヘッダタイプ、トラッキングエリア更新要求メッセージＩＤ、ＥＰＳ更新タイプ、ＮＡＳキーセットＩＤ、古いＧＵＴＩが含められる。その他、現在でないネイティブＮＡＳキーセットＩＤ、ＧＰＲＳ暗号化キーシーケンス番号、古いＰ−ＴＭＳＩ署名、追加のＧＵＴＩ、ＮＯＵＮＣＥ、ＵＥネットワークケーパビリティ、最後に訪れた登録されたＴＡＩ、ＤＲＸパラメータ、必要とされるＵＥ無線ケーパビリティ情報の更新、ＥＰＳベアラコンテキストステータス、ＭＳネットワークケーパビリティ、古い位置エリアＩＤ、ＴＭＳＩステータス、移動局分類記号２、移動局分類記号３、サポートされるコーデック、追加の更新タイプ、音声領域の好みとＵＥの使用設定、古いＧＵＴＩタイプ、デバイスプロパティ、ＭＳネットワーク特徴サポート、ＮＲＩコンテナベースのＴＭＳＩ、Ｔ３３２４値、Ｔ３４１２拡張値とＩｎｄｉｃａｔｏｒ２が含まれて良い。
【０４８９】
プロトコル識別子は、レイヤ３におけるＥＰＳ移動管理に関するメッセージが含まれる。セキュリティヘッダタイプはＮＡＳメッセージのセキュリティに関する情報が含まれる。トラッキングエリア更新要求メッセージＩＤは、トラッキングエリア更新要求を示す識別子が含まれる。ＥＰＳ更新タイプは関連するエリア情報を明確化するための情報が含まれる。ＮＡＳキーセットＩＤはネットワークによって割り当てられる情報が含まれる。
【０４９０】
古いＧＵＴＩは有効なＧＵＴＩが含まれる。ＧＵＴＩとは、ＭＭＥ３０を識別する情報要素（ＧＵＭＭＥＩ）とＭＭＥ３０内でＵＥ１０を識別する情報要素（Ｍ−ＴＭＳＩ）とで構成される。現在でないネイティブＮＡＳキーセットＩＤには、ネットワークによって割り当てられた情報要素が含まれる。ＧＰＲＳ暗号化キーシーケンス番号には、ネットワークによって割り当てられる認証と暗号メッセージが含まれる。
【０４９１】
古いＰ−ＴＭＳＩ署名（Ｐａｃｋｅｔ−Ｔｅｍｐｏｒａｒｙ  Ｍｏｂｉｌｅ  Ｓｕｂｓｃｒｉｂｅｒ  Ｉｄｅｎｔｉｔｙ  Ｓｉｇｎａｔｕｒｅ）には、有効なＰ−ＴＭＳＩ署名が含まれる。Ｐ−ＴＭＳＩ署名とは、アタッチ手続き、ルーティングエリア更新などで移動局に割り当てられる認証情報である。
【０４９２】
追加のＧＵＴＩには、有効なＧＵＴＩ、Ｐ−ＴＭＳＩ、ＲＡＩを管理している場合、そのＧＵＴＩ（ＭＭＥ３０を識別する情報要素（ＧＵＭＭＥＩ）とＭＭＥ３０内でＵＥ１０を識別する情報要素（Ｍ−ＴＭＳＩ））が含まれる。
【０４９３】
ＮＯＵＮＣＥには、ＩＭＳに関する認証情報が含められる。ＵＥネットワークケーパビリティには、暗号化方法に関する情報が含まれる。
【０４９４】
最後に訪れた登録されたＴＡＩには、最後に訪れ、登録されたＴＡＩ（トラッキングエリアＩＤ）が含まれる。ＴＡＩは、ＵＥ１０の位置情報を示す情報である。ＤＲＸ（Ｄｉｓｃｏｎｔｉｎｕｏｕｓ  Ｒｅｃｅｐｔｉｏｎ）パラメータには、ＵＥ１０が送信（上りリンク）または受信（下りリンク）に必要な消費電力を節約するためのパラメータである。
【０４９５】
必要とされるＵＥ無線ケーパビリティ情報の更新は、ＭＭＥ３０がＵＥ無線ケーパビリティ情報を削除しなければならないかどうかを示す情報が含まれる。ＥＰＳベアラコンテキストステータスには、ＥＰＳベアラコンテキストの状態を示す情報が含まれる。
【０４９６】
古い位置エリアＩＤには、３ＧＰＰシステム（３ＧＰＰネットワーク）によってカバーされる位置情報が含まれる。位置情報として、ＭＣＣ、ＭＮＣ、ＬＡＣが含まれる。ＴＭＳＩステータスには、ＴＭＳＩが有効であるかどうかを示す情報が含まれる。
【０４９７】
移動局分類記号２には、ＵＥ１０の特徴に関する情報が含まれる。ネットワークは、移動局分類記号２の情報によって、ＵＥ１０に対する命令や通知を変更する。また、移動局分類記号２は、ＵＥ１０の優先順位に関する情報が含まれる。
【０４９８】
移動局分類記号３には、ＵＥ１０の特徴に関する情報が含まれる。ネットワークは、移動局分類記号３の情報によって、ＵＥ１０に対する命令や通知を変更する。また、移動局分類記号３は、ＵＥ１０がサポートする全ての周波数帯に関する情報が含まれる。
【０４９９】
また、サポートされるコーデックリストには、ＵＥ１０によってサポートされる音声コーデックに関する情報が含まれる。追加の更新タイプには、アタッチ手続きやトラッキングエリア更新手続きにおける要求のタイプにおいて追加の情報が含まれる。
【０５００】
音声領域の好みとＵＥの使用設定には、ＲＦＳＰ（ＲＡＴ／Ｆｒｅｑｕｅｎｃｙ  Ｓｅｌｅｃｔｉｏｎ  Ｐｒｉｏｒｉｔｙ）インデックスを選択するための情報が含まれる。具体的には、音声領域の好みとＵＥの使用設定には、ＵＥの使用設定、Ｅ−ＵＴＲＡＮの音声領域の好みが含まれる。
【０５０１】
古いＧＵＴＩタイプには、ＧＵＴＩがネイティブＧＵＴＩか、マッピングされたＧＵＴＩかを示す情報が含まれる。デバイスプロパティは、ＵＥ１０がＮＡＳシグナリングにおける低いプライオリティの処理を設定されているかどうかを示す情報が含まれる。ネットワークは、デバイスプロパティを、コアネットワークのコンジェスチョン処理や課金のための処理に利用する。
【０５０２】
ＮＲＩコンテナベースのＴＭＳＩには、ネットワークが実際のＮＲＩを決定するための割り当てられたＴＭＳＩの一部の情報が含まれる。Ｔ３３２４値には、ＧＰＲＳで規定されているタイマー値が含まれる。Ｔ３３２４値には、ＵＥ１０がＲＥＡＤＹ状態で存在する時間を制御するための時間のことである。
【０５０３】
Ｔ３４１２拡張値には、ＧＰＲＳタイマー３で規定されたタイマー値が含まれる。Ｔ３４１２拡張値は、ＵＥ１０がベアラ更新の時間を制御するための時間が含まれる。なお、ｉｎｄｉｃａｔｏｒ２は、別の名称でｉｎｄｉｃａｔｏｒ２が含まれて良い。
【０５０４】
ここで、図１１Ａで示すｉｎｄｉｃａｔｏｒ２は上記のプロトコル識別子からＴ３４１２拡張値までの情報要素とは別で構成されるように記載しているが、プロトコル識別子からＴ３４１２拡張値までの情報要素に含まれて良い。例えば、ｉｎｄｉｃａｔｏｒ２は、移動局分類記号２や移動局分類記号３、ＵＥネットワークケーパビリティに含まれていて良い。
【０５０５】
ＵＥ１０からトラッキングエリア更新要求を受信したｅＮＢ２０Ｂは、ＭＭＥ３０Ｂへトラッキングエリア更新要求を転送する（Ｓ１００４）。このとき、ｅＮＢ２０ＢはＵＥ１０からのトラッキングエリア更新要求に含まれるＧＵＭＭＥＩやＧＵＴＩによって、トラッキングエリア更新要求を転送するＭＭＥ３０Ｂを決定して良い。ここで、ｅＮＢ２０ＢはＧＵＭＭＥＩやＧＵＴＩによって、ＭＭＥ３０Ａを選択して良い。ｅＮＢ２０ＢがＭＭＥ３０Ａを選択した場合、ＭＭＥ３０Ａは、トラッキングエリア更新要求をＭＭＥ３０Ａへ送信して良い。
【０５０６】
以降、ｅＮＢ２０ＢがＭＭＥ３０Ｂを選択したこととして説明する。ここで、ｅＮＢ２０Ｂは、トラッキングエリア更新要求にＬＧＷ４０ＢもしくはＬ−ＰＧＷ４４ＢのＩＰアドレスなど、ｅＮＢ２０Ｂが管理する近隣ゲートウェイの識別情報を含めて良い。
【０５０７】
また、ｅＮＢ２０ＢはＬＧＷ４０ＢもしくはＬ−ＰＧＷ４４Ｂに対応付けられるＬＨＮ  ＩＤ（Ｌｏｃａｌ  ＨｅＮＢ  Ｎｅｔｗｏｒｋ  ＩＤ）を含めて良い。なお、ＬＨＮ  ＩＤは、ＬＧＷ４０ＢもしくはＬ−ＰＧＷ４４ＢがＳＩＰＴＯ用のＰＤＮコネクションを確立できることを検出可能な情報として用いてもよい。
【０５０８】
また、ｅＮＢ２０Ｂは、トラッキングエリア更新要求メッセージを用いるのではなく、予めこうした情報をＭＭＥ３０Ｂへ通知しておいてもよい。
【０５０９】
例えば、ｅＮＢ２０ＢはＭＭＥ３０Ｂへトラッキングエリア更新要求とは別に、初期ＵＥメッセージや上りリンクＮＡＳトランスポートメッセージに含めて、ＬＨＮ  ＩＤを通知しても良い。また、ｅＮＢ２０ＢはＭＭＥ３０Ｂへトラッキングエリア更新要求とは別に、初期ＵＥメッセージや上りリンクＮＡＳトランスポートメッセージに含めてＬＧＷ４０ＢのＬＧＷアドレスなど、近隣ゲートウェイを識別する情報を通知してもよい。
【０５１０】
ＭＭＥ３０Ｂはトラッキングエリア更新要求を受信する。さらに、ＭＭＥ３０Ｂは、トラッキングエリア更新要求に含まれるｉｎｄｉｃａｔｏｒ２を取得する。
【０５１１】
また、ＭＭＥ３０Ｂはトラッキングエリア更新要求に含まれるＧＵＴＩによって、コアネットワーク再選択を行い、ＭＭＥリロケーションが発生していることを検出して良い。
【０５１２】
また、ＭＭＥ３０Ｂはトラッキングエリア更新要求にＬＧＷアドレスが含まれる場合ＬＧＷ４０Ｂを検知する。また、ＭＭＥ３０Ｂは初期ＵＥメッセージや上りリンクＮＡＳトランスポートメッセージに含まれたＬＧＷ４０ＢのＬＧＷアドレスを検出する。
【０５１３】
なお、ＭＭＥ３０ＢはＬＧＷ４０Ｂを検知することにより、ＰＤＮコネクションを再確立することを検知する。ここで、ＭＭＥ３０ＢはＰＤＮコネクションを再確立することを検知するのでなく、ＰＤＮコネクションが最適でないことを検出して良い。また、ＭＭＥ３０Ｂは最適なＰＤＮコネクションを確立できることを検出して良い。また、ＭＭＥ３０ＢはＧＷスイッチを検出して良い。
【０５１４】
また、ＭＭＥ３０Ｂはトラッキングエリア更新要求にＬＨＮ  ＩＤが含まれる場合、ｅＮＢ２０ＢがＬＧＷ４０Ｂを管理していることを検知して良い。また、ＭＭＥ３０Ｂは初期ＵＥメッセージや上りリンクＮＡＳトランスポートメッセージに含まれたＬＧＷ４０ＢのＬＨＮ  ＩＤを検出する。
【０５１５】
なお、ＭＭＥ３０ＢはＬＨＮ  ＩＤによってＬＧＷ４０Ｂを検知することにより、ＰＤＮコネクションを再確立することを検知して良い。ここで、ＭＭＥ３０ＢはＰＤＮコネクションを再確立することを検知するのでなく、ＰＤＮコネクションが最適でないことを検出して良い。また、ＭＭＥ３０Ｂは最適なＰＤＮコネクションを確立できることを検出して良い。また、ＭＭＥ３０ＢはＧＷスイッチを検出して良い。
【０５１６】
さらに、ＭＭＥ３０Ｂは、ｉｎｄｉｃａｔｏｒ２とＬＧＷアドレスを検知することによって、ＰＤＮコネクションを再確立することを検知して良い。
【０５１７】
また、ＭＭＥ３０Ｂは、ｉｎｄｉｃａｔｏｒ２とＬＨＮ  ＩＤを検知することによって、ＰＤＮコネクションを再確立することを検知して良い。ここで、ＭＭＥ３０ＢはＰＤＮコネクションを再確立することを検知するのでなく、ＰＤＮコネクションが最適でないことを検出して良い。また、ＭＭＥ３０Ｂは最適なＰＤＮコネクションを確立できることを検出して良い。また、ＭＭＥ３０ＢはＧＷスイッチを検出して良い。
【０５１８】
また、ＭＭＥ３０Ｂは、ＧＷ選択を行うことによって、ＰＤＮコネクションを再確立することを検出して良い。ＧＷ選択では、ＰＧＷ選択を行って良い。
【０５１９】
また、ＭＭＥ３０Ｂは最適なＰＧＷ６０Ｂを選択するために、ＨＳＳ７０に問い合わせを行うことにより、決定してよい。ＰＧＷ６０Ｂの選択はｉｎｄｉｃａｔｏｒ２をＨＳＳ７０に送信し、ＰＧＷ６０Ｂの識別情報を受け取ってよい。
【０５２０】
なお、ＭＭＥ３０Ｂは、ＧＷ選択で検出したＰＧＷ識別子と、ＭＭＥ３０Ｂで管理されるＰＤＮコネクションに関連付けられるＰＧＷ識別子とを比較し、ＰＤＮコネクションを再確立することを検出して良い。
【０５２１】
なお、上記、再確立することを検出するＰＤＮコネクションの対象は、ＳＩＰＴＯの許可情報または、ゲートウェイの異なるＰＤＮコネクションへの切り替えの許可情報が関連付けられるＰＤＮコネクションであって良い。また、上記、再確立することを検出するＰＤＮコネクションの対象は、異なるゲートウェイを端点としたＰＤＮコネクションの確立が許可されたＰＤＮコネクションであって良い。
【０５２２】
上記、ＭＭＥ３０は、ＰＤＮコネクションを再確立することを検出するのでなく、ＰＤＮコネクションが最適でないことを検出して良い。また、ＭＭＥ３０はＰＤＮコネクションを再確立することを検出するのでなく、最適なＰＤＮコネクションを確立できることを検出して良い。また、ＭＭＥ３０は、ＰＤＮコネクションを再確立することを検出するのでなく、ＧＷスイッチを検出して良い。
【０５２３】
次に、ＭＭＥ３０ＢはＭＭＥ３０Ａへコンテキスト要求を送信して良い（Ｓ１００６）。また、ＭＭＥ３０Ａはコンテキスト要求を受信し、ＭＭＥ３０Ｂへコンテキスト応答を送信する（Ｓ１００８）。
【０５２４】
なお、送信するコンテキストには、許可情報１や許可情報２などのＵＥ１０の許可情報、ケーパビリティ情報１やケーパビリティ情報２などのＵＥ１０の能力情報、ＬＧＷ４０ＡもしくＬ−ＰＧＷ４４ＡのアドレスなどのｅＮＢ２０Ａの近隣ゲートウェイの識別情報ＬＧＷ４０もしくはＬ−ＰＧＷ４４Ａに対応づけられたＬＨＮ  ＩＤなどを含めてもよい。
【０５２５】
ＭＭＥ３０Ｂはコンテキスト応答を受信する。なお、ＭＭＥ３０Ｂは、ＭＭＥ３０Ａからコンテキスト応答に含まれる情報に基づいて、ＵＥ１０のＰＤＮコネクションを再確立することを検知して良い。
【０５２６】
例えば、ＭＭＥ３０Ｂは、ｅＮＢ２０Ｂの近隣ゲートウェイと、ｅＮＢ２０Ａの近隣ゲートウェイが異なるゲートウェイであることを検出し、ＵＥ１０のＰＤＮコネクションを再確立することを決定して良い。もしくは、ＭＭＥ３０Ｂは、ｅＮＢ２０Ｂの近隣ゲートウェイに対応づけられるＬＨＮ  ＩＤと、ｅＮＢ２０Ａの近隣ゲートウェイに対応付けられるＬＨＮ  ＩＤが異なる場合、ＵＥ１０のＰＤＮコネクションを再確立することを検知して良い。
【０５２７】
上記、ＭＭＥ３０は、ＰＤＮコネクションを再確立することを検出するのでなく、ＰＤＮコネクションが最適でないことを検出して良い。また、ＭＭＥ３０はＰＤＮコネクションを再確立することを検出するのでなく、最適なＰＤＮコネクションを確立できることを検出して良い。また、ＭＭＥ３０は、ＰＤＮコネクションを再確立することを検出するのでなく、ＧＷスイッチを検出して良い。
【０５２８】
さらに、ＭＭＥ３０Ｂは、ＭＭＥ３０ＡへコンテキストＡＣＫを送信する（Ｓ１０１０）。ここで、ＭＭＥ３０ＢはコンテキストＡＣＫに、ＰＤＮコネクションを再確立することを示す情報を含めて良い。
【０５２９】
ＭＭＥ３０ＡはコンテキストＡＣＫを受信する。なお、ＵＥ１０がｅＮＢ２０Ｂへ移動した後であってもＭＭＥリロケーションせず、ＭＭＥ３０Ａが位置管理を行っていても良く、ＭＭＥ３０ＢはＭＭＥ３０Ａであって良い。つまり、ＭＭＥ３０ＢはＭＭＥ３０Ａへコンテキスト要求を送信せず、内部処理を行って良い。また、ＭＭＥ３０ＡはＭＭＥ３０Ｂへコンテキスト応答を送信せず、内部処理を行って良い。また、ＭＭＥ３０ＡはＭＭＥ３０ＢへコンテキストＡＣＫを送信せず、内部処理を行って良い。
【０５３０】
次に、ＭＭＥ３０ＢはＬ−ＳＧＷ４２Ｂへセッション生成要求を送信する（Ｓ１０１２）。さらに、Ｌ−ＳＧＷ４２Ｂはセッション生成要求を受信し、Ｌ−ＰＧＷ４４Ａへベアラ変更要求を送信する（Ｓ１０１４）。Ｌ―ＰＧＷ４４Ａはベアラ変更要求を受信した場合、ベアラ更新手続きを行う（Ｓ１０１６）。Ｌ−ＰＧＷ４４Ａはベアラ変更手続きを行った場合、Ｌ−ＳＧＷ４２Ｂへベアラ変更応答を送信する（Ｓ１０１８）。さらに、Ｌ−ＳＧＷ４２Ｂはベアラ変更応答を受信し、セッション生成応答を送信する（Ｓ１０２０）。
【０５３１】
ここで、ＭＭＥ３０ＢはＬ−ＳＧＷ４２Ｂへセッション生成要求を送信して良い（Ｓ１０１２）。さらに、Ｌ−ＳＧＷ４２Ｂはセッション生成要求を受信し、Ｌ−ＰＧＷ４４Ａへベアラ変更要求を送信して良い（Ｓ１０１４）。Ｌ−ＰＧＷ４４Ａはベアラ変更要求を受信した場合、ベアラ更新手続きを行ってよい（Ｓ１０１６）。Ｌ−ＰＧＷ４４Ａはベアラ変更手続きを行った場合、Ｌ−ＳＧＷ４２Ｂへベアラ変更応答を送信して良い（Ｓ１０１８）。さらに、Ｌ−ＳＧＷ４２Ｂはベアラ変更応答を受信し、セッション生成応答を送信して良い（Ｓ１０２０）。
【０５３２】
次に、ＭＭＥ３０Ｂは、ＨＳＳ７０へ位置情報更新を送信する（Ｓ１０２２）。ＨＳＳ７０はＭＭＥ３０Ｂから位置情報更新を受信し、ＵＥ１０における位置情報の更新がＭＭＥ３０Ｂから行われることを検知する。
【０５３３】
次に、ＨＳＳ７０はＭＭＥ３０Ａへ位置情報キャンセルを送信する（Ｓ１０２４）。ＭＭＥ３０ＡはＨＳＳ７０から位置情報キャンセルを受信して、ＵＥ１０における位置情報の更新を行わないことを検知する。ＭＭＥ３０ＡはＨＳＳ７０へ位置情報キャンセル応答を送信する（Ｓ１０２６）。
【０５３４】
ＨＳＳ７０は、ＭＭＥ３０Ａから位置情報キャンセル応答を受信して、ＭＭＥ３０ＡがＵＥ１０の位置情報を変更しないことを検出し、ＭＭＥ３０Ｂへ位置情報更新ＡＣＫを送信する（Ｓ１０２８）。ここで、ＨＳＳ７０はＭＭＥ３０ＢへＵＥ１０に関する情報を送信して良い。ＵＥ１０に関する情報とは、例えば、ＵＥ１０のＩＭＳＩや契約者情報であって良い。なお、契約者情報に、許可情報１や許可情報２などのＵＥ１０の許可情報が含まれていて良い。さらに契約者情報には、ＵＥ１０の位置に関する情報が含まれていて良い。
【０５３５】
なお、ＵＥ１０の移動によって、ＭＭＥ３０Ｂが変更されない場合（ＭＭＥリロケーションを検出しない場合）、ＭＭＥ３０Ｂは位置情報更新を送信（Ｓ１０２２）しなくて良い。つまり、ＭＭＥ３０Ｂは位置更新（Ｓ１０２２）からＨＳＳ７０の位置情報更新ＡＣＫ（Ｓ１０２８）を送信して良い。
【０５３６】
ＭＭＥ３０Ｂはゲートウェイスイッチの要否を検出する（Ｓ１０３０）。
【０５３７】
以下に、ＭＭＥ３０Ｂにおけるゲートウェイスイッチの検出と、検出結果に基づく手続き例を説明する。なお、ゲートウェイスイッチとは、ＵＥ１０が現在確立しているＰＤＮコネクションを、新たなＰＤＮコネクションを再確立して切り替えることを検出することであってよい。さらに、新たなＰＤＮコネクションは、現在確立しているＰＤＮコネクションとは異なるゲートウェイを端点として確立するＰＤＮコネクションであってよい。
【０５３８】
ＭＭＥ３０Ｂは、ｅＮＢ２０Ｂの近隣ゲートウェイの識別情報と、ｅＮＢ２０Ａの近隣ゲートウェイの識別情報が異なることを検出して、ゲートウェイスイッチを行うことを決定してもよい。
【０５３９】
既に説明したように、ゲートウェイの識別情報は、Ｌ−ＰＧＷもしくはＬＧＷアドレスであってもよいし、ＬＨＮ  ＩＤであってもよい。
【０５４０】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ＭＭＥ３０Ｂはゲートウェイスイッチを行うと決定しても良い。
【０５４１】
既に説明したように、ゲートウェイの識別情報はＬＨＮ  ＩＤであってよい。ＭＭＥ３０Ｂは、ｅＮＢ２０ＡはＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０５４２】
ここで、ｅＮＢ２０Ａは、ＭＭＥ３０ＡにｅＮＢ２０Ａが管理する近隣ゲートウェイ識別情報２４４を含めて送信しておき、さらに、ＭＭＥ３０Ａは、コンテキスト応答メッセージ（Ｓ１００８）に、ｅＮＢ２０Ａが管理する近隣ゲートウェイ識別情報２４４を含めて送信してもよい。これにより、ＭＭＥ３０ＢはｅＮＢ２０Ａが管理する近隣ゲートウェイ識別情報２４４を取得しても良い。
【０５４３】
また、ｅＮＢ２０Ｂは、ｅＮＢ２０が管理する近隣ゲートウェイ識別情報２４４をトラッキングエリア更新要求（Ｓ１００４）に含めて送信してもよい。これにより、ＭＭＥ３０ＢはｅＮＢ２０Ｂが管理する近隣ゲートウェイ識別情報２４４を取得しても良い。
【０５４４】
もしくは、ＭＭＥ３０Ｂは、ＵＥ１０が現在確立しているＰＤＮコネクションの端点のゲートウェイの識別情報と、取得したｅＮＢ２０Ｂの近隣ゲートウェイの識別情報が異なることを検出して、ゲートウェイスイッチを行うことを決定してもよい。
【０５４５】
既に説明したように、ゲートウェイの識別情報はＬＨＮ  ＩＤであってよい。ＭＭＥ３０Ｂは、ｅＮＢ２０ＡはＵＥ１０が現在確立しているＰＤＮコネクションの端点のゲートウェイの識別情報と、ＬＨＮ  ＩＤを基に選択したＬ−ＰＧＷもしくはＬＧＷアドレスとが異なる場合にゲートウェイスイッチを行うと決定しても良い。
【０５４６】
例えば、ｅＮＢ２０Ｂの近隣ゲートウェイの識別情報がＬ−ＰＧＷ４４Ｂのアドレスであり、ｅＮＢ２０Ａの近隣ゲートウェイの識別情報がＬ−ＰＧＷ４４Ａのアドレスであることから、ＭＭＥ３０Ｂはゲートウェイスイッチを行うと決定しても良い。
【０５４７】
なお、ＭＭＥ３０Ｂは、ＵＥ１０が現在確立しているＰＤＮコネクションの端点のゲートウェイの識別情報は、ＭＭＥ通信路コンテキスト４４２で管理している。ここで、ＭＭＥ通信路コンテキスト４４２は、ＭＭＥ３０Ａから取得してもよい。さらに、ＭＭＥ通信路コンテキスト４４２はコンテキスト応答メッセージ（Ｓ１００８）に含まれて送信されたものを取得しても良い。
【０５４８】
また、ｅＮＢ２０Ｂが管理する近隣ゲートウェイ識別情報２４４を取得する方法は以下のような方法であってよい。ｅＮＢ２０Ｂは、ｅＮＢ２０Ｂが管理する近隣ゲートウェイ識別情報２４４をトラッキングエリア更新要求（Ｓ１００４）に含めて送信してもよい。これにより、ＭＭＥ３０ＢはｅＮＢ２０Ｂが管理する近隣ゲートウェイ識別情報２４４を取得しても良い。
【０５４９】
このように、ＭＭＥ３０Ｂは近隣ゲートウェイの識別情報を用いて現在ＵＥ１０が確立するＰＤＮコネクションが最適でないことを検出して良い。また、最適なＰＤＮコネクションを再確立することを検出して良い。なお、ゲートウェイの識別情報がＬＨＮ−ＩＤであった場合にも、同様の手法によりゲートウェイスイッチの要否を検出することができる。
【０５５０】
さらに、ゲートウェイスイッチを行うか否かは、ＵＥ１０の許可情報に基づいて決定されてもよい。
【０５５１】
例えば、ＭＭＥ３０Ｂは、許可情報２もしくは許可情報４のように、ＵＥ１０が、異なるゲートウェイを端点とするＰＤＮコネクションへの切り替えが許可されている場合には、ゲートウェイスイッチを行うと決定してもよい。
【０５５２】
もしくは、ゲートウェイスイッチを行うか否かは、ＵＥ１０の許可情報に基づいて決定されてもよい。
【０５５３】
例えば、ＭＭＥ３０Ｂは、許可情報２のように、ＵＥ１０が、異なるゲートウェイを端点とするＰＤＮコネクションへの切り替えが許可されている場合には、ゲートウェイスイッチを行うと決定してもよい。
【０５５４】
もしくは、ＭＭＥ３０Ｂは、許可情報１のように、ＵＥ１０が、ＳＩＰＴＯ用のＰＤＮコネクションを確立することが許可されている場合には、ゲートウェイスイッチを行うと決定してもよい。
【０５５５】
なお、どのような許可情報に基づいて決定するかは、通信事業者によって設定されてよい。
【０５５６】
もしくは、ゲートウェイスイッチを行うか否かは、ＵＥ１０の能力情報に基づいて決定されてもよい。
【０５５７】
例えば、ＭＭＥ３０Ｂは、ケーパビリティ情報２のように、ＵＥ１０が、異なるゲートウェイを端点とするＰＤＮコネクションへ切り替えることができる場合には、ゲートウェイスイッチを行うと決定してもよい。
【０５５８】
もしくは、ＭＭＥ３０Ｂは、ケーパビリティ情報１のように、ＵＥ１０が、ＳＩＰＴＯ用のＰＤＮコネクションを確立することができる場合には、ゲートウェイスイッチを行うと決定してもよい。
【０５５９】
なお、どのような能力情報に基づいて決定するかは、通信事業者によって設定されてよい。
【０５６０】
もしくは、ゲートウェイスイッチを行うか否かは、ＡＰＮに基づいて決定されてもよい。
【０５６１】
例えば、ＭＭＥ３０Ｂは、現在確立しているＰＤＮコネクションを確立するためにＵＥ１０が使用したＡＰＮが、異なるゲートウェイを端点とするＰＤＮコネクションへの切り替えを許可されたＡＰＮである場合、ゲートウェイスイッチを行うと決定してもよい。
【０５６２】
もしくは、ＭＭＥ３０Ｂは、現在確立しているＰＤＮコネクションを確立するためにＵＥ１０が使用したＡＰＮが、ＳＩＰＴＯ用のＰＤＮコネクションの確立を許可するＡＰＮである場合、ゲートウェイスイッチを行うと決定してもよい。
【０５６３】
なお、どのような能力情報に基づいて決定するかは、通信事業者によって設定されてよい。
【０５６４】
また、ゲートウェイスイッチを行うか否かは、これまで説明した条件を２つ以上組み合わせて決定しても良い。
【０５６５】
これにより、再確立するＰＤＮコネクションは、許可情報１または、許可情報２などの許可情報に関連付けて管理するＰＤＮコネクションであって良い。また、上記、再確立するＰＤＮコネクションは、ケーパビリティ情報１またはケーパビリティ情報２などの能力情報に関連づけて管理するＰＤＮコネクションであって良い。
【０５６６】
また、再確立するＰＤＮコネクションは、複数確立したＰＤＮコネクションのうちの一部であってよい。本実施形態においては、再確立するＰＤＮコネクションは、第１のＰＤＮコネクションとする。  なお、ＭＭＥ３０Ｂは、ＧＷ選択で検出したＰＧＷ識別子と、ＭＭＥ３０Ｂで管理されるＰＤＮコネクションに関連付けられるＰＧＷ識別子とを比較し、ＰＤＮコネクションを再確立することを検出しても良い。
【０５６７】
ＭＭＥ３０Ｂは、受信したトラッキングエリア要求メッセージの応答として、トラッキングエリア更新アクセプトを送信する（Ｓ１０３６）。ここで、ＭＭＥ３０Ｂはトラッキングエリア更新アクセプトにｉｎｄｉｃａｔｏｒ３を含めて送信してもよい。また、ｉｎｄｉｃａｔｏｒ３を含めるか否かは、ゲートウェイスイッチの検出に基づいて決定しても良い。具体的には、ゲートウェイスイッチが必要と決定した場合には、ｉｎｄｉｃａｔｏｒ３を含めて送信し、ゲートウェイスイッチが必要ない場合には、ｉｎｄｉｃａｔｏｒ３を含めずに送信してもよい。
【０５６８】
また、ＭＭＥ３０Ａは、ｉｎｄｉｃａｔｏｒ３を通知する場合、ＰＤＮコネクションを識別する情報を対応付けて送信してもよい。これにより、ＭＭＥ３０Ａは、再確立を要求するＰＤＮコネクションを特定する情報をＵＥ１０に通知してもよい。  なお、ＰＤＮコネクションを識別する情報は、ＰＤＮコネクションＩＤ、ベアラＩＤ、ＡＰＮ、ＩＰアドレス（ＰＤＮアドレス）もしくはＴＥＩＤなど、ＰＤＮコネクションに対応付けられた情報であって良い。
【０５６９】
図１１Ｂにトラッキングエリア更新アクセプトのメッセージ内容を示す。トラッキングエリア更新アクセプトのメッセージは、ＭＭＥ３０ＢからＵＥ１０に送信される。
【０５７０】
図１１Ｂに示すように、トラッキングエリア更新アクセプトには、プロトコル識別子、セキュリティヘッダタイプ、トラッキングエリア更新アクセプトメッセージＩＤ、ＥＰＳ更新結果、スペアハーフオクテットが含まれる。その他、Ｔ３４１２値、ＧＵＴＩ、ＴＡＩリスト、ＥＰＳベアラコンテキストステータス、位置エリアＩＤ、ＭＳ  ＩＤ、ＥＭＭ原因、Ｔ３４０２値、Ｔ３４２３値、等価なＰＬＭＮ、緊急ナンバーリスト、ＥＰＳネットワーク特徴サポート、追加の更新結果、Ｔ３４１２拡張値、Ｔ３３２４値、Ｉｎｄｉｃａｔｏｒ３が含まれて良い。
【０５７１】
なお、プロトコル識別子には、レイヤ３におけるＥＰＳ移動管理に関するメッセージが含まれる。セキュリティヘッダタイプには、ＮＡＳメッセージのセキュリティに関する情報が含まれる。トラッキングエリア更新アクセプトメッセージＩＤは、トラッキングエリア更新アクセプトを示すＩＤが含まれる。ＥＰＳ更新結果には、関連付けられる更新手続きの結果を示す情報が含まれる。
【０５７２】
スペアハーフオクテットには、スペア（ゼロ“０”）が含まれる。Ｔ３４１２値には、ＧＰＲＳ用のタイマー値が含まれる。Ｔ３４１２では、定期的なトラッキングエリア更新手続きを制御するための時間に関する情報が含まれる。
【０５７３】
ＧＵＴＩには、ＵＥ１０に割り当てたＧＵＴＩが含まれる。ＴＡＩリストには、ＴＡＩ（Ｔｒａｃｋｉｎｇ  Ａｒｅａ  ＩＤ）が含まれる。ＥＰＳベアラコンテキストステータスには、ＥＰＳベアラコンテキストの状態を示す情報が含まれる。
【０５７４】
位置エリアＩＤには、３ＧＰＰシステム（３ＧＰＰネットワーク）によってカバーされる位置情報が含まれる。ＭＳＩＤには、ＵＥ１０を識別する情報が含まれる。ＵＥ１０を識別する情報であれば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）、ＩＭＥＩＳＶ（Ｉｎｔｅｒｎａｔｉｏｎａｌ  Ｍｏｂｉｌｅ  Ｅｑｕｉｐｍｅｎｔ  Ｉｄｅｎｔｉｔｙ  ｔｏｇｅｔｈｅｒ  ｗｉｔｈ  ｔｈｅ  Ｓｏｆｔｗａｒｅ  Ｖｅｒｓｉｏｎ  ｎｕｍｂｅｒ）のいずれでもよい。また、ＴＭＳＩはＰ−ＴＭＳＩ（Ｐａｃｋｅｔ  ｓｗｉｔｃｈｅｄ−ＴＭＳＩ）、Ｍ−ＴＭＳＩ（ＭＭＥ−ＴＭＳＩ）であって良い。
【０５７５】
ＥＭＭ原因には、トラッキングエリア更新が失敗した理由に関する情報が含まれる。Ｔ３４０２値には、ＧＰＲＳで規定されているタイマー値が含まれる。Ｔ３４０２では、トラッキングエリア更新手続きに失敗した後に、次に、トラッキングエリア更新手続きを開始するまでの時間を規定している。
【０５７６】
Ｔ３４２３には、ＧＰＲＳで規定されているタイマー値が含まれる。Ｔ３４１２では、ＵＥ１０が利用可能なセルがないことを検出した場合に、Ｔ３４１２で設定された時間の後、ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）をＰ−ＴＭＳＩに書き換える必要がある。
【０５７７】
等価なＰＬＭＮには、ＵＥ１０に新しくＰＬＭＮリストを割り当てが含まれる。緊急ナンバーリストには、緊急サービスに関する情報が含まれる。
【０５７８】
ＥＰＳネットワーク特徴サポートにはネットワークにおいて、いくらかの特徴がサポートされるかどうかを示す情報が含まれる。いくらかの特徴とは、ＩＭＳの音声がパケットセッション上（ＩＭＳ  ＶｏＰＳ、ＩＭＳ  ｖｏｉｃｅ  ｏｖｅｒ  ＰＳ  ｓｅｓｓｉｏｎ  ｉｎｄｉｃａｔｏｒ）でサポートされているかどうかを示す情報や、緊急ベアラサービス（ＥＭＣ  ＢＳ、ＥＭｅｒｇｅｎＣｙ  Ｂｅａｒｅｒ  Ｓｅｒｖｉｃｅｓ  ｉｎｄｉｃａｔｏｒ）がサポートされているかを示す情報や、ＥＰＣで位置情報サービス通知（ＥＰＣ−ＬＣＳ、Ｌｏｃａｔｉｏｎ  Ｓｅｒｖｉｃｅ  ｉｎｄｉｃａｔｏｒ  ｉｎ  ＥＰＣ）がサポートされているかどうかを示す情報や、ＣＳで、位置情報サービス通知（ＣＳ−ＬＣＳ、Ｌｏｃａｔｉｏｎ  Ｓｅｒｖｉｃｅ  ｉｎｄｉｃａｔｏｒ  ｉｎ  ＣＳ）がサポートされているかどうかを示す情報や、パケットサービスに対して、拡張したサービス要求（ＥＳＲ  ＰＳ、Ｓｕｐｐｏｒｔ  ｏｆ  ＥＸＴＥＮＤＥＤ  ＳＥＲＶＩＣＥ  ＲＥＱＵＥＳＴ  ｆｏｒ  ｐａｃｋｅｔ  ｓｅｒｖｉｃｅ）がサポートされているかどうかを示す情報が含まれる。
【０５７９】
追加の更新結果には上記で示した更新結果に加え、関連付けられる更新手続きの結果を示す情報が含まれる。追加の更新結果として、ＣＳフォールバックは好まれないことを示したり、ＳＭＳのみが有効であることを示したりすることができる。なお、追加の更新結果として、新たな情報はないことを示すこともできる。
【０５８０】
Ｔ３４１２拡張値は、ＧＰＲＳタイマー３で規定されたタイマー値が含まれる。Ｔ３４１２拡張値は、ＵＥ１０がベアラ更新の時間を制御するための時間が含まれる。
【０５８１】
Ｔ３３２４値は、ＧＰＲＳタイマーで規定された情報が含まれる。Ｔ３３２４値は、ＵＥ１０が利用可能なセルがない状態を検出した場合、ＰＳＭ（Ｐｏｗｅｒ  Ｓａｖｉｎｇ  Ｍｏｄｅ）へ遷移するまでの時間を示している。なお、ｉｎｄｉｃａｔｏｒ３は、ｉｎｄｉｃａｔｏｒ３とは別の名称であって良い。
【０５８２】
ここで、図１１Ｂで示すｉｎｄｉｃａｔｏｒ３は上記のプロトコル識別子からＴ３３４２値までの情報要素とは別で構成されるように記載しているが、上記の情報要素に含まれて良い。例えば、ＥＭＭ原因に含まれていて良い。
【０５８３】
ＵＥ１０はトラッキングエリア更新アクセプトを受信する。さらに、ＵＥ１０は、トラッキング更新アクセプトにふくまれるｉｎｄｉｃａｔｏｒ３を受信してもよい。さらに、これにより、ＵＥ１０はＰＤＮコネクションを再確立する必要があることを検出して良い。
【０５８４】
また、ＵＥ１０は、トラッキングエリア更新アクセプトの受信により、ｉｎｄｉｃａｔｏｒ３と、第１のＰＤＮコネクションを示す情報を受信してもよい。
【０５８５】
一方、ＭＭＥ３０ＡはＬ−ＳＧＷ４２Ａにセッション削除要求を送信する（Ｓ１０３２）。また、Ｌ−ＳＧＷ４２ＡはＭＭＥ３０Ａにセッション削除応答を送信する（Ｓ１０３４）。なお、ｅＮＢ２０ＡとＬ−ＳＧＷ４２Ａ間の接続が削除されている場合には、ＭＭＥ３０Ａはセッション削除要求を送信せず（Ｓ１０３２）、Ｌ−ＳＧＷ４２Ａはセッション削除応答を送信しなくて良い。
【０５８６】
以上により、ＵＥ１０はトラッキングエリア更新手続きを完了することができる。トラッキングエリア更新手続きにより、ＵＥ１０はＰＤＮコネクションを再確立することを検出する。ＵＥ１０はＰＤＮコネクションを再確立することにより、第２のＰＤＮコネクションを確立し、第１のＰＤＮコネクションを削除することを検出する。
【０５８７】
なお、これまで説明したトラッキングエリア更新手続きは、図６を用いて説明したように、ハンドオーバ手続き（Ｓ６０４）を完了し、トリガーの検出（Ｓ６０４）を行った後、実行すると説明したが、ハンドオーバ手続き１もしくはハンドオーバ手続き２などのハンドオーバ手続き中に実行されてもよい。
【０５８８】
例えば、図７を用いて説明したハンドオーバ手続き１において説明したトラッキングエリア更新手続き（Ｓ７３４）は、本トラッキングエリア更新手続きであってよい。また、図８Ａ及び図８Ｂを用いて説明したハンドオーバ手続き２において説明したトラッキングエリア更新手続き（Ｓ８５６）は、本トラッキングエリア更新手続きであってよい。なお、これらのトラッキングエリア更新手続きは、図６を用いて説明したトリガーの検出処理（Ｓ６０４）を実行し、トリガーを検出した場合のみ、実行してもよい。
【０５８９】
［１．３．４  ＰＤＮ接続手続き］
次に、図６を用いて説明したＰＤＮ接続手続き（Ｓ６０８）の詳細を説明する。ＵＥ１０は、ＰＤＮ接続手続きを実行することにより、第２のＰＤＮコネクションを確立することができる。
【０５９０】
また、ＵＥ１０は、第１のＰＤＮコネクションと比べ、より最適なＰＤＮコネクションを確立することができることを検出して、ＰＤＮ接続手続きを開始してよい。なお、こうした検出は、既に説明したとおり、ｉｎｄｉｃａｔｏｒ１の取得に基づいてＰＤＮ接続手続きを開始してもよい。もしくは、ＵＥ１０は、ｉｎｄｉｃａｔｏｒ３の取得に基づいてＰＤＮ接続手続きを開始してもよい。もしくは、ＵＥ１０は、ｉｎｄｉｃａｔｏｒ１とｉｎｄｉｃａｔｏｒ３を取得していることに基づいてＰＤＮ接続手続きを開始してもよい。
【０５９１】
なお、第２のＰＤＮコネクションは、第１のＰＤＮコネクションの情報を利用して確立して良い。
まず、ＵＥ１０はＭＭＥ３０ＢにＰＤＮ接続要求を送信し、ＰＤＮ接続手続きを開始する（Ｓ１２０２）。
【０５９２】
なお、ＵＥ１０はＰＤＮコネクションを再確立することを検出した場合、即座にＰＤＮ接続手続きを開始して良いし、アイドルモードに遷移するまでＰＤＮコネクションを再確立せず、アイドルモードに遷移した後、ＰＤＮ接続手続きを開始して良い。
【０５９３】
ＵＥ１０は、ＰＤＮ接続要求メッセージに、ＡＰＮを含めて送信してもよい。さらに、ＵＥ１０は、ＰＤＮ接続要求に第１のＰＤＮコネクションを識別する情報を含めて送信してもよい。ここで、なお、ＰＤＮコネクションを識別する情報は、ＬＢＩ、ＰＤＮコネクションＩＤ、ベアラＩＤ、ＡＰＮ、ＩＰアドレス（ＰＤＮアドレス）もしくはＴＥＩＤなど、第１のＰＤＮコネクションに対応付けられた情報であって良い。
【０５９４】
さらに、ＵＥ１０は、第１のＰＤＮコネクションに割り当てられたＩＰアドレスと同じＩＰアドレスを要求することを要求することを示す識別情報を含めてＰＤＮ接続要求を送信してもよい。なお、識別情報は、第１のＰＤＮコネクションの確立に用いたＡＰＮ、第１のＰＤＮコネクションに対応付けられるＩＰアドレス、ＬＢＩ、ＰＤＮコネクションＩＤ、ベアラＩＤ、もしくはＴＥＩＤであってよい。さらに、ＵＥ１０は、ＰＤＮ接続要求に許可情報１もしくは許可情報２などＵＥ１０の許可情報を含めて送信してもよい。
【０５９５】
ここで、ＵＥ１０は第１のＰＤＮコネクションの確立に用いたＡＰＮを用いて第２のＰＤＮコネクションの確立を要求する例を説明したが、異なるＡＰＮを用いて第２のＰＤＮコネクションの確立を要求してもよい。
【０５９６】
例えば、ＵＥ１０は、ＡＰＮ１を用いて第２のＰＤＮコネクションの確立を要求し、ＳＩＰＴＯ用のＰＤＮコネクションであり、且つ、異なるゲートウェイを端点としたＰＤＮコネクションへの切り替えは許可されないＰＤＮコネクションを確立してもよい。
【０５９７】
また、ＵＥ１０は、ＡＰＮ２を用いて第２のＰＤＮコネクションの確立を要求し、ＳＩＰＴＯ用のＰＤＮコネクションであり、且つ、異なるゲートウェイを端点としたＰＤＮコネクションへの切り替えが許可されるＰＤＮコネクションを確立してもよい。
【０５９８】
また、ＵＥ１０は、ＡＰＮ３を用いて第２のＰＤＮコネクションの確立を要求し、コアネットワーク７に含まれるＰＤＮゲートウェイを端点としたＰＤＮコネクションであり、且つ、異なるゲートウェイを端点としたＰＤＮコネクションへの切り替えが許可されないＰＤＮコネクションを確立してもよい。
【０５９９】
また、ＵＥ１０は、ＡＰＮ４を用いて第２のＰＤＮコネクションの確立を要求し、コアネットワーク７に含まれるＰＤＮゲートウェイを端点としたＰＤＮコネクションであり、且つ、異なるゲートウェイを端点としたＰＤＮコネクションへの切り替えが許可されないＰＤＮコネクションを確立してもよい。
【０６００】
さらに、ＵＥ１０は、ＰＤＮ接続要求にケーパビリティ情報１もしくはケーパビリティ情報２などＵＥ１０の能力情報を含めて送信してもよい。
【０６０１】
なお、ＵＥ１０が送信するＰＤＮ接続要求はｅＮＢ２０Ｂ経由で送信される。ここで、ｅＮＢ２０Ｂは、ＭＭＥ３０Ｂへ送信するＰＤＮ接続要求に、Ｌ−ＰＧＷ４４ＢもしくはＬＧＷ４０Ｂなど、ｅＮＢ２０Ｂが管理する近隣ゲートウェイの識別情報を含めて良い。また、ｅＮＢ２０ＢはＭＭＥ３０Ｂへ送信するＰＤＮ接続要求に、Ｌ−ＰＧＷ４４ＢもしくはＬＧＷ４０Ｂのネットワークを示すＬＨＮ  ＩＤを含めて良い。
【０６０２】
また、ｅＮＢ２０Ｂは、ＰＤＮ接続要求メッセージを用いるのではなく、予めこうした情報をＭＭＥ３０Ｂへ通知しておいてもよい。
【０６０３】
例えば、ｅＮＢ２０ＢはＭＭＥ３０ＢへＰＤＮ接続要求メッセージとは別に、初期ＵＥメッセージや上りリンクＮＡＳトランスポートメッセージに含めて、ＬＨＮ  ＩＤを通知しても良い。また、ｅＮＢ２０ＢはＭＭＥ３０ＢへＰＤＮ接続要求メッセージとは別に、初期ＵＥメッセージや上りリンクＮＡＳトランスポートメッセージに含めて、ＬＧＷ４０ＢのＬＧＷアドレスなど、近隣ゲートウェイを識別する情報を通知してもよい。
【０６０４】
ＭＭＥ３０ＢはＵＥ１０またはｅＮＢ２０からＰＤＮ接続要求を受信する。ＭＭＥ３０ＢはＰＤＮ接続要求を受信し、ＵＥ１０がＰＤＮコネクションを再確立することを検知する。ここで、ＵＥ１０がＰＤＮコネクションを再確立することを示す情報は、ＰＤＮ接続要求に含まれるＡＰＮや第１のＰＤＮコネクションの識別情報であってよい。つまり、ＭＭＥ３０Ｂは、ＰＤＮ接続要求に含まれるＡＰＮや第１のＰＤＮコネクションの識別情報をもとに行ってよい。また、ＭＭＥ３０Ｂは、ＵＥ１０の許可情報や能力情報をもとに、ＰＤＮコネクションを再確立することを検出して良い。
【０６０５】
また、ＭＭＥ３０Ｂは、第１のＰＤＮコネクションに割り当てていたＩＰアドレスを、第２のＰＤＮコネクションへ割り当てることを決定してもよい。さらに、ＭＭＥ３０Ｂは、ＩＰアドレスをＬ−ＰＧＷ４０Ｂへ通知し、このＩＰアドレスをＵＥ１０に割り当てることを要求して良い。
【０６０６】
なお、この決定は、ＵＥ１０が送信した、第１のＰＤＮコネクションに割り当てられたＩＰアドレスと同じＩＰアドレスを要求することを要求することを示す識別情報の受信に基づいて決定してもよい。
【０６０７】
さらに、ＭＭＥ３０Ｂは、ＰＤＮ接続要求に含まれるＡＰＮにより、ＰＤＮコネクションを確立するためのＧＷ選択をしてもよい。ここで、ＧＷ選択とは、ＵＥ１０が確立する第２のＰＤＮコネクションの端点となるゲートウェイ装置を選択することである。
【０６０８】
なお、ＭＭＥ３０Ｂは、ｅＮＢ２０Ｂの近隣のゲートウェイを選択し、ＰＤＮコネクションを確立してもよい。
【０６０９】
さらに、ＭＭＥ３０Ｂは、ＡＰＮ１もしくはＡＰＮ２など、ＳＩＰＴＯ用のＰＤＮコネクションの確立を許可するＡＰＮを受信した場合には、アクセスネットワークに含まれるゲートウェイを選択してもよい。また、ＡＰＮ３もしくはＡＰＮ４などのＡＰＮを受信した場合には、コアネットワーク７に含まれるゲートウェイを選択してもよい。
【０６１０】
また、ＭＭＥ３０Ｂは、ＰＤＮ接続要求に含まれるＰＤＮコネクションＩＤにより、ＰＤＮコネクションを再確立するためのＧＷ選択を行うことを検知して良い。また、ＭＭＥ３０Ｂは、ＰＤＮ接続要求に含まれるベアラＩＤにより、ＰＤＮコネクションを再確立するためのＧＷ選択を行うことを検知して良い。
【０６１１】
ここで、ＭＭＥ３０Ｂは、ＰＤＮコネクションを再確立することではなく、ＰＤＮコネクションが最適でないことを検出して良い。また、ＭＭＥ３０Ｂは、最適なＰＤＮコネクションを確立できることを検知して良い。ＭＭＥ３０Ｂは、ＧＷスイッチを検知して良い。
【０６１２】
なお、ＭＭＥ３０Ｂは、ＰＤＮ接続要求の受信に基づいて、第２のＰＤＮコネクションの端点となるゲートウェイを選択する。
【０６１３】
ＭＭＥ３０Ｂは、Ｌ−ＰＧＷ４４ＢもしくはＬＧＷ４０Ｂなど、ｅＮＢ２０Ｂの近傍のゲートウェイ装置を選択する。
【０６１４】
ＭＭＥ３０Ｂは、ｅＮＢ２０Ｂから通知されたＬＧＷ４０ＢのＬＨＮ  ＩＤにより、ｅＮＢ２０Ｂの近隣ゲートウェイを選択して良い。
【０６１５】
また、ＭＭＥ３０ＢはＨＳＳ７０に問い合わせを行うことにより、ゲートウェイを選択してもよい。ＭＭＥ３０Ｂは、ＡＰＮをＨＳＳ７０に送信し、Ｌ−ＰＧＷ４４ＢもしくはＬＧＷ４０Ｂの識別情報を受け取ってよい。
【０６１６】
次に、ＭＭＥ３０ＢはＬ−ＳＧＷ４２Ｂへセッション生成要求を送信する（Ｓ１２０４）。ここで、ＭＭＥ３０Ｂは、セッション生成要求にＰＤＮコネクションに関する情報を含んでよい。ＰＤＮコネクションに関する情報とは、ＰＤＮコネクションＩＤやベアラＩＤ、ＡＰＮ、ＩＰアドレスであって良い。ＭＭＥ３０Ｂはセッション生成要求にＰＤＮコネクションに関する情報を含めることにより、第１のＰＤＮコネクションで割り当てられているＩＰアドレスを、再確立するために確立する第２のＰＤＮコネクションにおいて割り当てることを要求して良い。
【０６１７】
Ｌ−ＳＧＷ４２ＢはＬ−ＰＧＷ４４Ｂへセッション生成要求を送信する（Ｓ１２０６）。また、Ｌ−ＳＧＷ４２Ｂはセッション生成要求にＰＤＮコネクションに関する情報を含めて良い。セッション生成要求を受信したＬ−ＰＧＷ４４Ｂはセッション確立手続きを行う（Ｓ１２０８）。ここで、Ｌ−ＰＧＷ４４Ｂはセッション生成要求にＰＤＮコネクションに関する情報が含まれている場合、該当する第１のＰＤＮコネクションで割り当てられていたＩＰアドレスを再確立するために確立する第２のＰＤＮコネクションでも割り当てることを要求されていることを検出して良い。
【０６１８】
Ｌ−ＰＧＷ４４Ｂは割り当てられていたＩＰアドレスを再確立するために確立する第２のＰＤＮコネクションでも割り当てることを要求されていることを検出した場合、第２のＰＤＮコネクションに割り当てるＩＰアドレスを、第１のＰＤＮコネクションで割り当てられていたＩＰアドレスにしてよい。ここで、Ｌ−ＰＧＷ４４Ｂは、第３のサーバ装置（ＤＨＣＰなど）により、ＩＰアドレスの割り当てを委託している場合、第３のサーバ装置から割り当てを示す情報を示してよい。
【０６１９】
Ｌ−ＰＧＷ４４Ｂは、第１のＰＤＮコネクションで割り当てられていたＩＰアドレスを再確立するために、確立する第２のＰＤＮコネクションでも割り当てることを要求されていることを検出しなかった場合、第２のＰＤＮコネクションに割り当てるＩＰアドレスを、任意に決定して良い。
【０６２０】
なお、上記以外は、セッション生成要求の送信（Ｓ１２０４）からセッション生成要求の送信（Ｓ１２０８）は、従来の手続きと同様である。
【０６２１】
セッション確立手続きを完了したＬ−ＰＧＷ４４ＢはＬ−ＳＧＷ４２Ｂへセッション生成応答を送信する（Ｓ１２１０）。ここで、Ｌ−ＰＧＷ４４Ｂはセッション生成応答を送信する前に、ＰＤＮコネクションＩＤ割り当てて良い。割り当てたＰＤＮコネクションＩＤは、Ｌ−ＳＧＷ４２Ｂ、ＭＭＥ３０Ｂ、ＵＥ１０において、管理されて良い。割り当てたＰＤＮコネクションＩＤをセッション生成応答に含めて送信して良い。
【０６２２】
なお、Ｌ−ＰＧＷ４４Ｂは、ＰＤＮコネクションを確立することを検出して、ＰＤＮコネクションＩＤを割り当てて良い。Ｌ−ＰＧＷ４４Ｂは、新たにＰＤＮコネクションの識別情報を割り当ててもよいし、第１のＰＤＮコネクションと同じＰＤＮコネクションＩＤを、第２のＰＤＮコネクションに割り当てて良い。
【０６２３】
一方、セッション確立手続きを完了したＬ−ＰＧＷ４４Ｂはセッション生成応答を送信せず（Ｓ１２１０）、内部処理を行って良い。ここで、Ｌ−ＰＧＷ４４Ｂはセッション生成応答を送信する前に、ＰＤＮコネクションＩＤを割り当てて良い。割り当てたＰＤＮコネクションＩＤは、Ｌ−ＰＧＷ４４Ｂ、Ｌ−ＳＧＷ４２Ｂ、ＭＭＥ３０Ｂ、ＵＥ１０において、管理されて良い。割り当てたＰＤＮコネクションＩＤをセッション生成応答に含めて送信して良い。
【０６２４】
さらに、Ｌ−ＳＧＷ４２ＢはＭＭＥ３０Ｂへセッション生成応答を送信する（Ｓ１２１１）。ここで、Ｌ−ＳＧＷ４２ＢはＬ―ＰＧＷ４４ＢからＰＤＮコネクションＩＤを受信している場合、セッション生成応答に、ＰＤＮコネクションＩＤを含めて良い。
【０６２５】
ＭＭＥ３０Ｂは、セッション生成応答を受信する。ＭＭＥ３０Ｂはセッション生成応答にＰＤＮコネクションＩＤが含まれている場合、ＰＤＮコネクションＩＤを管理して良い。また、ＰＤＮコネクションＩＤが含まれていない場合、ＰＤＮコネクションＩＤを割り当てて良い。
【０６２６】
また、ＭＭＥ３０Ｂは、ＥＰＳベアラＩＤを割り当てて良い。なお、ＥＰＳベアラＩＤはＰＤＮコネクションと関連付けて管理して良い。
【０６２７】
次に、ＭＭＥ３０Ｂは、ｅＮＢ２０Ｂへベアラ設定要求/ＰＤＮ接続許可通知を送信する（Ｓ１２１２）。なお、ＭＭＥ３０Ｂはベアラ設定要求またはＰＤＮ接続許可通知に、新しく確立したＰＤＮコネクションに関する情報を含めて通知する。なお、ＭＭＥ３０ＢはＰＤＮ接続許可通知に、最適でないＰＤＮコネクションを削除することを示す情報を含めて良い。また、最適でないＰＤＮコネクションを削除することを示す情報は、多種多様な識別子があるが、ＥＰＳベアラＩＤやＰＤＮコネクションＩＤ、ＡＰＮ、ＰＤＮアドレスのいずれであって良い。また、最適でないＰＤＮコネクションを削除することを示す情報は、ベアラＩＤやＰＤＮコネクションＩＤ、ＡＰＮ、ＰＤＮアドレスの組み合わせであって良い。
【０６２８】
また、ＭＭＥ３０Ｂは、新たに割り当てるＰＤＮコネクションを示す情報を含めて良い。なお、新たに割り当てるＰＤＮコネクションを示す情報は、多種多様な識別子があるが、ベアラＩＤやＰＤＮコネクションＩＤ、ＡＰＮ、ＰＤＮアドレスのいずれであって良い。また、新たに割り当てるＰＤＮコネクションを示す情報は、ベアラＩＤやＰＤＮコネクションＩＤ、ＡＰＮ、ＩＰアドレスの組み合わせであって良い。
【０６２９】
さらに、ｅＮＢ２０Ｂはベアラ設定要求/ＰＤＮ接続許可通知を受信し、ＵＥ１０へＲＲＣ接続再設定通知を送信する（Ｓ１２１４）。なお、ｅＮＢ２０ＢはＵＥ１０へＲＲＣ接続再設定通知にＰＤＮ接続許可通知を含める。ここで、ｅＮＢ２０ＢはＵＥ１０へＲＲＣ接続再設定通知とは別にＰＤＮ接続許可通知を含めて良い。つまり、ｅＮＢ２０ＢはＰＤＮ接続許可通知を転送することにより、新しく確立したＰＤＮコネクションに関する情報を通知する。また、ｅＮＢ２０ＢはＰＤＮ接続許可通知を転送することにより、最適でないＰＤＮコネクションを削除することを示す情報を通知して良い。
【０６３０】
ＵＥ１０はｅＮＢ２０ＢからＲＲＣ接続再設定通知を受信する。ここで、ＵＥ１０はｅＮＢ２０ＢからＰＤＮ接続許可通知に含まれる新しく確立したＰＤＮコネクションに関する情報を検知し、ＵＥ１０において管理する。なお、新たに割り当てるＰＤＮコネクションを示す情報は、多種多様な識別子があるが、ＥＰＳベアラＩＤやＰＤＮコネクションＩＤ、ＡＰＮ、ＰＤＮアドレスのいずれであって良い。また、新たに割り当てるＰＤＮコネクションを示す情報は、ベアラＩＤやＰＤＮコネクションＩＤ、ＡＰＮ、ＰＤＮアドレスの組み合わせであって良い。また、ＵＥ１０はＰＤＮコネクションとともに、ベアラＩＤやＰＤＮコネクションＩＤ、ＡＰＮ、ＰＤＮアドレスを関連付けて管理して良い。
【０６３１】
また、ＵＥ１０はｅＮＢ２０ＢからＰＤＮ接続許可通知に含まれる最適でないＰＤＮコネクションを削除することを示す情報を検知する。また、最適でないＰＤＮコネクションを削除することを示す情報は、多種多様な識別子があるが、ベアラＩＤやＰＤＮコネクションＩＤ、ＡＰＮ、ＰＤＮアドレスのいずれであって良い。また、最適でないＰＤＮコネクションを削除することを示す情報は、ベアラＩＤやＰＤＮコネクションＩＤ、ＡＰＮ、ＰＤＮアドレスの組み合わせであって良い。
【０６３２】
ＵＥ１０はｅＮＢ２０ＢへＲＲＣ接続再設定完了通知を送信する（Ｓ１２１６）。ｅＮＢ２０ＢはＭＭＥ３０Ｂへベアラ設定応答を送信する（Ｓ１２１８）。
【０６３３】
また、ＵＥ１０はｅＮＢ２０Ｂへ直接転送を送信する（Ｓ１２２０）。ｅＮＢ２０ＢはＭＭＥ３０ＢへＰＤＮ接続完了を送信する（Ｓ１２２２）。ＭＭＥ３０ＢはＬ−ＳＧＷ４４Ｂへベアラ変更要求を送信する（Ｓ１２２４）。Ｌ−ＳＧＷ４４ＢはＭＭＥ３０Ｂへベアラ変更応答を送信する（Ｓ１２３０）。なお、ＲＲＣ接続再設定通知の送信（Ｓ１２１４）からベアラ変更応答の送信（Ｓ１２２４）は、従来の手続きと同様であるため、その詳細な説明は省略する。
【０６３４】
以上の手続きにより、ＵＥ１０は最適な第２のＰＤＮコネクションを確立し、第２のＰＤＮコネクションを用いてデータの送受信を行うことができる。
【０６３５】
［１．３．５  ＰＤＮ切断手続き］
次に、図６を用いて説明したＰＤＮ切断手続き（Ｓ６１０）の詳細を、図１３を用いて説明する。ＰＤＮ切断手続きにより、最適でない第１のＰＤＮコネクションを削除することができる。なお、ＰＤＮ切断手続きは、ＵＥ１０に要求されるＰＤＮ切断手続きとＭＭＥ３０Ｂに要求されるＰＤＮ切断手続きとがある。ＵＥに要求されるＰＤＮ切断手続きは、ＵＥ１０により開始されるＵＥ主導のＰＤＮ切断手続きである。また、ＭＭＥ３０Ｂに要求されるＰＤＮ切断手続きは、ＭＭＥ３０Ｂ主導のＰＤＮ切断手続きである。
【０６３６】
［１．３．５．１  ＵＥに要求されるＰＤＮ切断手続き］
ＵＥ１０はＭＭＥ３０ＢへＰＤＮ切断要求を送信する（Ｓ１３０２）。ここで送信するＰＤＮ接続要求は、図１２を用いて説明した第２のＰＤＮコネクションを確立するためのＰＤＮ確立要求メッセージと同じメッセージであってよい。つまり、ＵＥ１０は、第２のＰＤＮコネクションの確立と、第１のＰＤＮコネクションの削除を、単一のＰＤＮ接続要求メッセージにより要求してもよい。
【０６３７】
また、ＵＥ１０はＰＤＮ接続要求にｉｎｄｉｃａｔｏｒ４を含めて送信してもよい。ｉｎｄｉｃａｔｏｒ４は、ＰＤＮ接続要求において、新たに第２のＰＤＮコネクションを確立するとともに、ＵＥ１０が確立している最適でない第１のＰＤＮコネクションを削除することを示す情報である。
【０６３８】
なお、ＵＥ１０はＰＤＮ接続要求に、ｉｎｉｃａｔｏｒ４を含めるかどうかを、ケーパビリティ情報１もしくはケーパビリティ情報２など、ＵＥ１０のケーパビリティ情報に基づいて決定してもよい。もしくは、ＵＥ１０は、許可情報１もしくは許可情報２など、ＵＥ１０の許可情報に基づいて決定してもよい。
【０６３９】
また、具体的なｉｎｄｉｃａｔｏｒ４は、ＵＥ１０の許可情報もしくはケーパビリティ情報であってよい。
【０６４０】
上記以外は、ＰＤＮ接続要求（１２０２）で説明したため、詳細な説明は省略する。つまり、ＵＥ１０は、ＰＤＮ接続要求（１２０２）で説明した情報要素に加え、ｉｎｄｉｃａｔｏｒ４を含めて送信して良い。また、１２０２において、ＵＥ１０はｉｎｄｉｃａｔｏｒ４を含めて送信して良い。
【０６４１】
なお、ＵＥ１０は第１のＰＤＮコネクションに関連付けられるＬＢＩやベアラＩＤ、ＰＤＮコネクションＩＤ、ＡＰＮ、ＰＤＮアドレスを含めることで、ＰＤＮコネクションを再確立することを示すことができる。
【０６４２】
なお、ＵＥ１０は、ＰＤＮ切断要求に、ＰＤＮ接続許可通知に含まれる最適でない第１のＰＤＮコネクションを削除することを示す情報を含めて良い。ＰＤＮコネクションを削除することを示す情報とはＬＢＩやベアラＩＤ、ＰＤＮコネクションＩＤやＡＰＮ、ＰＤＮアドレスのいずれであって良い。
【０６４３】
ＭＭＥ３０ＢはＵＥ１０からｉｎｄｉｃａｔｏｒ４が含まれるＰＤＮ接続要求を受信する。ＭＭＥ３０ＢはＰＤＮ接続要求に含まれるｉｎｄｉｃａｔｏｒ４を受信することにより、ＰＤＮコネクションを再確立することを検出する。つまり、ＭＭＥ３０ＢはＰＤＮコネクションを確立するための処理を行うとともに、最適でないＰＤＮコネクションを削除することを検知する。
【０６４４】
ここで、ＭＭＥ３０Ｂは、ＰＤＮコネクションを再確立することを検出するかどうかを、ケーパビリティ情報１もしくはケーパビリティ情報２などのケーパリビリティによって判断して良い。また、ＭＭＥ３０ＢはＰＤＮコネクションを再確立するかどうかを、許可情報１もしくは許可情報２などのＵＥ１０の許可情報によって判断して良い。
【０６４５】
図１４にＰＤＮ接続要求のメッセージ内容を示す。ＰＤＮ接続要求のメッセージは、ＵＥ１０からＭＭＥ３０Ｂ送信される。
【０６４６】
図１４に示すように、ＰＤＮ接続要求は、プロトコル識別子、ＥＰＳベアラＩＤ、手続き処理ＩＤ、ＰＤＮ接続要求メッセージＩＤ、要求タイプ、ＰＤＮタイプ、ＥＳＭ情報転送フラグ、アクセスポイント名、プロトコル設定オプション、デバイスプロパティ、ｉｎｄｉｃａｔｏｒ４を含んでいる。
【０６４７】
プロトコル識別子は、レイヤ３におけるＥＰＳ移動管理に関するメッセージが含まれる。ＥＰＳベアラＩＤには、ＥＰＳベアラを識別するための識別子が含まれる。手続き処理ＩＤには、レイヤ３における手続き処理を識別するための識別子が含まれる。
【０６４８】
ＰＤＮ接続要求メッセージＩＤには、ＰＤＮ接続要求を示す識別値が含まれる。要求タイプには、ＵＥ１０が新しい接続を確立する要求であるかどうかを示す情報が含まれる。要求タイプには、初期要求であることを示す情報か、ハンドオーバを示す情報か、緊急サービスを提供するＰＤＮへの接続を要求していることを示す情報か、のいずれかが含まれる。ＰＤＮタイプには、ＵＥ１０がサポートするＩＰバージョンを示す情報が含まれる。ＰＤＮタイプには、ＩＰｖ４のみを示す情報、ＩＰｖ６のみを示す情報、ＩＰｖ４とＩＰｖ６を示す情報が含まれる。
【０６４９】
ＥＳＭ情報転送フラグには、ＥＳＭ情報（プロトコル設定オプション、ＡＰＮ）がセキュリティで保護されて転送される必要があるかどうかを示す情報が含まれる。アクセスポイント名には、ＡＰＮを識別する識別子が含まれる。
【０６５０】
プロトコル設定オプションには、多くのプロトコルに関する情報を含めることができる。ＩＭＳに関する情報であったり、ＩＰアドレスに関する情報であったり、暗号化に関する情報などを含めることができる。
【０６５１】
デバイスプロパティには、ＵＥ１０がＮＡＳシグナリングにおける低いプライオリティの処理を設定されているかどうかを示す情報が含まれる。なお、ｉｎｄｉｃａｔｏｒ４は、ｉｎｄｉｃａｔｏｒ４とは別の名称であって良い。
【０６５２】
なお、ｉｎｄｉｃａｔｏｒ４には、ゲートウェイの異なるＰＤＮコネクションへの切り替えを許可するＡＰＮが含まれてよい。ＣＳＩＰＴＯを許可するＡＰＮを受信することにより、ＡＰＮに関連付けられるＰＤＮコネクションを確立するための処理を行うとともに、最適でないＰＤＮコネクションを削除することを通知してよい。
【０６５３】
また、ｉｎｄｉｃａｔｏｒ４には、第１のＰＤＮコネクションの識別情報が含まれてよい。ｉｎｄｉｃａｔｏｒ４の送信により、新たに第２のＰＤＮコネクションを確立することと、第１のＰＤＮコネクションを削除することを要求してもよい。
【０６５４】
なお、ＵＥ１０は、第２のＰＤＮコネクションの確立を完了したことにより、ＰＤＮ切断手続きを開始してもよい。この際、ＰＤＮ切断手続きは、ＵＥ１０がＰＤＮ切断要求をＭＭＥ３０Ｂへ送信することにより開始してもよい。
【０６５５】
ＵＥ１０は、新たにＰＤＮコネクションを確立したことを検知して、ＰＤＮ切断要求を送信することを決定して良い。また、ＵＥ１０は、ＭＭＥ３０ＢまたはｅＮＢ２０ＢからＰＤＮ接続許可通知に含まれる最適でない第１のＰＤＮコネクションを削除することを示す情報により、決定して良い。なお、最適でないＰＤＮコネクションを削除することを示す情報は、多種多様な識別子があるが、ＬＢＩ（Ｌｉｎｋｅｄ  Ｂｅａｒｅｒ  ＩＤ（ベアラＩＤに関連付けられる情報））やベアラＩＤ、ＰＤＮコネクションＩＤ、ＡＰＮ、ＰＤＮアドレスのいずれであって良い。また、最適でないＰＤＮコネクションを削除することを示す情報は、ＬＢＩやベアラＩＤ、ＰＤＮコネクションＩＤ、ＡＰＮ、ＰＤＮアドレスの組み合わせであって良い。
【０６５６】
ＭＭＥ３０ＢはＬ−ＳＧＷ４４Ａへセッション削除要求を送信する（Ｓ１３０４）。Ｌ−ＳＧＷ４４ＡはＬ−ＰＧＷ４４Ａへセッション削除要求を送信する（Ｓ１３０６）。Ｌ−ＰＧＷ４４ＡはＬ−ＳＧＷ４４Ａへセッション削除応答を送信する（Ｓ１３０８）。Ｌ−ＳＧＷ４２ＡはＭＭＥ３０Ｂへセッション削除応答を送信する（Ｓ１３１１）。一方、Ｌ−ＰＧＷ４４Ａはセッション終端手続きを行う（Ｓ１３１０）。
【０６５７】
また、ＭＭＥ３０Ｂはベアラ非活性化要求を送信する（Ｓ１３１２）。ｅＮＢ２０ＢはＵＥ１０へＲＲＣ接続再設定通知を送信する（Ｓ１３１４）。
【０６５８】
ＵＥ１０はｅＮＢ２０ＢにＲＲＣ接続再設定完了通知を送信する（Ｓ１３１６）。ｅＮＢ２０ＢはＭＭＥ３０Ｂにベアラ非活性化応答を送信する（Ｓ１３１８）。
【０６５９】
また、ＵＥ１０はｅＮＢ直接転送を送信する（Ｓ１３２０）。ｅＮＢ２０ＢはＭＭＥ３０ＢへＥＰＳベアラコンテキスト非活性化受託を送信する（Ｓ１３２２）。
【０６６０】
以上の手続きにより、ＵＥ１０は、最適でない第１のＰＤＮコネクションを削除することができる。
【０６６１】
［１．３．５．２  ＭＭＥに要求されるＰＤＮ切断手続き］
また、第１のＰＤＮコネクションの切断は、ＭＭＥが主導して行ってもよい。図１３を利用して、ＭＭＥ３０Ｂに要求されるＰＤＮ接続手続きについて説明する。ＵＥに要求されるＰＤＮ切断手続きでは、ＵＥ１０がｉｎｄｉｃａｔｏｒ４を含むＰＤＮ接続要求を送信し、ＭＭＥ３０Ｂがｉｎｄｉｃａｔｏｒ４を含むＰＤＮ接続要求を受信することによってＰＤＮ切断手続きが開始されていたが、ＭＭＥに要求されるＰＤＮ切断手続きは、ＭＭＥ３０がＵＥ１０からのｉｎｄｉｃａｔｏｒ４を含むＰＤＮ接続要求やＰＤＮ切断要求を受信することなく、ＰＤＮ切断手続きを開始する。
【０６６２】
まずＭＭＥ３０ＢはＰＤＮ切断トリガーを検出する（Ｓ１３０３）。ＭＭＥ３０ＢがＰＤＮ切断トリガーを検出する方法として、第１のＰＤＮコネクションの確立を完了したことにより、ＰＤＮ切断トリガーを検出して良い。例えば、ＭＭＥ３０Ｂがベアラ変更応答（Ｓ１２３０）を受信することにより、ＰＤＮコネクションを確立したことを検出し、ＰＤＮ切断トリガーを検出して良い。なお、ＰＤＮコネクションの削除の対象となる第１のＰＤＮコネクションは、ベアラ変更応答に含まれる情報によって、判別して良い。
【０６６３】
ここで、ＵＥ１０の移動によってＭＭＥリロケーションが発生していない場合、ＭＭＥ３０ＡがＰＤＮ切断トリガーを検出して良い。なお、ＭＭＥ３０ＡがＰＤＮ切断トリガーを検出する方法はＭＭＥ３０Ｂと同様に利用できる。
【０６６４】
以降の手続きは、ＵＥに要求されるＰＤＮ切断手続きと同様の手続きであるため、詳細な説明は省略する。つまり、セッション削除要求の送信（Ｓ１３０４）からＥＰＳベアラコンテキスト非活性化受託の送信（Ｓ１３２２）は、ＵＥに要求されるＰＤＮ切断手続きと同様の手続きである。
【０６６５】
以上の手続きにより、ＵＥ１０は、最適でない第１のＰＤＮコネクションを削除することができる。
【０６６６】
以上、ＵＥ１０が移動し、最適でないＰＤＮコネクションを保持している場合、ハンドオーバ手続きや、トラッキングエリア更新手続きを行い、ＰＤＮ接続手続き、ＰＤＮ切断手続きを行うことによって、最適でないＰＤＮコネクションから最適なＰＤＮコネクションへ切り替えたデータの送受信を行うことができる。
【０６６７】
［２  変形例］
これまでの説明を通して、ＳＩＰＴＯ用のＰＤＮコネクションを切り替える手続きを説明してきたが、切り替えるＰＤＮコネクションは、コアネットワーク７に含まれるゲートウェイとＵＥ１０とが確立するＰＤＮコネクションであってもよい。この場合、コアネットワーク７には、ＰＧＷ６０ＡやＰＧＷ６０Ｂなど、ＰＧＷ６０が複数配置されている。
【０６６８】
言い換えると、第１のＰＤＮコネクションは、ＵＥ１０とＰＧＷ６０Ａが確立するＰＤＮコネクションであってよい。また、第２のＰＤＮコネクションは、ＵＥ１０とＰＧＷ６０Ｂが確立するＰＤＮコネクションであってよい。
【０６６９】
より具体的には、図５（ｂ）のように、ＵＥ１０は、ｅＮＢ２０ＡとＳＧＷ５０Ａを介してＰＧＷ６０Ａと第１のＰＤＮコネクションを確立してもよい。さらに、ハンドオーバに伴い、第１のＰＤＮコネクションを用いて通信を継続することができる。その際、第１のＰＤＮコネクションは、ｅＮＢ２０ＢとＳＧＷ５０Ｂを介してＵＥ１０とＰＧＷ６０Ａとを接続するＰＤＮコネクションとなる。
【０６７０】
ＵＥ１０は、第１のＰＤＮコネクションが最適な通信路ではないことを検出し、ＵＥ１０は第２のＰＤＮコネクションを確立する。ここで、第２のＰＤＮコネクションは、ｅＮＢ２０ＢとＳＧＷ５０Ｂを介してＵＥ１０とＰＧＷ６０Ｂが確立するＰＤＮコネクションである。これにより、ＵＥ１０は、最適な通信路に切り替えて通信を継続してもよい。
【０６７１】
なお、ＳＧＷ５０Ａ、ＳＧＷ５０Ｂ、ＰＧＷ６０Ａ、ＰＧＷ６０Ｂの処理は、それぞれＬ−ＳＧＷ４２Ａ、Ｌ−ＳＧＷ４２Ｂ、Ｌ−ＰＧＷ４４Ａ、Ｌ−ＰＧＷ４４Ｂと同様であってよい。なお、Ｌ−ＳＧＷ４２Ａ、Ｌ−ＳＧＷ４２Ｂ、Ｌ−ＰＧＷ４４Ａ、Ｌ−ＰＧＷ４４Ｂによる処理はこれまで説明したとおりであり、詳細な説明は省略する。
【０６７２】
さらに、ＵＥ１０をはじめとする各装置における記憶情報および処理は、Ｌ−ＳＧＷ４２ＡをＳＧＷ５０Ａに置き換え、Ｌ−ＳＧＷ４２ＢをＳＧＷ５０Ｂに置き換え、Ｌ−ＰＧＷ４４ＡをＰＧＷ６０Ａに置き換え、Ｌ−ＰＧＷ４４ＢをＰＧＷ６０Ｂに置き換えたものであってよい。
【０６７３】
例えば、基地局またはＭＭＥ３０が管理する、ｅＮＢ２０Ａの近隣のゲートウェイの情報は、ＰＧＷ６０Ａの識別情報であってよい。また、ｅＮＢ２０Ｂの近隣のゲートウェイ情報は、ＰＧＷ６０Ｂであってよい。
【０６７４】
また、ＵＥ１０は、ＵＥ１０の使用するＡＰＮを、ＡＰＮ１からＡＰＮ３へ置き換えて良い。つまり、ＵＥ１０は、ＡＰＮ１を用いて実行した処理を、ＡＰＮ３を用いて実行するよう置き換えることで、ＰＤＮコネクション１もしくはＰＤＮコネクション２を確立することができる。
【０６７５】
さらに、ＵＥ１０の使用するＡＰＮを、ＡＰＮ２からＡＰＮ４へ置き換えて良い。つまり、ＵＥ１０は、ＡＰＮ２を用いて実行した処理を、ＡＰＮ４を用いて実行するよう置き換えることで、ＰＤＮコネクション１もしくはＰＤＮコネクション２を確立することができる。
【０６７６】
また、ＭＭＥ３０におけるこれまでＡＰＮ１を用いて実行した処理は、ＡＰＮ３を用いて実行するよう置き換えることができる。
【０６７７】
また、ＭＭＥ３０これまでＡＰＮ２を用いて実行した処理を、ＡＰＮ４を用いて実行するよう置き換えることができる。
【０６７８】
また、ＡＰＮ４は、異なるゲートウェイを端点としたＰＤＮコネクションへの切り替えが許可されているＡＰＮであり、ＡＰＮが異なるゲートウェイを端点としたＰＤＮコネクションへの切り替えは許可されていることに基づいて実施されるＭＭＥ３０等の各装置の処理は、そのまま同様に実施することができる。
【０６７９】
このように、ＵＥ１０をはじめとする各装置における記憶情報および処理は、これまで説明した実施形態で説明した方法を適用できるため、詳細な説明は省略する。
【０６８０】
以上、実施形態およびそれに関わる複数の変形例を説明してきたが、各変形例はそれぞれ独立して実施形態に適用されて良い。また、この発明の実施形態について図面を参照して詳述してきたが、具体的な構成はこの実施形態に限られるものではなく、この発明の要旨を逸脱しない範囲の設計等も特許請求の範囲に含まれる。
【０６８１】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０６８２】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の
いずれであって良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０６８３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０６８４】
また、上述した実施形態における各装置の一部又は全部を典型的には集積回路であるＬＳＩ（Large Scale Integration）として実現して良い。各装置の各機能ブロックは個別
にチップ化して良いし、一部、または全部を集積してチップ化して良い。また、集積回路化の手法はＬＳＩに限らず専用回路、または汎用プロセッサで実現して良い。また、半導体技術の進歩によりＬＳＩに代替する集積回路化の技術が出現した場合、当該技術による集積回路を用いることも可能であることは勿論である。
【符号の説明】
【０６８５】
１  移動通信システム
５  ＩＰ移動通信ネットワーク
７  コアネットワーク
９  ＬＴＥアクセスネットワーク
１０  ＵＥ
２０  ｅＮＢ
３０  ＭＭＥ
４０  ＬＧＷ
５０  ＳＧＷ
６０  ＰＧＷ
７０  ＨＳＳ
８０  ＰＣＲＦ
９０  ＰＤＮ
【図１】
2016047374.tif 000003
【図２】
2016047374.tif 000004
【図３】
2016047374.tif 000005
【図４】
2016047374.tif 000006
【図５】
2016047374.tif 000007
【図６】
2016047374.tif 000008
【図７】
2016047374.tif 000009
【図８Ａ】
2016047374.tif 000010
【図８Ｂ】
2016047374.tif 000011
【図９】
2016047374.tif 000012
【図１０】
2016047374.tif 000013
【図１１Ａ】
2016047374.tif 000014
【図１１Ｂ】
2016047374.tif 000015
【図１２】
2016047374.tif 000016
【図１３】
2016047374.tif 000017
【図１４】
2016047374.tif 000018
【国際調査報告】
2016047374.tif 000019
2016047374.tif 000020
2016047374.tif 000021
2016047374.tif 000022